(57)【要約】  一態様によれば、送信デバイスは、複数の送信の各々について、時間送信間隔（ＴＴＩ）内に送信されるユーザデータが、ユーザデータの前またはユーザデータの後に送信されたＤＭＲＳに時間的に最も近くなるかを判定する。ユーザデータの前である場合、送信のためのすべてのＨＡＲＱ  ＡＣＫ／ＮＡＣＫデータは、送信においてユーザデータを搬送する時間的に最も早いＳＣ−ＦＤＭＡシンボルへ、および、ユーザデータの前に送信されるＤＭＲＳに時間的に最も近い事前ＤＦＴシンボルへ、マッピングされる。ユーザデータの後である場合、送信のためのすべてのＨＡＲＱ  ＡＣＫ／ＮＡＣＫデータは、送信においてユーザデータを搬送する時間的に最後のＳＣ−ＦＤＭＡシンボルへ、および、ユーザデータの後に送信されたＤＭＲＳに時間的に最も近い事前ＤＦＴシンボルへ、マッピングされる。ＳＣ−ＦＤＭＡ信号は、マッピングに基づいて、送信のためのユーザデータおよび制御情報から形成される。【選択図】図３１
2019533332.tif 000002
【特許請求の範囲】
【請求項１】
シングルキャリア周波数分割多元接続（ＳＣ−ＦＤＭＡ）信号としての、制御情報およびユーザデータの複数の送信の各々について、送信時間間隔（ＴＴＩ）内の制御情報をマッピングする、送信デバイス（３０，５０）における方法（３４００）であって、各送信は、１つまたは複数のＳＣ−ＦＤＭＡシンボルを備え、各送信における前記制御情報は、少なくともハイブリッド自動再送要求（ＨＡＲＱ）ＡＣＫ／ＮＡＣＫデータを備え、前記方法（３４００）は、
各送信について、前記送信において送信されるユーザデータが、前記ユーザデータの前に送信される復調用参照信号（ＤＭＲＳ）に、または、前記ユーザデータの後に送信されるＤＭＲＳに、時間的に最も近くなるかを判定すること（３４０２）と、
送信において送信されるユーザデータが、前記ユーザデータの前に送信されるＤＭＲＳに時間的に最も近くなる各送信について、前記送信のためのすべてのＨＡＲＱ  ＡＣＫ／ＮＡＣＫデータを、前記送信内でユーザデータを搬送する時間的に最も早いＳＣ−ＦＤＭＡシンボルへ、および、このＳＣ−ＦＤＭＡシンボルに対応し、前記ユーザデータの前に送信される前記ＤＭＲＳに時間的に最も近い事前離散フーリエ変換（事前ＤＦＴ）シンボルへ、マッピングすること（３４０４）と、
送信において送信されるユーザデータが、前記ユーザデータの後に送信されるＤＭＲＳに時間的に最も近くなる各送信について、前記送信のためのすべてのＨＡＲＱ  ＡＣＫ／ＮＡＣＫデータを、前記送信内にユーザデータを搬送する時間的に最後のＳＣ−ＦＤＭＡシンボルへ、および、このＳＣ−ＦＤＭＡシンボルに対応し、前記ユーザデータの後に送信される前記ＤＭＲＳに時間的に最も近い事前ＤＦＴシンボルへマッピングすること（３４０６）と、
前記複数の送信の各々について、前記ＨＡＲＱ  ＡＣＫ／ＮＡＣＫデータの前記マッピングに基づいて、前記送信のために、前記ユーザデータおよび前記制御情報から、ＳＣ−ＦＤＭＡ信号を形成すること（３４０８）と
を備えた、方法（３４００）。
【請求項２】
前記送信のうちの１つまたは複数の各々について、前記送信のためのランクインジケータ（ＲＩ）データを、前記ＨＡＲＱ  ＡＣＫ／ＮＡＣＫデータがマッピングされた同じＳＣ−ＦＤＭＡシンボルへ、および、この同じＳＣ−ＦＤＭＡシンボルに対応するが、前記送信における前記ユーザデータに時間的に最も近い前記ＤＭＲＳから可能な限り遠い事前ＤＦＴシンボルへ、マッピングすること
をさらに備えた、請求項１に記載の方法（３４００）。
【請求項３】
２つ以上のＳＣ−ＦＤＭＡシンボルがユーザデータを搬送する１つまたは複数の送信の各々について、前記送信のためのランクインジケータ（ＲＩ）データを、ユーザデータを搬送し、前記ＨＡＲＱ  ＡＣＫ／ＮＡＣＫデータがマッピングされた前記ＳＣ−ＦＤＭＡシンボルに時間的に直接隣接しているＳＣ−ＦＤＭＡシンボルへ、および、この隣接しているＳＣ−ＦＤＭＡシンボルに対応し、前記送信の前記ユーザデータに時間的に最も近い前記ＤＭＲＳに可能な限り近い事前ＤＦＴシンボルへ、マッピングすること
をさらに備えた、請求項１に記載の方法（３４００）。
【請求項４】
ＨＡＲＱ  ＡＣＫ／ＮＡＣＫデータに割り当てられた、あらかじめ決定された最大数の事前ＤＦＴシンボルが与えられると、１つまたは複数の送信の各々について、前記送信のためのランクインジケータ（ＲＩ）データを、前記ＨＡＲＱ  ＡＣＫ／ＮＡＣＫデータがマッピングされた同じＳＣ−ＦＤＭＡシンボルへ、および、前記ＨＡＲＱ  ＡＣＫ／ＮＡＣＫデータがマッピングされた前記事前ＤＦＴシンボルに可能な限り近い事前ＤＦＴシンボルへ、マッピングすること
をさらに備えた、請求項１に記載の方法（３４００）。
【請求項５】
１つまたは複数の送信の各々について、前記送信の複数のＳＣ−ＦＤＭＡシンボルが、ユーザデータを搬送するか否かを判定することと、
１つのＳＣ−ＦＤＭＡシンボルのみがユーザデータを搬送する前記１つまたは複数の送信の各々について、前記送信のためのランクインジケータ（ＲＩ）データを、前記ＨＡＲＱ  ＡＣＫ／ＮＡＣＫデータがマッピングされた同じＳＣ−ＦＤＭＡシンボルへ、ただし、この同じＳＣ−ＦＤＭＡシンボルへ対応するが、前記送信の前記ユーザデータに時間的に最も近い前記ＤＭＲＳから可能な限り遠い事前ＤＦＴシンボルへ、マッピングすることと、
２つ以上のＳＣ−ＦＤＭＡシンボルがユーザデータを搬送する前記１つまたは複数の送信の各々について、前記送信のためのＲＩデータを、ユーザデータを搬送し、前記ＨＡＲＱ  ＡＣＫ／ＮＡＣＫデータがマッピングされた前記ＳＣ−ＦＤＭＡシンボルに時間的に直接隣接しているＳＣ−ＦＤＭＡシンボルへ、および、この隣接しているＳＣ−ＦＤＭＡシンボルに対応し、前記送信の前記ユーザデータに時間的に最も近い前記ＤＭＲＳに可能な限り近い事前ＤＦＴシンボルへ、マッピングすることと
をさらに備えた、請求項１に記載の方法（３４００）。
【請求項６】
２つ以上のＳＣ−ＦＤＭＡシンボルがユーザデータを搬送する１つまたは複数の送信の各々について、前記送信のためのチャネル品質インジケータ（ＣＱＩ）データを、ユーザデータを搬送する前記２つ以上のＳＣ−ＦＤＭＡシンボルへ可能な限り均等にマッピングすること
をさらに備えた、請求項１から５のいずれか一項に記載の方法（３４００）。
【請求項７】
２つ以上のＳＣ−ＦＤＭＡシンボルがユーザデータを搬送する１つまたは複数の送信の各々について、前記送信のためのチャネル品質インジケータ（ＣＱＩ）データを、前記送信のためのユーザデータを搬送する第１のＳＣ−ＦＤＭＡシンボルに対応する事前ＤＦＴシンボルへ可能な限りマッピングし、残りすべてのＣＱＩデータを、前記送信の１つまたは複数の後続するＳＣ−ＦＤＭＡシンボルへマッピングすること
をさらに備えた、請求項１から５のいずれか一項に記載の方法（３４００）。
【請求項８】
シングルキャリア周波数分割多元接続（ＳＣ−ＦＤＭＡ）信号としての、制御情報およびユーザデータの複数の送信の各々について、送信時間間隔（ＴＴＩ）内の制御情報をマッピングするように設定された送信装置（３０，５０）であって、各送信は、１つまたは複数のＳＣ−ＦＤＭＡシンボルを備え、各送信における前記制御情報は、少なくともハイブリッド自動再送要求（ＨＡＲＱ）ＡＣＫ／ＮＡＣＫデータを備え、前記送信装置（３０，５０）は、
各送信について、前記送信において送信されるユーザデータが、前記ユーザデータの前に送信されるユーザデータの前に送信される復調用参照信号（ＤＭＲＳ）に、または、前記ユーザデータの後に送信されたＤＭＲＳに、時間的に最も近くなるかを判定し、
送信において送信されるユーザデータが、前記ユーザデータの前に送信されるＤＭＲＳに時間的に最も近くなる前記複数の送信の各々について、前記送信のためのすべてのＨＡＲＱ  ＡＣＫ／ＮＡＣＫデータを、前記送信内にデータを搬送する時間的に最も早いＳＣ−ＦＤＭＡシンボルへ、および、このＳＣ−ＦＤＭＡシンボルに対応し、前記ユーザデータの前に送信される前記ＤＭＲＳに時間的に最も近い事前離散フーリエ変換（事前ＤＦＴ）シンボルへ、マッピングし、
前記送信において送信されるユーザデータが、前記ユーザデータの後に送信されたＤＭＲＳに時間的に最も近くなる各送信について、前記送信のためのすべてのＨＡＲＱ  ＡＣＫ／ＮＡＣＫデータを、前記送信内にユーザデータを搬送する時間的に最後のＳＣ−ＦＤＭＡシンボルへ、および、このＳＣ−ＦＤＭＡに対応し、前記ユーザデータの後に送信された前記ＤＭＲＳに時間的に最も近い事前ＤＦＴシンボルへ、マッピングし、
前記複数のＴＴＩの各々について、前記ＨＡＲＱ  ＡＣＫ／ＮＡＣＫデータの前記マッピングに基づいて、前記送信のための前記ユーザデータおよび前記制御情報から、ＳＣ−ＦＤＭＡ信号を形成する
ように設定された処理回路構成（３２，５２）と、
前記ＳＣ−ＦＤＭＡ信号を送信するように設定された送信回路構成（３６，５６）と
を備えた、送信装置（３０，５０）。
【請求項９】
前記処理回路構成（３２，５２）はさらに、
前記送信のうちの１つまたは複数の各々について、前記送信のためのランクインジケータ（ＲＩ）データを、前記ＨＡＲＱ  ＡＣＫ／ＮＡＣＫデータがマッピングされた同じＳＣ−ＦＤＭＡシンボルへ、ただし、この同じＳＣ−ＦＤＭＡシンボルに対応するが、前記送信の前記ユーザデータに時間的に最も近い前記ＤＭＲＳから可能な限り遠い事前ＤＦＴシンボルへ、マッピングする
ように設定された、請求項８に記載の送信装置（３０，５０）。
【請求項１０】
前記処理回路構成（３２，５２）はさらに、
２つ以上のＳＣ−ＦＤＭＡシンボルがユーザデータを搬送する前記１つまたは複数の送信の各々について、前記送信のためのランクインジケータ（ＲＩ）データを、ユーザデータを搬送し、前記ＨＡＲＱ  ＡＣＫ／ＮＡＣＫデータがマッピングされた前記ＳＣ−ＦＤＭＡシンボルに時間的に直接隣接しているＳＣ−ＦＤＭＡシンボルへ、および、この隣接しているＳＣ−ＦＤＭＡシンボルに対応し、前記送信の前記ユーザデータに時間的に最も近い前記ＤＭＲＳに可能な限り近い事前ＤＦＴシンボルへ、マッピングする
ように設定された、請求項８に記載の送信装置（３０，５０）。
【請求項１１】
前記処理回路構成（３２，５２）はさらに、
ＨＡＲＱ  ＡＣＫ／ＮＡＣＫデータに割り当てられた、あらかじめ決定された最大数の事前ＤＦＴシンボルが与えられると、１つまたは複数の送信の各々について、前記送信のためのランクインジケータ（ＲＩ）データを、前記ＨＡＲＱ  ＡＣＫ／ＮＡＣＫデータがマッピングされたものと同じＳＣ−ＦＤＭＡシンボルへ、および、前記ＨＡＲＱ  ＡＣＫ／ＮＡＣＫデータがマッピングされた前記事前ＤＦＴシンボルに可能な限り近い事前ＤＦＴシンボルへ、マッピングする
ように設定された、請求項８に記載の送信装置（３０，５０）。
【請求項１２】
前記処理回路構成（３２，５２）はさらに、
１つまたは複数の送信の各々について、前記送信の複数のＳＣ−ＦＤＭＡシンボルが、ユーザデータを搬送するか否かを判定し、
１つのＳＣ−ＦＤＭＡシンボルのみがユーザデータを搬送する前記１つまたは複数の送信の各々について、前記送信のためのランクインジケータ（ＲＩ）データを、前記ＨＡＲＱ  ＡＣＫ／ＮＡＣＫデータがマッピングされた同じＳＣ−ＦＤＭＡシンボルへ、ただし、この同じＳＣ−ＦＤＭＡシンボルに対応するが、前記送信の前記ユーザデータに時間的に最も近い前記ＤＭＲＳから可能な限り遠い事前ＤＦＴシンボルへ、マッピングし、
２つ以上のＳＣ−ＦＤＭＡシンボルがユーザデータを搬送する前記１つまたは複数の送信の各々について、前記送信のためのＲＩデータを、ユーザデータを搬送し、前記ＨＡＲＱ  ＡＣＫ／ＮＡＣＫデータがマッピングされた前記ＳＣ−ＦＤＭＡシンボルに時間的に直接隣接しているＳＣ−ＦＤＭＡシンボルへ、および、この隣接しているＳＣ−ＦＤＭＡシンボルに対応し、前記送信の前記ユーザデータに時間的に最も近い前記ＤＭＲＳに可能な限り近い事前ＤＦＴシンボルへ、マッピングする
ように設定された、請求項８に記載の送信装置（３０，５０）。
【請求項１３】
前記処理回路構成（３２，５２）はさらに、
２つ以上のＳＣ−ＦＤＭＡシンボルがユーザデータを搬送する１つまたは複数の送信の各々について、前記送信のためのチャネル品質インジケータ（ＣＱＩ）データを、ユーザデータを搬送する前記２つ以上のＳＣ−ＦＤＭＡシンボルへ可能な限り均等にマッピングする
ように設定された、請求項８から１２のいずれか一項に記載の送信装置（３０，５０）。
【請求項１４】
前記処理回路構成（３２，５２）はさらに、
２つ以上のＳＣ−ＦＤＭＡシンボルがユーザデータを搬送する１つまたは複数の送信の各々について、前記送信のためのチャネル品質インジケータ（ＣＱＩ）データを、前記送信のためのユーザデータを搬送する第１のＳＣ−ＦＤＭＡシンボルに対応する事前ＤＦＴシンボルへ可能な限りマッピングし、残りすべてのＣＱＩデータを、前記送信の１つまたは複数の後続するＳＣ−ＦＤＭＡシンボルへマッピングする
ように設定された、請求項８から１２のいずれか一項に記載の送信装置（３０，５０）。
【請求項１５】
受信デバイス（３０，５０）において、シングルキャリア周波数分割多元接続（ＳＣ−ＦＤＭＡ）信号として受信された制御情報およびユーザデータの複数の送信の各々について、送信時間間隔（ＴＴＩ）内から制御情報をデマッピングする方法（３６００）であって、前記複数の送信の各々は、１つまたは複数のＳＣ−ＦＤＭＡシンボルを備え、各送信における前記制御情報は、少なくともハイブリッド自動再送要求（ＨＡＲＱ）ＡＣＫ／ＮＡＣＫデータを備え、前記方法（３６００）は、
前記複数の送信の各々について、ＳＣ−ＦＤＭＡ信号を受信すること（３６０２）と、
前記複数の送信の各々について、前記送信において受信されたユーザデータが、前記ユーザデータの前に送信される復調用参照信号（ＤＭＲＳ）に、または、前記ユーザデータの後に送信されたＤＭＲＳに、時間的に最も近いかを判定すること（３６０４）と、
前記送信において受信されたユーザデータが、前記ユーザデータの前に送信されるＤＭＲＳに時間的に最も近い前記複数の送信の各々について、前記送信のためのすべてのＨＡＲＱ  ＡＣＫ／ＮＡＣＫデータを、前記送信においてユーザデータを搬送する時間的に最も早いＳＣ−ＦＤＭＡシンボルから、および、このＳＣ−ＦＤＭＡシンボルに対応し、前記ユーザデータの前に送信される前記ＤＭＲＳに時間的に最も近い事後逆拡散シンボルから、デマッピングすること（３６０６）と、
前記送信において受信されたユーザデータが、前記ユーザデータの後に送信されたＤＭＲＳに時間的に最も近い前記複数の送信の各々について、前記送信のためのすべてのＨＡＲＱ  ＡＣＫ／ＮＡＣＫデータを、前記送信においてユーザデータを搬送する時間的に最後のＳＣ−ＦＤＭＡシンボルから、および、このＳＣ−ＦＤＭＡシンボルに対応し、前記ユーザデータの後に送信された前記ＤＭＲＳに時間的に最も近い事後逆拡散シンボルからデマッピングすること（３６０８）と
を備えた、方法（３６００）。
【請求項１６】
前記受信された送信のうちの１つまたは複数の各々について、前記送信のためのランクインジケータ（ＲＩ）データを、前記ＨＡＲＱ  ＡＣＫ／ＮＡＣＫデータがマッピングされた同じＳＣ−ＦＤＭＡシンボルから、ただし、この同じＳＣ−ＦＤＭＡシンボルに対応するが、前記送信の前記ユーザデータに時間的に最も近い前記ＤＭＲＳから可能な限り遠い事後逆拡散シンボルから、デマッピングすること
をさらに備えた、請求項１５に記載の方法（３６００）。
【請求項１７】
２つ以上のＳＣ−ＦＤＭＡシンボルがユーザデータを搬送する、前記受信された送信のうちの１つまたは複数の各々について、前記送信のためのランクインジケータ（ＲＩ）データを、ユーザデータを搬送し、前記ＨＡＲＱ  ＡＣＫ／ＮＡＣＫデータがマッピングされた前記ＳＣ−ＦＤＭＡシンボルに時間的に直接隣接しているＳＣ−ＦＤＭＡシンボルから、および、この隣接しているＳＣ−ＦＤＭＡシンボルに対応し、前記送信の前記ユーザデータに時間的に最も近い前記ＤＭＲＳに可能な限り近い事後逆拡散シンボルから、デマッピングすること
をさらに備えた、請求項１５に記載の方法（３６００）。
【請求項１８】
ＨＡＲＱ  ＡＣＫ／ＮＡＣＫデータに割り当てられた、あらかじめ決定された最大数の事後逆拡散シンボルが与えられると、前記受信された送信のうちの１つまたは複数の各々について、前記送信のためのランクインジケータ（ＲＩ）データを、前記ＨＡＲＱ  ＡＣＫ／ＮＡＣＫデータがマッピングされた同じＳＣ−ＦＤＭＡシンボルから、および、前記ＨＡＲＱ  ＡＣＫ／ＮＡＣＫデータがマッピングされた前記事後逆拡散シンボルに可能な限り近い事後逆拡散シンボルから、デマッピングすること
をさらに備えた、請求項１５に記載の方法（３６００）。
【請求項１９】
前記受信された送信のうちの１つまたは複数の各々について、前記送信の複数のＳＣ−ＦＤＭＡシンボルが、ユーザデータを搬送するか否かを判定することと、
１つのＳＣ−ＦＤＭＡシンボルのみがユーザデータを搬送する、前記受信された送信のうちの１つまたは複数の各々について、前記送信のためのランクインジケータ（ＲＩ）データを、前記ＨＡＲＱ  ＡＣＫ／ＮＡＣＫデータがマッピングされた同じＳＣ−ＦＤＭＡシンボルから、ただし、この同じＳＣ−ＦＤＭＡシンボルに対応するが、前記送信の前記ユーザデータに時間的に最も近い前記ＤＭＲＳから可能な限り遠い事後逆拡散シンボルから、デマッピングすることと、
２つ以上のＳＣ−ＦＤＭＡシンボルがユーザデータを搬送する、前記受信された送信のうちの１つまたは複数の各々について、前記送信のためのＲＩデータを、ユーザデータを搬送し、前記ＨＡＲＱ  ＡＣＫ／ＮＡＣＫデータがマッピングされた前記ＳＣ−ＦＤＭＡシンボルに時間的に直接隣接しているＳＣ−ＦＤＭＡシンボルから、および、この隣接しているＳＣ−ＦＤＭＡシンボルに対応し、前記送信の前記ユーザデータに時間的に最も近い前記ＤＭＲＳに可能な限り近い事後逆拡散シンボルから、デマッピングすることと
をさらに備えた、請求項１５に記載の方法（３６００）。
【請求項２０】
２つ以上のＳＣ−ＦＤＭＡシンボルがユーザデータを搬送する、前記受信された送信のうちの１つまたは複数の各々について、前記送信のためのチャネル品質インジケータ（ＣＱＩ）データを、ユーザデータを搬送する前記２つ以上のＳＣ−ＦＤＭＡシンボルから、可能な限り均等にデマッピングすること
をさらに備えた、請求項１５から１９のいずれか一項に記載の方法（３６００）。
【請求項２１】
２つ以上のＳＣ−ＦＤＭＡシンボルがユーザデータを搬送する、前記受信された送信のうちの１つまたは複数の各々について、前記送信のためのチャネル品質インジケータ（ＣＱＩ）データを、ユーザデータを搬送する前記第１のＳＣ−ＦＤＭＡシンボルに対応する事前ＤＦＴシンボルから可能な限りデマッピングし、その後、残りすべてのＣＱＩデータを、１つまたは複数の後続するＳＣ−ＦＤＭＡシンボルからデマッピングすること
をさらに備えた、請求項１５から１９のいずれか一項に記載の方法（３６００）。
【請求項２２】
シングルキャリア周波数分割多元接続（ＳＣ−ＦＤＭＡ）信号として受信された制御情報およびユーザデータの複数の送信の各々について、送信時間間隔（ＴＴＩ）内から、制御情報をデマッピングするように設定された受信装置（３０，５０）であって、前記複数の送信の各々は、１つまたは複数のＳＣ−ＦＤＭＡシンボルを備え、各送信における前記制御情報は、少なくともハイブリッド自動再送要求（ＨＡＲＱ）ＡＣＫ／ＮＡＣＫデータを備え、前記受信装置（３０，５０）は、
前記複数の送信の各々について、ＳＣ−ＦＤＭＡ信号を受信するように設定された受信回路構成（３６，５６）と、
前記複数の送信の各々について、前記送信において受信されたユーザデータが、前記ユーザデータの前に送信される復調用参照信号（ＤＭＲＳ）に、または、前記ユーザデータの後に送信されたＤＭＲＳに、時間的に最も近いかを判定し、
前記送信において受信されたユーザデータが、前記ユーザデータの前に送信されるＤＭＲＳに時間的に最も近い前記複数の送信の各々について、前記送信のためのすべてのＨＡＲＱ  ＡＣＫ／ＮＡＣＫデータを、前記送信においてデータを搬送する時間的に最も早いＳＣ−ＦＤＭＡシンボルから、および、このＳＣ−ＦＤＭＡシンボルに対応し、前記ユーザデータの前に送信される前記ＤＭＲＳに時間的に最も近い事後逆拡散シンボルから、デマッピングし、
前記送信において受信されたユーザデータが、前記ユーザデータの後に送信されたＤＭＲＳに時間的に最も近い前記複数の送信の各々について、前記送信のためのすべてのＨＡＲＱ  ＡＣＫ／ＮＡＣＫデータを、前記送信においてユーザデータを搬送する時間的に最後のＳＣ−ＦＤＭＡシンボルから、および、このＳＣ−ＦＤＭＡシンボルに対応し、前記ユーザデータの後に送信された前記ＤＭＲＳに時間的に最も近い事後逆拡散シンボルから、デマッピングする
ように設定された処理回路構成（３２，５２）と
を備えた、受信装置（３０，５０）。
【請求項２３】
前記処理回路構成（３２，５２）はさらに、
前記送信のうちの１つまたは複数の各々について、前記送信のためのランクインジケータ（ＲＩ）データを、前記ＨＡＲＱ  ＡＣＫ／ＮＡＣＫデータがマッピングされた同じＳＣ−ＦＤＭＡシンボルから、ただし、この同じＳＣ−ＦＤＭＡシンボルに対応するが、前記送信の前記ユーザデータに時間的に最も近い前記ＤＭＲＳから可能な限り遠い事後逆拡散シンボルから、デマッピングする
ように設定された、請求項２２に記載の受信装置（３０，５０）。
【請求項２４】
前記処理回路構成（３２，５２）はさらに、
２つ以上のＳＣ−ＦＤＭＡシンボルがユーザデータを搬送する１つまたは複数の送信の各々について、前記送信のためのランクインジケータ（ＲＩ）データを、ユーザデータを搬送し、前記ＨＡＲＱ  ＡＣＫ／ＮＡＣＫデータがマッピングされた前記ＳＣ−ＦＤＭＡシンボルに時間的に直接隣接しているＳＣ−ＦＤＭＡシンボルから、および、この隣接しているＳＣ−ＦＤＭＡシンボルに対応し、前記送信の前記ユーザデータに時間的に最も近い前記ＤＭＲＳに可能な限り近い事後逆拡散シンボルから、デマッピングする
ように設定された、請求項２２に記載の受信装置（３０，５０）。
【請求項２５】
前記処理回路構成（３２，５２）はさらに、
ＨＡＲＱ  ＡＣＫ／ＮＡＣＫデータに割り当てられた、あらかじめ決定された最大数の事後逆拡散シンボルが与えられると、１つまたは複数の送信の各々について、前記送信のためのランクインジケータ（ＲＩ）データを、前記ＨＡＲＱ  ＡＣＫ／ＮＡＣＫデータがマッピングされた同じＳＣ−ＦＤＭＡシンボルから、および、前記ＨＡＲＱ  ＡＣＫ／ＮＡＣＫデータがマッピングされた事後逆拡散シンボルに可能な限り近い事後逆拡散シンボルから、デマッピングする
ように設定された、請求項２２に記載の受信装置（３０，５０）。
【請求項２６】
前記処理回路構成（３２，５２）はさらに、
１つまたは複数の送信の各々について、前記送信の複数のＳＣ−ＦＤＭＡシンボルが、ユーザデータを搬送するか否かを判定し、
１つのＳＣ−ＦＤＭＡシンボルのみがユーザデータを搬送する前記１つまたは複数の送信の各々について、前記送信のためのランクインジケータ（ＲＩ）データを、前記ＨＡＲＱ  ＡＣＫ／ＮＡＣＫデータがマッピングされたものと同じＳＣ−ＦＤＭＡシンボルから、ただし、この同じＳＣ−ＦＤＭＡシンボルに対応するが、前記送信の前記ユーザデータに時間的に最も近い前記ＤＭＲＳから可能な限り遠い事後逆拡散シンボルから、デマッピングし、
２つ以上のＳＣ−ＦＤＭＡシンボルがユーザデータを搬送する前記１つまたは複数の送信の各々について、前記送信のためのＲＩデータを、ユーザデータを搬送し、前記ＨＡＲＱ  ＡＣＫ／ＮＡＣＫデータがマッピングされた前記ＳＣ−ＦＤＭＡシンボルに時間的に直接隣接しているＳＣ−ＦＤＭＡシンボルから、および、この隣接しているＳＣ−ＦＤＭＡシンボルに対応し、前記送信の前記ユーザデータに時間的に最も近い前記ＤＭＲＳに可能な限り近い事後逆拡散シンボルから、デマッピングする
ように設定された、請求項２２に記載の受信装置（３０，５０）。
【請求項２７】
前記処理回路構成（３２，５２）はさらに、
２つ以上のＳＣ−ＦＤＭＡシンボルがユーザデータを搬送する１つまたは複数の送信の各々について、前記送信のためのチャネル品質インジケータ（ＣＱＩ）データを、ユーザデータを搬送する前記２つ以上のＳＣ−ＦＤＭＡシンボルから可能な限り均等にデマッピングする
ように設定された、請求項２２から２６のいずれか一項に記載の受信装置（３０，５０）。
【請求項２８】
前記処理回路構成（３２，５２）はさらに、
２つ以上のＳＣ−ＦＤＭＡシンボルがユーザデータを搬送する１つまたは複数の送信の各々について、前記送信のためのチャネル品質インジケータ（ＣＱＩ）データを、ユーザデータを搬送する第１のＳＣ−ＦＤＭＡシンボルへマッピングする事前ＤＦＴシンボルから可能な限りデマッピングし、その後、残りすべてのＣＱＩデータを、１つまたは複数の後続するＳＣ−ＦＤＭＡシンボルからデマッピングする
ように設定された、請求項２２から２６のいずれか一項に記載の受信装置（３０，５０）。
【請求項２９】
シングルキャリア周波数分割多元接続（ＳＣ−ＦＤＭＡ）信号としての、制御情報およびユーザデータの複数の送信の各々について、送信時間間隔（ＴＴＩ）内に制御情報をマッピングするように設定された送信デバイス（３０，５０）の少なくとも１つの処理回路（３２，５２）において実行された場合、前記送信デバイス（３０，５０）に対して、以下を実行させるプログラム命令を備えたコンピュータプログラム（４６，６６）を記憶した非一時的なコンピュータ可読記憶媒体（４４，６４）であって、前記複数の送信時間間隔の各々は、１つまたは複数のＳＣ−ＦＤＭＡシンボルを備え、各送信における前記制御情報は、少なくともハイブリッド自動再送要求（ＨＡＲＱ）ＡＣＫ／ＮＡＣＫデータを備え、前記プログラム命令は、前記送信デバイス（３０，５０）に対して、
前記複数の送信の各々について、前記送信において送信されるユーザデータが、前記ユーザデータの前に送信される復調用参照信号（ＤＭＲＳ）に、または、前記ユーザデータの後に送信されたＤＭＲＳに、時間的に最も近くなるかを判定させ、
前記送信において送信されるユーザデータが、前記ユーザデータの前に送信されるＤＭＲＳに時間的に最も近くなる前記複数の送信の各々について、前記送信のためのすべてのＨＡＲＱ  ＡＣＫ／ＮＡＣＫデータを、前記送信においてユーザデータを搬送する時間的に最も早いＳＣ−ＦＤＭＡシンボルへ、および、このＳＣ−ＦＤＭＡシンボルに対応し、前記ユーザデータの前に送信される前記ＤＭＲＳに時間的に最も近い事前離散フーリエ変換（事前ＤＦＴ）シンボルへ、マッピングさせ、
前記送信において送信されるユーザデータが、前記ユーザデータの後に送信されたＤＭＲＳに時間的に最も近くなる前記複数の送信の各々について、前記送信のためのすべてのＨＡＲＱ  ＡＣＫ／ＮＡＣＫデータを、前記送信においてユーザデータを搬送する時間的に最後のＳＣ−ＦＤＭＡシンボルへ、および、このＳＣ−ＦＤＭＡシンボルに対応し、前記ユーザデータの後に送信された前記ＤＭＲＳに時間的に最も近い事前ＤＦＴシンボルへマッピングさせ、
前記複数の送信の各々について、前記ＨＡＲＱ  ＡＣＫ／ＮＡＣＫデータのマッピングに基づいて、前記送信のための前記ユーザデータおよび前記制御情報から、ＳＣ−ＦＤＭＡ信号を形成させる、
非一時的なコンピュータ可読記憶媒体（４４，６４）。
【請求項３０】
シングルキャリア周波数分割多元接続（ＳＣ−ＦＤＭＡ）信号として受信された、制御情報およびユーザデータの複数の送信の各々について、送信時間間隔（ＴＴＩ）内から、制御情報をデマッピングするように設定された受信デバイス（３０，５０）の少なくとも１つの処理回路（３２，５２）において実行された場合、前記受信デバイス（３０，５０）に対して、以下を実行させるプログラム命令を備えたコンピュータプログラム（４６，６６）を記憶した非一時的なコンピュータ可読記憶媒体（４４，６４）であって、前記複数の送信の各々は、１つまたは複数のＳＣ−ＦＤＭＡシンボルを備え、各送信における前記制御情報は、少なくともハイブリッド自動再送要求（ＨＡＲＱ）ＡＣＫ／ＮＡＣＫデータを備え、前記プログラム命令は、前記受信デバイス（３０，５０）に対して、
前記複数の送信の各々について、前記送信において受信されたユーザデータが、前記ユーザデータの前に送信される復調用参照信号（ＤＭＲＳ）に、または、前記ユーザデータの後に送信されたＤＭＲＳに、時間的に最も近いかを判定させ、
前記送信において受信されたユーザデータが、前記ユーザデータの前に送信されるＤＭＲＳに時間的に最も近い前記複数の送信の各々について、前記送信のためのすべてのＨＡＲＱ  ＡＣＫ／ＮＡＣＫデータを、前記送信においてユーザデータを搬送する時間的に最も早いＳＣ−ＦＤＭＡシンボルから、および、このＳＣ−ＦＤＭＡシンボルに対応し、前記ユーザデータの前に送信される前記ＤＭＲＳに時間的に最も近い事後逆拡散シンボルから、デマッピングさせ、
前記送信において受信されたユーザデータが、前記ユーザデータの後に送信されたＤＭＲＳに時間的に最も近い前記複数の送信の各々について、前記送信のためのすべてのＨＡＲＱ  ＡＣＫ／ＮＡＣＫデータを、前記送信においてユーザデータを搬送する時間的に最後のＳＣ−ＦＤＭＡシンボルから、および、このＳＣ−ＦＤＭＡシンボルに対応し、前記ユーザデータの後に送信された前記ＤＭＲＳに時間的に最も近い事後逆拡散シンボルから、デマッピングさせる、
非一時的なコンピュータ可読記憶媒体（４４，６４）。
【請求項３１】
請求項１から７のいずれか一項に記載の方法（３４００）を実行するように適合された送信装置（３０，５０）。
【請求項３２】
請求項１５から２１のいずれか一項に記載の方法（３６００）を実行するように適合された受信装置（３０，５０）。
【請求項３３】
処理回路（３２，５２）において実行された場合、前記処理回路（３２，５２）に対して、請求項１から７および１５から２１のいずれか一項に記載の方法（３４００，３６００）を実行させる命令を備えた、コンピュータプログラム（４６，６６）。
【請求項３４】
請求項３３に記載のコンピュータプログラム（４６，６６）を含むキャリアであって、電子信号、光信号、無線信号、またはコンピュータ可読記憶媒体（４４，６４）のうちの１つであるキャリア。
【請求項３５】
シングルキャリア周波数分割多元接続（ＳＣ−ＦＤＭＡ）信号としての、制御情報およびユーザデータの複数の送信の各々について、送信時間間隔（ＴＴＩ）内で制御情報をマッピングするように設定された送信装置（３０，５０）であって、前記複数の送信の各々は、１つまたは複数のＳＣ−ＦＤＭＡシンボルを備え、各送信のための前記制御情報は、少なくともハイブリッド自動再送要求（ＨＡＲＱ）ＡＣＫ／ＮＡＣＫデータを備え、前記送信装置（３０，５０）は、
前記複数の送信の各々について、前記送信において送信されるユーザデータが、前記ユーザデータの前に送信されるＤＭＲＳに、または、前記ユーザデータの後に送信されたＤＭＲＳに、時間的に最も近くなるかを判定するための判定モジュール（３７０２，３８０２）と、
前記送信において送信されるユーザデータが、前記ユーザデータの前に送信されるＤＭＲＳに時間的に最も近くなる前記複数の送信の各々について、前記送信のためのすべてのＨＡＲＱ  ＡＣＫ／ＮＡＣＫデータを、前記送信においてユーザデータを搬送する時間的に最も早いＳＣ−ＦＤＭＡシンボルへ、および、このＳＣ−ＦＤＭＡシンボルに対応し、前記ユーザデータの前に送信される前記ＤＭＲＳに時間的に最も近い事前ＤＦＴシンボルへ、マッピングするためのマッピングモジュール（３７０４，３８０４）と、
前記送信において送信されるユーザデータが、前記ユーザデータの後に送信されたＤＭＲＳに時間的に最も近くなる前記複数の送信の各々について、前記送信のためのすべてのＨＡＲＱ  ＡＣＫ／ＮＡＣＫデータを、前記送信においてデータを搬送する時間的に最後のＳＣ−ＦＤＭＡシンボルへ、および、このＳＣ−ＦＤＭＡシンボルに対応し、前記ユーザデータの後に送信された前記ＤＭＲＳに時間的に最も近い事前ＤＦＴシンボルへも、マッピングするための前記マッピングモジュール（３７０４，３８０４）と、
前記複数の送信の各々について、前記ＨＡＲＱ  ＡＣＫ／ＮＡＣＫデータの前記マッピングに基づいて、前記送信のためのユーザデータおよび制御情報から、ＳＣ−ＦＤＭＡ信号を形成するための信号形成モジュール（３７０６，３８０６）と
を備えた、送信装置（３０，５０）。
【請求項３６】
シングルキャリア周波数分割多元接続（ＳＣ−ＦＤＭＡ）信号として受信された、制御情報およびユーザデータの複数の送信の各々について、送信時間間隔（ＴＴＩ）内から、制御情報をデマッピングするように設定された受信装置（３０，５０）であって、前記複数の送信の各々は、１つまたは複数のＳＣ−ＦＤＭＡシンボルを備え、送信のための前記制御情報は、少なくともハイブリッド自動再送要求（ＨＡＲＱ）ＡＣＫ／ＮＡＣＫデータを備え、前記受信装置（３０，５０）は、
前記複数の送信の各々について、ＳＣ−ＦＤＭＡ信号を受信するための受信モジュール（３９０２，４００２）と、
前記複数の送信の各々について、前記送信において受信されたユーザデータが、前記ユーザデータの前に送信されるＤＭＲＳに、または、前記ユーザデータの後に送信されたＤＭＲＳに、時間的に最も近いかを判定するための判定モジュール（３９０４，４００４）と、
前記送信において受信されたユーザデータが、前記ユーザデータの前に送信されるＤＭＲＳに時間的に最も近い前記複数の送信の各々について、前記送信のためのすべてのＨＡＲＱ  ＡＣＫ／ＮＡＣＫデータを、前記送信においてユーザデータを搬送する時間的に最も早いＳＣ−ＦＤＭＡシンボルから、および、このＳＣ−ＦＤＭＡシンボルに対応し、前記ユーザデータの前に送信される前記ＤＭＲＳに時間的に最も近い事後逆拡散シンボルから、デマッピングするためのデマッピングモジュール（３９０６，４００６）と
を備え、
前記デマッピングモジュール（３９０６，４００６）はさらに、前記送信において受信されたユーザデータが、前記ユーザデータの後に送信されたＤＭＲＳに時間的に最も近い前記複数の送信の各々について、前記送信のためのすべてのＨＡＲＱ  ＡＣＫ／ＮＡＣＫデータを、前記送信においてデータを搬送する時間的に最後のＳＣ−ＦＤＭＡシンボルから、および、このＳＣ−ＦＤＭＡシンボルに対応し、前記ユーザデータの後に送信された前記ＤＭＲＳに時間的に最も近い事後逆拡散シンボルからも、デマッピングするためのものである、
受信装置（３０，５０）。
【発明の詳細な説明】
【技術分野】
【０００１】
本開示は、無線通信ネットワークにおける制御シグナリングに関し、より詳細には、短縮された送信時間間隔（ＴＴＩ）が使用されるときの、シングルキャリア周波数分割多元接続（ＳＣ−ＦＤＭＡ）を用いた制御シグナリングに関する。
【背景技術】
【０００２】
パケットデータレイテンシは、無線ベンダや無線システムオペレータが定期的に測定するパフォーマンス指標のうちの１つである。エンドユーザはまた、たとえば、一般に利用可能な「速度テスト」アプリケーションを使用して、パケットデータレイテンシを測定し得る。レイテンシ測定は、無線アクセスネットワークシステム寿命のすべてのフェーズ中、新たなソフトウェアリリースまたはシステムコンポーネントを検証するとき、システムを展開するとき、およびシステムが商業的に運用されているとき、実行される。
【０００３】
提供されていた以前の世代の無線アクセス技術（ＲＡＴ）よりも短いレイテンシが、Ｌｏｎｇ−Ｔｅｒｍ  Ｅｖｏｌｕｔｉｏｎ（ＬＴＥ）無線技術の第３世代パートナシップ計画（３ＧＰＰ）による設計の指針となっていた１つのパフォーマンス指標であった。ＬＴＥは、以前の世代のモバイル無線技術よりも、インターネットへのより高速なアクセスと、より短いデータレイテンシとを提供するシステムであると、エンドユーザに認識されている。
【０００４】
パケットデータレイテンシが重要なのは、システムの知覚される応答性のためだけではない。パケットデータレイテンシはまた、システムのスループットに間接的に影響を与えるパラメータでもある。ＨＴＴＰ／ＴＣＰは、今日、インターネットで使用されている支配的なアプリケーションおよび伝送レイヤプロトコルスイートである。ＨＴＴＰアーカイブ（ｈｔｔｐ：／／ｈｔｔｐａｒｃｈｉｖｅ．ｏｒｇ／ｔｒｅｎｄｓ．ｐｈｐ）によれば、インターネットを介したＨＴＴＰベースのトランザクションの典型的なサイズは、数１０Ｋバイトから最大１Ｍバイトの範囲にある。このサイズ範囲では、ＴＣＰプロトコルのスロースタート期間は、パケットストリームの合計伝送期間のかなりの部分を占める。ＴＣＰのスロースタート中は、パフォーマンスは、レイテンシによって制限される。したがって、このタイプのＴＣＰベースのデータトランザクションでは、レイテンシの向上によって、平均スループットが向上することがかなり容易に示され得る。
【０００５】
無線リソース効率は、レイテンシの短縮によっても良い影響を受け得る。パケットデータのレイテンシを短くすると、一定の遅延制約内で可能な送信数が増加し得る。よって、データ送信のために、より高いブロック誤り率（ＢＬＥＲ）目標が使用され得、したがって、無線リソースを解放し、システムの容量を潜在的に向上させる。
【０００６】
パケットレイテンシの減少に関して対処すべき１つの分野は、ある事例においては「送信時間」間隔とも称される送信時間間隔（ＴＴＩ）の長さに対処することによる、データおよび制御シグナリングの伝送時間の短縮である。本議論の目的のために、ＴＴＩは、所与の送信に関して無線ノードに割り当てられた時間間隔として理解されるべきである。したがって、ＴＴＩは、送信に割り当てられた時間に関して、スケジューリング単位として理解され得る。ＬＴＥリリース８は、固定長のＴＴＩを使用し、ここで、ＴＴＩは、長さ１ミリ秒の１サブフレーム（ＳＦ）に対応する。１つのそのような１ミリ秒のＴＴＩは、通常のサイクリックプレフィックスの場合には、１４の直交周波数分割多重（ＯＦＤＭ）またはシングルキャリア周波数分割多元接続（ＳＣ−ＦＤＭＡ）シンボルを、拡張サイクリックプレフィックスの場合には、１２のＯＦＤＭまたはＳＣ−ＦＤＭＡシンボルを使用することによって構築される。ＬＴＥリリース１３では、３ＧＰＰのメンバは、ＬＴＥリリース８のＴＴＩよりはるかに短いＴＴＩを用いて送信を指定することに取り組んでいる。
【０００７】
これらのより短縮されたＴＴＩは、リリース８のＬＴＥ仕様で定義された１ミリ秒のサブフレーム内で、ある整数の数のＯＦＤＭまたはＳＣ−ＦＤＭＡシンボルに関して、任意の時間長を有することができる。一例として、短縮ＴＴＩにおける持続時間は、０．５ミリ秒、すなわち、通常のサイクリックプレフィックスを伴う場合については、７つのＯＦＤＭまたはＳＣ−ＦＤＭＡシンボルであり得る。別の例として、短縮ＴＴＩにおける持続時間は、２つのＯＦＤＭ／ＳＣ−ＦＤＭＡシンボルであり得る。
【０００８】
ＬＴＥシステムにおける４Ｇ無線アクセスは、ダウンリンクにおいてはＯＦＤＭ、およびアップリンクにおいては、ＳＣ−ＦＤＭＡとしても知られる離散フーリエ変換（ＤＦＴ）拡散ＯＦＤＭの使用に基づいている。（３ＧＰＰ  ＴＳ  ３６．２１１を参照。）ＤＦＴ拡散ＯＦＤＭの例示が図１に与えられる。ここでは、誤り検出符号（ＣＲＣ、巡回冗長検査）を計算するために、情報ビットが使用される。情報ビットおよびＣＲＣビットは、チャネル符号化され、レートマッチングされ、ＱＰＳＫ、１６ＱＡＭ、または６４ＱＡＭのような複素数値のシンボルに変調される。いくつかの制御エンティティに対応するシンボルと、ユーザデータペイロードに対応するシンボルとは、多重化され、ＤＦＴによってプリコーディング（変換プリコーディング）され、送信に割り当てられた周波数間隔へマッピングされ、時間領域に変換され、サイクリックプレフィックスと連結され、最終的に、オーバザエアで、無線ユニット（ＲＵ）を介して送信される。処理ブロックのいくつかの順序は、変更され得ることが理解されよう。たとえば、変調は、多重化の前ではなく、多重化の後に行われ得る。ＤＦＴ、マッピング、ＩＦＦＴおよびＣＰ挿入ステップから生じるシンボルは、ＳＣ−ＦＤＭＡシンボルとして示される。（３ＧＰＰ  ＴＳ  ３６．２１１、セクション５．６。）ＬＴＥリリース８内では、ＴＴＩは、通常、１４のそのようなＳＣ−ＦＤＭＡシンボルで構築される。
【０００９】
ＬＴＥアップリンクにおいて使用されるこのＤＦＴ拡散ＯＦＤＭは、ＯＦＤＭと比較して、著しく低いＰＡＰＲ（ピーク対平均電力比）を有する。低いＰＡＰＲを有することによって、送信機は、より単純でより少ないエネルギ消費の無線機器を装備することができる。これは、コストおよびバッテリ消費が重要な問題であるユーザデバイスにとって重要である。将来の５Ｇシステムでは、低いＰＡＰＲを有するこのシングルキャリア特性は、アップリンクのためだけでなく、ダウンリンクおよびデバイス間送信のためにも重要となり得る。
【００１０】
ＬＴＥアップリンクにおいて無線デバイスによって送信されるアップリンク制御情報（ＵＣＩ）は、ダウンリンクおよびアップリンク伝送チャネルにおけるデータ送信をサポートするために使用される。ＬＴＥにおけるＵＣＩは、以下を含む。ＵＥが、アップリンクデータ送信のためのアップリンクリソースを要求することを示すスケジューリング要求（ＳＲ）、物理ダウンリンク共有チャネル（ＰＤＳＣＨ）において受信されたデータ伝送ブロックをアクノレッジするために使用されるＨＡＲＱ  ＡＣＫ／ＮＡＣＫ、ならびに、チャネル品質インジケータ（ＣＱＩ）、プリコーディング行列インジケータ（ＰＭＩ）、およびランクインジケータ（ＲＩ）からなるチャネル状態情報（ＣＳＩ）レポート。ＣＳＩレポートは、ダウンリンクチャネル条件に関連し、ネットワークがダウンリンクチャネル依存スケジューリングを実行するのを支援するために使用される。
【００１１】
ＬＴＥでは、ＵＣＩを送信するために２つの異なる方法がサポートされている。第１に、無線デバイス（３ＧＰＰ用語での「ＵＥ」または「ユーザ機器」）が、有効なスケジューリンググラントを有していない場合、物理アップリンク制御チャネル（ＰＵＣＣＨ）が、ＵＣＩを送信するために使用される。しかしながら、ＵＥが、有効なスケジューリンググラントを有している場合、ＵＣＩは、低立方指標シングルキャリア特性を保持するために、ＤＦＴ拡散およびＯＦＤＭ変調の前に、物理アップリンク共有チャネル（ＰＵＳＣＨ）において、符号化されたアップリンク共有チャネル（ＵＬ−ＳＣＨ）と時間多重化される。
【００１２】
上記で述べたように、ＵＥが有効なスケジューリンググラントを有する場合、ＵＣＩはＰＵＳＣＨにおいてデータと時間多重化される。ＵＥはすでにスケジュールされているので、スケジューリング要求を送信する必要はなく、帯域内バッファステータスレポートが、ＭＡＣヘッダの一部として送信される。したがって、ＨＡＲＱ  ＡＣＫ／ＮＡＣＫおよびＣＳＩレポートのみが、ＰＵＳＣＨにおいて送信される必要がある。
【００１３】
図２は、データシンボルを用いたＣＱＩ／ＰＭＩ、ＲＩおよびＨＡＲＱ  ＡＣＫ／ＮＡＣＫのＰＵＳＣＨにおける時間多重化を図示する。これは、３ＧＰＰ  ＴＳ  ３６．２１２  ｖ１３．０．０および３ＧＰＰ  ＴＳ  ３６．２１１  ｖ１３．０．０に基づく。ここで、列インデクスｌ＝０、１、・・・、１３は、ＳＣ−ＦＤＭＡシンボルインデクスに対応し、例示された例では、ＬＴＥサブフレームの１４のＳＣ−ＦＤＭＡシンボルが図示されている。行インデクスｋ＝０、１、・・・、Ｍは、変換プリコーディング前のシンボルインデクスであり（３ＧＰＰ  ＴＳ  ３６．２１１におけるセクション５．３．３を参照）、ここで、ＭはＰＵＳＣＨに割り当てられたサブキャリアの数である。したがって、図２は、所与の無線デバイスに割り当てられたＳＣ−ＦＤＭＡ時間および周波数リソースへの、ＤＦＴ拡散前の変調されたシンボルのマッピングを例示するものとして理解され得、ここでは、各列が、ＳＣ−ＦＤＭＡシンボルを表し、各行が、送信のために、Ｍ個の割り当てられたサブキャリアにＤＦＴ拡散された一連のＭ個の複素数値シンボルを表す。
【００１４】
ＨＡＲＱ  ＡＣＫ／ＮＡＣＫまたはＨＡＲＱ  Ａ／Ｎと称されるハイブリッド自動再送要求（ＨＡＲＱ）アクノレッジメントおよび否定的なアクノレッジメントは、ダウンリンクの適切な動作のために重要である。したがって、ＨＡＲＱ  ＡＣＫ／ＮＡＣＫシンボルは、（シンボル３および１０のためのすべてのｋをカバーする）時間領域内の復調参照シンボル（ＤＭＲＳ）に近いＳＣ−ＦＤＭＡシンボル２、４、９、および１１に配置される。そのため、ＤＭＲＳから導出されたチャネル推定は、ＨＡＲＱ  ＡＣＫ／ＮＡＣＫに適用されるときに特に良好である。一般に、ＵＥが、ＰＤＣＣＨにおける何らかのダウンリンク割当を見逃す可能性はゼロではない。そのような場合、ＵＥからの実際のＨＡＲＱフィードバックペイロードは、ｅノードＢによって予想されるものとは異なる。そのような誤りの影響を回避するために、符号化されたＨＡＲＱ  ＡＣＫ／ＮＡＣＫシンボルが、ＰＵＳＣＨにおいて、符号化されたデータにパンクチャされる。
【００１５】
符号化されたランクインジケータ（ＲＩ）シンボルは、ＨＡＲＱ  ＡＣＫ／ＮＡＣＫシンボル位置の近くに配置されるので、ＤＭＲＳの近く（シンボル１、５、８、および１２）でもあり、特に良好なチャネル推定が、再びＲＩに適用されるようになる。これは、ＣＱＩ／ＰＭＩの復号が、ＲＩの正しい復号に依存しているという事実によって動機付けられている。
【００１６】
一方、ＣＱＩ／ＰＭＩは、全サブフレーム持続時間（シンボル０〜２、４〜９、および１１〜１３）にわたってマッピングされる。ＣＳＩレポートは、主に、低から中程度のドップラ周波数に有用であるので、ＣＱＩ／ＰＭＩの特別なマッピングはあまり目立たない。ＵＬ−ＳＣＨレートマッチングは、ＣＱＩ／ＰＭＩおよびＲＩの存在を考慮する。ＲＩは、ランクインジケーションと、ＣＳＩ−ＲＳリソースインジケーション（ＣＲＩ）との両方を含むことに留意されたい。
【発明の概要】
【００１７】
ＰＵＳＣＨにおいてＵＣＩとデータを多重化する既存の手法は、１ミリ秒の固定長を有するＴＴＩ用に設計されている。パケットレイテンシを低減するために、ＬＴＥの基本的なＳＣ−ＦＤＭＡフレームワークをなお使用しながら、より短縮されたＴＴＩを有することが望ましい。より短縮されたＴＴＩにおけるアップリンク送信は、短縮物理アップリンク共有チャネル、すなわちｓＰＵＳＣＨと称され得る。ここで使用されているように、「ＴＴＩ」という用語は、ＳＣ−ＦＤＭＡフレームワークへマッピングされるように、信号送信自体を称するために使用され得、この送信は、ＬＴＥにおける固定ＴＴＩ長さとは異なる長さを有し得ることに留意されたい。したがって、「送信」および「ＴＴＩ」という用語は、以下の議論において互換的に使用され得る。
【００１８】
７シンボルのＴＴＩ長さに対して、１スロット（０．５ミリ秒；半サブフレーム）でＬＴＥによって現在使用されている多重化方法が、再使用され得る。図２に見られるように、このアプローチは、ユーザデータ（ＵＬ−ＳＣＨデータ）のためのリソースに加えて、ＨＡＲＱ  ＡＣＫ／ＮＡＣＫ、ＲＩ、ＣＱＩ／ＰＭＩ、およびＤＭＲＳのためのリソースを提供する。しかしながら、ＴＴＩ長さが７シンボル未満の場合、ＵＣＩのために使用されるいくつかのＳＣ−ＦＤＭＡシンボルは、利用不可能になる可能性がある。それに加えて、ｓＰＵＳＣＨのＤＭＲＳ位置は変化され得るので、既存のＵＣＩマッピングルールはもはや適用できない。したがって、ｓＰＵＳＣＨにおけるＵＣＩ送信は、再設計される必要がある。
【００１９】
本明細書で開示されるものは、短縮されたＴＴＩを用いてＰＵＳＣＨにおいてＵＣＩおよびデータを多重化するいくつかの手法である。特に、ＰＵＳＣＨのために異なる短縮ＴＴＩ長さおよび異なるＤＭＲＳ設定を考慮することによって、異なるＵＣＩマッピングソリューションが提供される。
【００２０】
ここで開示された技術の実施形態は、送信におけるユーザデータが、ユーザデータの前に送信されるＤＭＲＳに、または、ユーザデータの後に送信されたＤＭＲＳに、時間的に最も近くなるかの判定に基づいて、送信におけるユーザデータに対して、ＴＴＩおよび事前ＤＦＴシンボルのより早いまたはより遅いＳＣ−ＦＤＭＡシンボルへ、ＨＡＲＱ  ＡＣＫ／ＮＡＣＫデータをマッピングすることを含む。他の実施形態は、対応するデマッピングを含む。
【００２１】
いくつかの実施形態によれば、ＳＣ−ＦＤＭＡ信号としての、制御情報およびユーザデータの複数の送信の各々について、ＴＴＩ内に制御情報をマッピングする送信デバイスにおける方法であり、各送信は、１つまたは複数のＳＣ−ＦＤＭＡシンボルを備え、各送信における制御情報は、少なくともＨＡＲＱ  ＡＣＫ／ＮＡＣＫデータを備える、方法である。この方法は、各送信について、送信において送信されるユーザデータが、ユーザデータの前に送信されるＤＭＲＳに、または、ユーザデータの後に送信されたＤＭＲＳに、時間的に最も近くなるかを判定することを含む。この方法は、送信において送信されるユーザデータが、ユーザデータの前に送信されるＤＭＲＳに時間的に最も近くなる複数の送信の各々について、送信のためのすべてのＨＡＲＱ  ＡＣＫ／ＮＡＣＫデータを、送信においてユーザデータを搬送する時間的に最も早いＳＣ−ＦＤＭＡシンボルへ、および、このＳＣ−ＦＤＭＡシンボルに対応し、ユーザデータの前に送信されるＤＭＲＳに時間的に最も近い事前ＤＦＴシンボルへマッピングすることを含む。この方法はまた、送信において送信されるユーザデータが、ユーザデータの後に送信されたＤＭＲＳに時間的に最も近くなる複数の送信の各々について、送信のためのすべてのＨＡＲＱ  ＡＣＫ／ＮＡＣＫデータを、送信においてユーザデータを搬送する時間的に最後のＳＣ−ＦＤＭＡシンボルへ、および、このＳＣ−ＦＤＭＡシンボルに対応し、ユーザデータの後に送信されたＤＭＲＳに時間的に最も近い事前ＤＦＴシンボルへマッピングすることを含む。方法はさらに、複数の送信の各々について、ＨＡＲＱ  ＡＣＫ／ＮＡＣＫデータのマッピングに基づいて、送信のためのユーザデータおよび制御情報から、ＳＣ−ＦＤＭＡ信号を形成することを含む。これは、ＤＭＲＳが送信時間間隔の固定シンボル位置で送信されない短縮ＴＴＩについては、ＨＡＲＱ  ＡＣＫ／ＮＡＣＫデータが、ＤＭＲＳの近くで送信され、場合によっては、ユーザデータが送信されるＴＴＩで送信されないので、ＨＡＲＱ  ＡＣＫ／ＮＡＣＫは、最新のＤＭＲＳに基づいて復号され得るという利点を提供する。これはまた、変化するチャネル条件を考慮して、より正確な復号結果を提供する。いくつかの実施形態では、送信のうちの１つまたは複数はまた、ＲＩデータ、および／またはＣＱＩデータを含み得、これらのデータを送信にマッピングするためのルールも、本明細書に記述されている。
【００２２】
いくつかの態様では、この方法はさらに、２つ以上のＳＣ−ＦＤＭＡシンボルがユーザデータを搬送する、１つまたは複数の送信の各々について、送信のためのランクインジケータ（ＲＩ）データを、ユーザデータを搬送し、ＨＡＲＱ  ＡＣＫ／ＮＡＣＫデータがマッピングされたＳＣ−ＦＤＭＡシンボルに時間的に直接隣接しているＳＣ−ＦＤＭＡシンボルへ、および、この隣接しているＳＣ−ＦＤＭＡシンボルに対応し、送信のユーザデータに時間的に最も近いＤＭＲＳに可能な限り近い事前ＤＦＴシンボルへ、マッピングすることを備える。
【００２３】
いくつかの態様では、この方法はさらに、１つまたは複数の送信の各々について、ＨＡＲＱ  ＡＣＫ／ＮＡＣＫデータに割り当てられたあらかじめ決定された最大数の事前ＤＦＴシンボルが与えられると、送信のためのランクインジケータ（ＲＩ）データを、ＨＡＲＱ  ＡＣＫ／ＮＡＣＫデータがマッピングされた同じＳＣ−ＦＤＭＡシンボルへ、および、ＨＡＲＱ  ＡＣＫ／ＮＡＣＫデータがマッピングされた事前ＤＦＴシンボルへ可能な限り近い事前ＤＦＴシンボルへ、マッピングすることを備える。
【００２４】
他の態様では、この方法はさらに、１つまたは複数の送信の各々について、送信の複数のＳＣ−ＦＤＭＡシンボルが、ユーザデータを搬送するべきか否かを判定することを備える。１つのＳＣ−ＦＤＭＡシンボルのみがユーザデータを搬送する１つまたは複数の送信の各々について、送信／ＴＴＩのためのランクインジケータ（ＲＩ）データが、ＨＡＲＱ  ＡＣＫ／ＮＡＣＫデータがマッピングされた同じＳＣ−ＦＤＭＡシンボルへ、および、この同じＳＣ−ＦＤＭＡシンボルに対応するが、送信のユーザデータに時間的に最も近いＤＭＲＳから可能な限り遠くにある事前ＤＦＴシンボルへ、マッピングされる。２つ以上のＳＣ−ＦＤＭＡシンボルがユーザデータを搬送する１つまたは複数の送信の各々について、送信のためのＲＩデータは、ユーザデータを搬送し、ＨＡＲＱ  ＡＣＫ／ＮＡＣＫデータがマッピングされたＳＣ−ＦＤＭＡシンボルに時間的に直接隣接しているＳＣ−ＦＤＭＡシンボルへ、および、この隣接しているＳＣ−ＦＤＭＡシンボルに対応し、送信のユーザデータに時間的に最も近いＤＭＲＳに可能な限り近い事前ＤＦＴシンボルへ、マッピングされる。
【００２５】
いくつかの態様では、この方法はさらに、複数のＳＣ−ＦＤＭＡシンボルがユーザデータを搬送する１つまたは複数の送信の各々について、送信のためのチャネル品質インジケータ（ＣＱＩ）データを、ユーザデータを搬送する２つ以上のＳＣ−ＦＤＭＡシンボルへ、可能な限り均等にマッピングすることを備える。
【００２６】
他の態様では、この方法はさらに、２つ以上のＳＣ−ＦＤＭＡシンボルがユーザデータを搬送する１つまたは複数の送信の各々について、送信のためのチャネル品質インジケータ（ＣＱＩ）データを、送信のためのユーザデータを搬送する第１のＳＣ−ＦＤＭＡシンボルに対応する事前ＤＦＴシンボルへ、可能な限りマッピングすることと、残りすべてのＣＱＩデータを、送信の１つまたは複数の後続するＳＣ−ＦＤＭＡシンボルへマッピングすることとを備える。
【００２７】
いくつかの実施形態によれば、送信装置は、ＳＣ−ＦＤＭＡ信号としての、制御情報およびユーザデータの複数の送信の各々について、ＴＴＩ内に制御情報をマッピングするように設定され、複数の送信の各々は、１つまたは複数のＳＣ−ＦＤＭＡシンボルを備え、制御情報は、複数の送信の各々について、少なくともＨＡＲＱ  ＡＣＫ／ＮＡＣＫデータを備え、送信装置は、複数の送信の各々について、送信において送信されるユーザデータが、ユーザデータの前に送信されるＤＭＲＳへ、または、ユーザデータの後に送信されたＤＭＲＳへ、時間的に最も近くなるかを判定するように設定された処理回路構成を含む。処理回路構成は、送信において送信されるユーザデータが、ユーザデータの前に送信されるＤＭＲＳに時間的に最も近くなるであろう複数の送信の各々について、送信のためのすべてのＨＡＲＱ  ＡＣＫ／ＮＡＣＫデータを、送信においてユーザデータを搬送する時間的に最も早いＳＣ−ＦＤＭＡシンボルへ、および、このＳＣ−ＦＤＭＡシンボルに対応し、ユーザデータの前に送信されるＤＭＲＳに時間的に最も近い事前ＤＦＴシンボルへ、マッピングするように設定される。処理回路構成はまた、送信において送信されるユーザデータが、ユーザデータの後に送信されたＤＭＲＳに時間的に最も近くなる複数の送信の各々について、送信のためのすべてのＨＡＲＱ  ＡＣＫ／ＮＡＣＫデータを、送信においてユーザデータを搬送する時間的に最後のＳＣ−ＦＤＭＡシンボルへ、および、このＳＣ−ＦＤＭＡシンボルに対応し、ユーザデータの後に送信されたＤＭＲＳに時間的に最も近い事前ＤＦＴシンボルへ、マッピングするように設定される。処理回路構成は、ＨＡＲＱ  ＡＣＫ／ＮＡＣＫデータのマッピングに基づいて、複数の送信の各々について、送信のためのユーザデータおよび制御情報から、ＳＣ−ＦＤＭＡ信号を形成するように設定される。送信装置はまた、ＳＣ−ＦＤＭＡ信号を送信するように設定された送信回路構成を含む。これは、ＤＭＲＳが送信時間間隔の固定シンボル位置で送信されない短縮ＴＴＩについては、ＨＡＲＱ  ＡＣＫ／ＮＡＣＫデータが、ＤＭＲＳの近くで送信され、場合によっては、ユーザデータが送信されるＴＴＩで送信されないので、受信機は、最新のＤＭＲＳに基づいてＨＡＲＱ  ＡＣＫ／ＮＡＣＫを復号できるという利点を提供する。これはまた、変化するチャネル条件を考慮して、より正確な復号結果を提供する。送信装置の例は、無線デバイスまたはユーザ機器（ＵＥ）である。繰り返すが、いくつかの実施形態では、送信の１つまたは複数はまた、ＲＩデータおよび／またはＣＱＩデータを含み得る。これらのデータを送信へマッピングするように設定された送信装置もまた、本明細書に記述される。
【００２８】
いくつかの実施形態によれば、ＳＣ−ＦＤＭＡ信号として受信された制御情報およびユーザデータの複数の送信の各々について、送信内から制御情報をデマッピングする受信デバイスにおける方法であって、ここでは、複数の送信の各々が、１つまたは複数のＳＣ−ＦＤＭＡシンボルを備え、制御情報が、複数の送信の各々について、少なくともＨＡＲＱ  ＡＣＫ／ＮＡＣＫデータを備える、方法が、複数の送信の各々について、ＳＣ−ＦＤＭＡ信号を受信することを含む。この方法はまた、複数の送信の各々について、送信において受信されたユーザデータが、ユーザデータの前に送信されるＤＭＲＳに、または、ユーザデータの後に送信されたＤＭＲＳに、時間的に最も近いかを判定することを含む。この方法は、送信において受信されたユーザデータが、ユーザデータの前に送信されるＤＭＲＳに時間的に最も近い複数の送信の各々について、送信のためのすべてのＨＡＲＱ  ＡＣＫ／ＮＡＣＫデータを、送信においてユーザデータを搬送する時間的に最も早いＳＣ−ＦＤＭＡシンボルから、およびこのＳＣ−ＦＤＭＡシンボルに対応し、ユーザデータの前に送信されるＤＭＲＳに時間的に最も近い事後逆拡散シンボルから、デマッピングすることを含む。この方法はまた、送信において受信されたユーザデータが、ユーザデータの後に送信されたＤＭＲＳに時間的に最も近い複数の送信の各々について、送信のためのすべてのＨＡＲＱ  ＡＣＫ／ＮＡＣＫデータを、送信においてユーザデータを搬送する時間的に最後のＳＣ−ＦＤＭＡシンボルから、およびこのＳＣ−ＦＤＭＡシンボルに対応し、ユーザデータの後に送信されたＤＭＲＳに時間的に最も近い事後逆拡散シンボルから、デマッピングすることを含む。これは、ＤＭＲＳが送信時間間隔の固定シンボル位置で受信されない短縮ＴＴＩについて、ＨＡＲＱ  ＡＣＫ／ＮＡＣＫデータが、ＤＭＲＳの近くで受信され、場合によっては、ユーザデータが受信されたＴＴＩで受信されないので、受信機は、最新のＤＭＲＳに基づいてＨＡＲＱ  ＡＣＫ／ＮＡＣＫを復号できるという利点を提供する。これはまた、変化するチャネル条件を考慮して、より正確な復号結果を提供する。
【００２９】
いくつかの実施形態によれば、受信装置は、ＳＣ−ＦＤＭＡ信号として受信された制御情報およびユーザデータの複数の送信の各々について、ＴＴＩ内から制御情報をデマッピングするように設定され、複数の送信の各々は、１つまたは複数のＳＣ−ＦＤＭＡシンボルを備え、制御情報は、複数の送信の各々について少なくともＨＡＲＱ  ＡＣＫ／ＮＡＣＫデータを備え、受信装置は、複数の送信の各々について、ＳＣ−ＦＤＭＡ信号を受信するように設定された受信回路構成を含む。受信装置はまた、複数の送信の各々について、送信において受信されたユーザデータが、ユーザデータの前に送信されるＤＭＲＳに、または、ユーザデータの後に送信されたＤＭＲＳに、時間的に最も近いかを判定するように設定された処理回路構成を含む。処理回路構成は、送信において受信されたユーザデータが、ユーザデータの前に送信されるＤＭＲＳに時間的に最も近い複数の送信の各々について、送信においてユーザデータを搬送する時間的に最も早いＳＣ−ＦＤＭＡシンボルから、および、このＳＣ−ＦＤＭＡシンボルに対応し、ユーザデータの前に送信されるＤＭＲＳに時間的に最も近い事後逆拡散シンボルから、送信のためのすべてのＨＡＲＱ  ＡＣＫ／ＮＡＣＫデータをデマッピングするように設定される。処理回路構成はまた、送信において受信されたユーザデータが、ユーザデータの後に送信されたＤＭＲＳに時間的に最も近い複数の送信の各々について、送信においてユーザデータを搬送する時間的に最後のＳＣ−ＦＤＭＡシンボルから、および、ユーザデータの後に送信されたＤＭＲＳに時間的に最も近い事後逆拡散シンボルから、送信のためのすべてのＨＡＲＱ  ＡＣＫ／ＮＡＣＫデータをデマッピングするように設定される。これは、ＤＭＲＳが送信時間間隔の固定シンボル位置で受信されない短縮ＴＴＩについては、ＨＡＲＱ  ＡＣＫ／ＮＡＣＫデータが、ＤＭＲＳの近くで受信され、場合によっては、ユーザデータが受信されたＴＴＩで受信されないので、受信機は、最新のＤＭＲＳに基づいてＨＡＲＱ  ＡＣＫ／ＮＡＣＫを復号できるという利点を提供する。これはまた、変化するチャネル条件を考慮して、より正確な復号結果を提供する。
【００３０】
別の実施形態では、送信装置は、シングルキャリア周波数分割多元接続（ＳＣ−ＦＤＭＡ）信号としての、制御情報およびユーザデータの複数の送信の各々について、制御情報を、送信時間間隔（ＴＴＩ）内にマッピングするように設定され、複数の送信の各々は、１つまたは複数のＳＣ−ＦＤＭＡシンボルを備え、各送信の制御情報は、少なくともハイブリッド自動再送要求（ＨＡＲＱ）ＡＣＫ／ＮＡＣＫデータを備える。この装置は、複数の送信の各々について、送信において送信されるユーザデータが、ユーザデータの前に送信されるＤＭＲＳへ、または、ユーザデータの後に送信されたＤＭＲＳへ、時間的に最も近くなるかを判定するための判定モジュールを備える。この装置はさらに、送信において送信されるユーザデータが、ユーザデータの前に送信されるＤＭＲＳに時間的に最も近くなる複数の送信の各々について、送信のためのすべてのＨＡＲＱ  ＡＣＫ／ＮＡＣＫデータを、送信においてユーザデータを搬送する時間的に最も早いＳＣ−ＦＤＭＡシンボルへ、および、このＳＣ−ＦＤＭＡシンボルに対応し、ユーザデータの前に送信されるＤＭＲＳに時間的に最も近い事前ＤＦＴシンボルへ、マッピングするためのマッピングモジュールを備える。マッピングモジュールはまた、送信において送信されるユーザデータが、ユーザデータの後に送信されたＤＭＲＳに時間的に最も近くなる複数の送信の各々について、送信のためのすべてのＨＡＲＱ  ＡＣＫ／ＮＡＣＫデータを、送信においてデータを搬送する時間的に最後のＳＣ−ＦＤＭＡシンボルへ、および、このＳＣ−ＦＤＭＡシンボルに対応し、ユーザデータの後に送信されたＤＭＲＳに時間的に最も近い事前ＤＦＴシンボルへ、マッピングするためのものである。この装置はさらに、複数の送信の各々について、ＨＡＲＱ  ＡＣＫ／ＮＡＣＫデータのマッピングに基づいて、送信のためのユーザデータおよび制御情報から、ＳＣ−ＦＤＭＡ信号を形成するための信号形成モジュールを備える。
【００３１】
別の実施形態では、受信装置は、シングルキャリア周波数分割多元接続（ＳＣ−ＦＤＭＡ）信号として受信された制御情報およびユーザデータの複数の送信の各々について、送信時間間隔（ＴＴＩ）内から制御情報をデマッピングするように設定され、ここで、複数の送信の各々は、１つまたは複数のＳＣ−ＦＤＭＡシンボルを備え、各送信の制御情報は、少なくともハイブリッド自動再送要求（ＨＡＲＱ）ＡＣＫ／ＮＡＣＫデータを備える。この装置は、複数の送信の各々について、ＳＣ−ＦＤＭＡ信号を受信するための受信モジュールを備える。この装置はさらに、複数の送信の各々について、送信において受信されたユーザデータが、ユーザデータの前に送信されるＤＭＲＳに、または、ユーザデータの後に送信されたＤＭＲＳに、時間的に最も近いかを判定するための判定モジュールを備える。この装置はさらに、送信において受信されたユーザデータが、ユーザデータの前に送信されるＤＭＲＳに時間的に最も近い複数の送信の各々について、送信においてユーザデータを搬送する時間的に最も早いＳＣ−ＦＤＭＡシンボルから、および、このＳＣ−ＦＤＭＡシンボルに対応し、ユーザデータの前に送信されるＤＭＲＳに時間的に最も近い事後逆拡散シンボルから、送信のためのすべてのＨＡＲＱ  ＡＣＫ／ＮＡＣＫデータをデマッピングするためのデマッピングモジュールを備える。デマッピングモジュールはまた、送信において受信されたユーザデータが、ユーザデータの後に送信されたＤＭＲＳに時間的に最も近い複数の送信の各々について、送信においてデータを搬送する時間的に最後のＳＣ−ＦＤＭＡシンボルから、および、このＳＣ−ＦＤＭＡシンボルに対応し、ユーザデータの後に送信されたＤＭＲＳに時間的に最も近い事後逆拡散シンボルから、送信のためのすべてのＨＡＲＱ  ＡＣＫ／ＮＡＣＫデータをデマッピングするためのものである。
【００３２】
本発明のさらなる態様は、上記に概要を示した方法に対応する装置、コンピュータプログラム製品、またはコンピュータ可読記憶媒体、ならびに上記に概要を示した装置および無線デバイスの機能的実施に関する。
【００３３】
もちろん、本発明は上記の特徴および利点に限定されない。当業者は、以下の詳細説明を読み、添付図面を見ることにより、さらなる特徴および利点を認識するであろう。
【図面の簡単な説明】
【００３４】
【図１】ＤＦＴ拡散ＯＦＤＭまたはＳＣ−ＦＤＭＡの例を例示する図である。
【図２】ＰＵＳＣＨにおけるＵＣＩおよびデータの時間多重化を例示する図である。
【図３】２シンボルｓＰＵＳＣＨにおけるＵＣＩ、ＤＭＲＳ、およびデータの多重化を例示する図である。いくつかの実施形態によれば、ｓＰＵＳＣＨは、ＤＭＲＳ＋データで設定される。
【図４】２シンボルｓＰＵＳＣＨにおけるＵＣＩ、ＤＭＲＳ、およびデータの多重化を例示する図である。いくつかの実施形態によれば、ｓＰＵＳＣＨは、データ＋ＤＭＲＳで設定される。
【図５】２シンボルｓＰＵＳＣＨにおけるＵＣＩ、ＤＭＲＳ、およびデータの代替的な多重化を例示する図である。いくつかの実施形態によれば、ｓＰＵＳＣＨは、データ＋ＤＭＲＳで設定される。
【図６】データ＋データで設定された２シンボルｓＰＵＳＣＨにおけるＵＣＩおよびデータの多重化を例示する図であり、ここでは、いくつかの実施形態にしたがって、時間領域において最も近いＤＭＲＳが、前のｓＰＵＳＣＨにおいて送信される。
【図７】データ＋データで設定された２シンボルｓＰＵＳＣＨにおけるＵＣＩおよびデータの多重化のためのレイテンシ最適化された代替例を例示する図であり、ここでは、いくつかの実施形態にしたがって、時間領域において最も近いＤＭＲＳが、前のｓＰＵＳＣＨにおいて送信される。
【図８】データ＋データで設定された２シンボルｓＰＵＳＣＨにおけるＵＣＩおよびデータの多重化を例示する図であり、ここでは、いくつかの実施形態にしたがって、時間領域において最も近いＤＭＲＳが、このｓＰＵＳＣＨの後に送信される。
【図９】データ＋データで設定された２シンボルｓＰＵＳＣＨにおけるＵＣＩおよびデータの多重化を例示する図であり、ここでは、いくつかの実施形態にしたがって、時間領域において最も近いＤＭＲＳが、このｓＰＵＳＣＨの後に送信される。
【図１０】データ＋ＳＲＳで設定された２シンボルｓＰＵＳＣＨにおけるＵＣＩ、データ、およびＳＲＳの多重化を例示する図であり、ここでは、いくつかの実施形態にしたがって、時間領域において最も近いＤＭＲＳが、このｓＰＵＳＣＨの前に送信される。
【図１１】いくつかの実施形態にしたがって、ＤＭＲＳ＋データ＋データで設定された３シンボルｓＰＵＳＣＨにおけるＵＣＩ、ＤＭＲＳ、およびデータの多重化を例示する図である。
【図１２】いくつかの実施形態にしたがって、ＤＭＲＳ＋データ＋データで設定された３シンボルｓＰＵＳＣＨにおけるＵＣＩ、ＤＭＲＳ、およびデータのレイテンシ最適化された多重化を例示する図である。
【図１３】いくつかの実施形態にしたがって、ＤＭＲＳ＋データ＋ＳＲＳで設定された３シンボルｓＰＵＳＣＨにおけるＵＣＩ、ＤＭＲＳ、データ、およびＳＲＳの多重化を例示する図である。
【図１４】いくつかの実施形態にしたがって、データ＋データ＋ＤＭＲＳで設定された３シンボルｓＰＵＳＣＨにおけるＵＣＩ、ＤＭＲＳ、およびデータの多重化を例示する図である。
【図１５】いくつかの実施形態にしたがって、データ＋データ＋ＤＭＲＳで設定された３シンボルｓＰＵＳＣＨにおけるＵＣＩ、ＤＭＲＳ、およびデータの代替多重化を例示する図である。
【図１６】データ＋データ＋データで設定された３シンボルｓＰＵＳＣＨにおけるＵＣＩおよびデータの多重化を例示する図であり、ここでは、いくつかの実施形態にしたがって、時間領域において最も近いＤＭＲＳが、このｓＰＵＳＣＨの前に送信される。
【図１７】データ＋データ＋ＳＲＳで設定された３シンボルｓＰＵＳＣＨにおけるＵＣＩおよびデータの多重化を例示する図であり、ここでは、いくつかの実施形態にしたがって、時間領域において最も近いＤＭＲＳが、このｓＰＵＳＣＨの前に送信される。
【図１８】いくつかの実施形態にしたがって、ＤＭＲＳ＋データ＋データ＋データで設定された４シンボルｓＰＵＳＣＨにおけるＵＣＩおよびデータの多重化を例示する図である。
【図１９】いくつかの実施形態にしたがって、ＤＭＲＳ＋データ＋データ＋データで設定された４シンボルｓＰＵＳＣＨにおけるＵＣＩおよびデータのレイテンシ最適化された多重化を例示する図である。
【図２０】いくつかの実施形態にしたがって、ＤＭＲＳ＋データ＋データ＋ＳＲＳで設定された４シンボルｓＰＵＳＣＨにおけるＵＣＩおよびデータの多重化を例示する図である。
【図２１】いくつかの実施形態にしたがって、データ＋データ＋データ＋ＤＭＲＳで設定された４シンボルｓＰＵＳＣＨにおけるＵＣＩ、ＤＭＲＳ、およびデータの多重化を例示する図である。
【図２２】いくつかの実施形態にしたがって、データ＋データ＋データ＋ＤＭＲＳで設定された４シンボルｓＰＵＳＣＨにおけるＵＣＩ、ＤＭＲＳ、およびデータの代替多重化を例示する図である。
【図２３】データ＋データ＋データ＋データで設定された４シンボルｓＰＵＳＣＨにおけるＵＣＩおよびデータの多重化を例示する図であり、ここでは、いくつかの実施形態にしたがって、時間領域において最も近いＤＭＲＳが、このｓＰＵＳＣＨの前に送信される。
【図２４】データ＋データ＋データ＋データで設定された４シンボルｓＰＵＳＣＨにおけるＵＣＩおよびデータの多重化を例示する図であり、ここでは、いくつかの実施形態にしたがって、時間領域において最も近いＤＭＲＳが、このｓＰＵＳＣＨの前に送信される。
【図２５】データ＋データ＋データ＋ＳＲＳで設定された４シンボルｓＰＵＳＣＨにおけるＵＣＩ、データ、およびＳＲＳの多重化を例示する図であり、ここでは、いくつかの実施形態にしたがって、時間領域において最も近いＤＭＲＳが、このｓＰＵＳＣＨの前に送信される。
【図２６】７シンボルｓＰＵＳＣＨにおけるＵＣＩおよびデータの多重化を例示する図であり、ここでは、いくつかの実施形態にしたがって、レガシーＤＭＲＳ位置が再使用される。
【図２７】７シンボルｓＰＵＳＣＨにおけるＵＣＩおよびデータの多重化を例示する図であり、ここでは、いくつかの実施形態にしたがって、ＤＭＲＳが、第１のＳＣ−ＦＤＭＡシンボルに配置され、ＵＣＩが、後続するＳＣ−ＦＤＭＡシンボルへマッピングされる。
【図２８】いくつかの実施形態にしたがって、ＤＭＲＳが第１のＳＣ−ＦＤＭＡシンボルに配置され、大きなＰＭＩ／ＣＱＩペイロードがある場合の７シンボルｓＰＵＳＣＨにおけるＵＣＩおよびデータの多重化を例示する図である。
【図２９】７シンボルｓＰＵＳＣＨにおけるＵＣＩおよびデータの多重化を例示する図であり、ここでは、いくつかの実施形態にしたがって、第１および第６のＳＣ−ＦＤＭＡシンボルが、ＤＭＲＳのために使用され、残りのシンボルが、データのために使用される。
【図３０】いくつかの実施形態にしたがって、ｓＰＵＳＣＨがデータを搬送しない場合の２シンボルｓＰＵＳＣＨおよび３シンボルｓＰＵＳＣＨにおけるＵＣＩのマッピングの例を例示する図である。
【図３１】いくつかの実施形態にしたがって、異なるｓＴＴＩ長さのための異なるマッピングを用いた、短縮ＴＴＩ  ＰＵＳＣＨ上におけるＲＩおよびＨＡＲＱ−Ａ／Ｎの配置のためのフローチャートである。
【図３２】いくつかの実施形態にしたがって、すべてのｓＴＴＩ長さのための均一なマッピングを用いた、短縮ＴＴＩ  ＰＵＳＣＨにおけるＲＩおよびＨＡＲＱ−Ａ／Ｎの配置のためのフローチャートである。
【図３３】いくつかの実施形態にしたがって、送信デバイスとして動作するように設定されたユーザ機器のブロック図である。
【図３４】いくつかの実施形態にしたがって、ＨＡＲＱ  ＡＣＫ／ＮＡＣＫデータを、ＴＴＩおよび事前ＤＦＴシンボルのより早いまたはより遅いＳＣ−ＦＤＭＡシンボルへマッピングする方法を示す図である。
【図３５】いくつかの実施形態にしたがって、受信デバイスとして動作するように設定されたネットワークノードのブロック図である。
【図３６】いくつかの実施形態にしたがって、対応するデマッピング方法を例示する図である。
【図３７】いくつかの実施形態にしたがって、送信デバイスとして動作するように設定されたネットワークノードの機能的実施を例示するブロック図である。
【図３８】いくつかの実施形態にしたがって、送信デバイスとして動作するように設定されたユーザ機器の機能的実施を例示するブロック図である。
【図３９】いくつかの実施形態にしたがって、受信デバイスとして動作するように設定されたネットワークノードの機能的実施を例示するブロック図である。
【図４０】いくつかの実施形態にしたがって、受信デバイスとして動作するように設定されたユーザ機器の機能的実施を例示するブロック図である。
【発明を実施するための形態】
【００３５】
以下の議論は、制御情報（たとえば、アップリンク制御情報すなわちＵＣＩを含む）を、短縮された送信時間間隔（ＴＴＩ）でＳＣ−ＦＤＭＡ信号によって送信される（ＰＵＳＣＨのような）共有チャネルに多重化するいくつかの手法である。特に、共有チャネルのための異なる短縮ＴＴＩ長さおよび異なる復調用参照信号（ＤＭＲＳ）設定を考慮することによって、異なるマッピングソリューションが提供される。記述されたソリューションは、ＨＡＲＱ  ＡＣＫ／ＮＡＣＫデータのような特定の制御情報の信頼できる受信の必要性を考慮しながら、改善されたレイテンシを得るために、短縮されたＴＴＩで共有チャネル上のアップリンク制御信号の送信を可能にする。
【００３６】
上記の背景技術の項で議論されたように、無線システムにおけるレイテンシを短縮するための１つの手法は、ＴＴＩ長さを短縮することである。しかしながら、アップリンク送信のようにＴＴＩの長さが短縮されるとき、短縮ＴＴＩ毎に１つまたは複数のＳＣ−ＦＤＭＡシンボルと共にＤＭＲＳを送信すると、オーバヘッドが増加し、対応してデータレートが低下する。
【００３７】
オーバヘッドを低減するために、１つの可能なアプローチは、異なる送信機からのユーザデータが、別個のＳＣ−ＦＤＭＡシンボルにおいて送信されている一方で、いくつかの送信機からの参照信号を、同じＳＣ−ＦＤＭＡシンボルに多重化することである。ダウンリンクにおいて適用され得る別の可能なアプローチ、たとえば、短縮物理ダウンリンク共有チャネル（ＰＤＳＣＨ）すなわちｓＰＤＳＣＨにしたがって、同じＵＥへの最近のＤＭＲＳ送信が発生した場合、送信は必ずしもＤＭＲＳを含まない。このアプローチによれば、ダウンリンクの短縮ＴＴＩにおけるＤＭＲＳの存在は、短縮ＰＤＣＣＨにおいてシグナルされるか、またはＤＭＲＳが存在するか否かという２つの仮定の下で、ＵＥが送信をブラインドで復号しようと試みる。この動的なＤＭＲＳ挿入アプローチはまた、短縮ＴＴＩ内のアップリンク送信のためにＰＵＳＣＨに適用され得る。本明細書で使用される「ＴＴＩ」という用語は、ＳＣ−ＦＤＭＡフレームワークへマッピングされるような送信を称することに留意されたい。したがって、「短縮ＴＴＩ」は、１２シンボルまたは１４シンボルの１ミリ秒のサブフレームである標準長さのＬＴＥ送信よりも（ＳＣ−ＦＤＭＡシンボルの数に関して）短い送信を称する。
【００３８】
ＬＴＥのコンテキストでは、いくつかの異なる短縮ＴＴＩ長さを有する、ＰＵＳＣＨのためのアップリンクの短縮ＴＴＩパターンを提供することが望ましい。参照シンボルおよびデータシンボルをどこに配置するかという問題を取り扱うための１つのアプローチは、各サブフレームについて、ＰＵＳＣＨのためにあらかじめ定義された、いくつかの短縮ＴＴＩの各々について、参照シンボルおよびデータシンボルの位置を固定することである。本明細書に記述された技術は、より柔軟なアプローチを提供する。
【００３９】
以下の議論を通して、短縮ＰＵＳＣＨ（ｓＰＵＳＣＨ）という用語は、短縮ＴＴＩ／送信を有するアップリンク物理共有チャネルを示すために使用される。本明細書で記述される制御情報はまた、アップリンク制御情報（ＵＣＩ）とも称されるであろう。しかしながら、開示された技術は、この名称で知られているチャネルに限定されず、必ずしもアップリンク送信情報およびアップリンク制御情報に限定されないことが認識されるだろう。
【００４０】
以下および添付の図面に詳述されているのは、たとえばＵＣＩおよびｓＰＵＳＣＨにおけるデータのような制御情報を時間多重化するいくつかの方法である。多重化方法のいくつかは、以下のルールに基づいて設計される。
【００４１】
ＨＡＲＱ  ＡＣＫ／ＮＡＣＫのためのマッピングルール。ＨＡＲＱ  ＡＣＫ／ＮＡＣＫは、良好なチャネル推定を得るために、可能な限りＤＭＲＳに近いように（ＳＣ−ＦＤＭＡシンボルのＤＦＴ拡散の前に）時間領域サンプルに配置される。本明細書における他の箇所では、図１におけるＤＦＴブロックの入力に提供される時系列サンプルであるこれらの時間領域サンプルは、「事前ＤＦＴシンボル」と称され得ることに留意されたい。これらの時間領域シンボルは、これらの時間領域シンボルがＤＭＲＳを搬送するシンボルに続くＳＣ−ＦＤＭＡシンボルへマッピングされるか、または、ＤＭＲＳを搬送するシンボルに先行するＳＣ−ＦＤＭＡシンボルへマッピングされるかに依存して、２つの異なる手法で、ＤＭＲＳに可能な限り近づけることができる。これらの時間領域シンボルが、ＤＭＲＳを搬送する最も近いシンボルに続くＳＣ−ＦＤＭＡシンボルへマッピングされた場合、これらの時間領域シンボルは、ＤＦＴ拡散のためにサイズＭのＤＦＴに供給された時系列のＭ個のシンボルにおいて、最初に現れた場合、そのＤＭＲＳに最も近いか、または、先頭に可能な限り近く、ＤＦＴの出力はその後、逆高速フーリエ変換（ＩＦＦＴ）を用いて、ＳＣ−ＦＤＭＡシンボルへマッピングされる。これらの時間領域シンボルが、ＤＭＲＳを搬送する最も近いシンボルに先行するＳＣ−ＦＤＭＡシンボルへ代わりにマッピングされた場合、これらの時間領域シンボルは、ＤＦＴ拡散のためにサイズＭのＤＦＴに供給される時系列のＭ個のシンボルにおいて、最後に現れた場合、そのＤＭＲＳに最も近いか、または最後に可能な限り近く、ＤＦＴの出力はその後、ＩＦＦＴを用いてＳＣ−ＦＤＭＡシンボルへマッピングされる。
【００４２】
ＲＩ／ＣＲＩのためのマッピングルールは、ＲＩのマッピングがＨＡＲＱ−Ａ／Ｎマッピングから独立しているように、ＲＩの固定開始位置が確立されることである。第１のオプション「オプション１」によれば、これは、ＨＡＲＱ  ＡＣＫ／ＮＡＣＫのために使用され得る複素数値シンボルの最大数を最初に定義することによって行われる。ここで、必ずしもこれらの複素数値シンボルのすべてが、各ＴＴＩにおいてＨＡＲＱ  ＡＣＫ／ＮＡＣＫのために使用される訳ではない。ＲＩのマッピングは、この最大数の複素数値シンボル位置の後に始まる。このアプローチでは、良好なチャネル推定を得るために、ＲＩはＤＭＲＳの近くに配置される。第２のオプション「オプション２」によれば、ＲＩマッピングは、ＨＡＲＱ  ＡＣＫ／ＮＡＣＫのために使用される同じＳＣ−ＦＤＭＡシンボルの他端から始まる。第３のオプション「オプション３」によれば、ｓＰＵＳＣＨにおいてユーザデータを搬送する複数のＳＣ−ＦＤＭＡシンボルがある場合、ＲＩマッピングは、ＨＡＲＱ  ＡＣＫ／ＮＡＣＫを搬送するものとは異なるＳＣ−ＦＤＭＡシンボルから始まり、ＲＩマッピングは、このＳＣ−ＦＤＭＡシンボル内で、可能な限りＤＭＲＳに近く配置される。
【００４３】
ＤＭＲＳが、ｓＰＵＳＣＨの前または先頭において送信される場合、オプション１およびオプション２では、ＨＡＲＱフィードバックおよびＲＩが、ＤＭＲＳに近いｓＰＵＳＣＨの先頭において時分割多重化され得、これは、レイテンシ短縮の観点から、最適なマッピングを与える。オプション３は、ＵＣＩマッピングの最高の柔軟性を可能にし、すなわち、オプション１およびオプション２と比較して、より多くのＨＡＲＱフィードバックビットおよびＲＩビットが多重化され得る。
【００４４】
ＣＱＩ／ＰＭＩのためのマッピングルールは、ｓＰＵＳＣＨにおいてユーザデータを搬送するＳＣ−ＦＤＭＡシンボルが１つだけ存在する場合、ＣＱＩ／ＰＭＩは、ＨＡＲＱ  ＡＣＫ／ＮＡＣＫを搬送する同じＳＣ−ＦＤＭＡシンボルへマッピングされ、この同じＳＣ−ＦＤＭＡへマッピングされてＲＩ／ＣＲＩのために使用されない事前ＤＦＴシンボルへマッピングされる、というものである。一方、ｓＰＵＳＣＨにおいてユーザデータを搬送する複数のＳＣ−ＦＤＭＡシンボルがある場合、２つのオプションがある。第１のオプション「オプション１」によれば、単に「ＣＱＩデータ」と称され得るＣＱＩ／ＰＭＩデータは、１つの「行」上のｓＰＵＳＣＨ内のすべてのＳＣ−ＦＤＭＡシンボルへ、すなわち、次の行に進む前に、それぞれのＳＣ−ＦＤＭＡについて事前ＤＦＴサンプル内の同じ位置へマッピングされ得る。図２および上記記述を参照すると、「行」という用語が本明細書で使用される場合、これは例示されたパターン内の所与のｋを称し、ここで、図２における行インデクスｋ＝０、１、・・・、Ｍは、変換プリコーディング前のシンボルインデクスであり、Ｍは、ＰＵＳＣＨに割り当てられたサブキャリアの数であることが認識されるべきである。ＣＱＩデータマッピングのための第２のオプション「オプション２」によれば、ＣＱＩデータは、必要であれば、次のＳＣ−ＦＤＭＡへマッピングされた事前ＤＦＴシンボルを使用する前に、第１のＳＣ−ＦＤＭＡシンボルに対応する事前ＤＦＴシンボルへ先ずマッピングされ、ＲＩ／ＣＲＩによって未使用のままとされる。
【００４５】
ＣＱＩデータマッピングのためのオプション１は、ＵＣＩを多重化するための最高の柔軟性を提供する。これはまた、ＣＱＩ／ＰＭＩのための時間ダイバーシティを提供する。オプション２では、ＵＣＩはｓＰＵＳＣＨの先頭において時間多重化されるので、ＤＭＲＳがｓＰＵＳＣＨの前または先頭において送信される場合、このマッピングルールはレイテンシ最適化される。
【００４６】
ＵＣＩマッピング設計をさらに単純化するために、データの前および後に送信されたＤＭＲＳの場合のＵＣＩマッピングパターンが、ＤＭＲＳシンボルに対して互いにミラーリングされるミラーリング方法が考慮され得る。言い換えれば、上記のマッピングルールのいずれかを使用して、最初に、ＤＭＲＳがデータの前に送信された場合のＵＣＩマッピングを設計し、その後、ＤＭＲＳがデータの後に送信された場合のＵＣＩマッピングを、最初に取得されたマッピングをミラーリングすることによって取得することができる。逆の手順が使用されてもよく、すなわち、上記のマッピングルールが、最初にデータの後にＤＭＲＳが送信される場合のためのＵＣＩマッピングを設計するために使用され、その後、ＤＭＲＳがデータの後に送信された場合のためのＵＣＩマッピングが、最初に取得されたマッピングをミラーリングすることによって取得される。
【００４７】
予備的事項として、ｓＰＵＳＣＨにおける制御領域のサイズを決定するための例示的な計算および技術が提示される。第１に、ＨＡＲＱ  ＡＣＫ／ＮＡＣＫおよびＲＩ／ＣＲＩについて、レイヤ毎の符号化された変調シンボルの数Ｑ’を決定する方法が考慮される。
【００４８】
ＨＡＲＱ−ＡＣＫビット、ＲＩ、またはＣＲＩビットを伝達するｓＰＵＳＣＨにおいて１つの伝送ブロックのみが送信される場合、
2019533332.tif 000003
ここで、Ｏは、ＨＡＲＱ−ＡＣＫビット、ランクインジケータビット、またはＣＲＩビットの数であり、ＱｍおよびＲは、伝送ブロックの変調次数および符号化率である。
2019533332.tif 000004
は、サブキャリアの数として表される、伝送ブロックのための初期ｓＰＵＳＣＨ送信のためのスケジュールされた帯域幅であり、
2019533332.tif 000005
は、ＳＲＳが最初のｓＰＵＳＣＨで送信された場合、ＤＭＲＳシンボルおよびＳＲＳシンボルを除いて、同じ伝送ブロックのための最初のｓＰＵＳＣＨ送信のための短縮ＴＴＩ毎のＳＣ−ＦＤＭＡシンボルの数である。Ｃは、同じ伝送ブロック（ＴＢ）のための初期ＰＵＳＣＨ送信のための符号ブロックの数であり、Ｋｒは、符号ブロック番号ｒにおけるビットの数であり、
2019533332.tif 000006
は、データと、対応する制御情報との間のＭＳＣオフセットであり、データに対するＵＣＩのための追加の符号化利得（すなわち、より低い符号化率）を制御するために高レイヤシグナリングによって設定される。Ｑ’ｍａｘは、対応する制御情報のための符号化変調シンボルの最大数（すなわち、最大リソース量）である。Ｑ’ｍａｘの値は、異なるＵＣＩマッピングルールについて異なり得る。
【００４９】
２つの伝送ブロックが、ＨＡＲＱ−ＡＣＫビット、ランクインジケータビット、またはＣＲＩビットを伝達するＰＵＳＣＨにおいて送信される場合、
Ｑ’＝ｍａｘ［ｍｉｎ（Ｑ’ｔｅｍｐ，Ｑ’ｍａｘ），Ｑ’ｍｉｎ］、および
2019533332.tif 000007
であり、ここで、Ｏは、ＨＡＲＱ−ＡＣＫビット、ランクインジケータビット、またはＣＲＩビットの数であり、
2019533332.tif 000008
およびＲ（ｘ）、ｘ＝｛１，２｝はそれぞれ、第１および第２の伝送ブロックの変調次数および符号化率である。
2019533332.tif 000009
は、それぞれ第１および第２の伝送ブロックの最初の短縮ＴＴＩにおけるｓＰＵＳＣＨ送信のためのスケジュールされた帯域幅であり、サブキャリアの数として表され、
2019533332.tif 000010
は、ＳＲＳが初期ｓＰＵＳＣＨで送信された場合、ＤＭＲＳシンボルおよびＳＲＳシンボルを除いて、それぞれ第１および第２の伝送ブロックのための初期ｓＰＵＳＣＨ送信のための短縮ＴＴＩ毎のＳＣ−ＦＤＭＡシンボルの数であり、Ｃ（ｘ）、ｘ＝｛１，２｝は、それぞれ第１および第２の伝送ブロックのための初期ＰＵＳＣＨ送信のための符号ブロックの数であり、
2019533332.tif 000011
は、第１および第２の伝送ブロックそれぞれのための符号ブロック番号ｒにおけるビットの数である。Ｏ≦２である場合、Ｑ’ｍｉｎ＝Ｏであり、３≦Ｏ≦１１であり、
2019533332.tif 000012
である場合、Ｑ’ｍｉｎ＝［２Ｏ／Ｑ’ｍ］である。ここで、
2019533332.tif 000013
は、伝送ブロック「ｘ」の変調次数であり、Ｏ＞１１で、Ｏ１＝［Ｏ／２］およびＯ２＝Ｏ−［Ｏ／２］の場合、Ｑ’ｍｉｎ＝［２Ｏ１／Ｑ’ｍ］＋［２Ｏ２／Ｑ’ｍ］である。
2019533332.tif 000014
は、データに対するＵＣＩの追加の符号化利得（すなわち、より低い符号化率）を制御するために高レイヤシグナリングによって設定される、データと、対応する制御情報との間のＭＳＣオフセットであり、Ｑ’ｍａｘは、対応する制御情報のための符号化された変調シンボルの最大数（すなわち、最大リソース量）である。Ｑ’ｍａｘの値は、異なるＵＣＩマッピングルールについて異なり得る。
【００５０】
ＣＱＩ／ＰＭＩについて、レイヤ毎の符号化変調シンボル数Ｑ’を決定するために、
2019533332.tif 000015
であり、ここで、Ｏは、ＣＱＩ／ＰＭＩビットの数であり、Ｌは、
2019533332.tif 000016
によって与えられるＣＲＣビットの数であり、
2019533332.tif 000017
は、伝送ブロックのための現在のｓＰＵＳＣＨ送信のためにスケジュールされた帯域幅であり、サブキャリアの数として表される。
2019533332.tif 000018
は、現在のｓＰＵＳＣＨ送信のためのＳＣ−ＦＤＭＡシンボルの数であり、ＳＲＳが現在のｓＰＵＳＣＨで送信される場合、ＤＭＲＳシンボルおよびＳＲＳシンボルを除き、
2019533332.tif 000019
および
2019533332.tif 000020
はそれぞれ、最も高いＩＭＣＳ値を有する伝送ブロックと多重化された、ＲＩの符号化ビットの数と、ＲＩの符号化された変調シンボルの数であり、
2019533332.tif 000021
およびＲ（ｘ）は、初期ＵＬグラントによって示される最高のＩＭＣＳ値を有する伝送ブロックの変調次数および符号化率である。
2019533332.tif 000022
、
2019533332.tif 000023
、Ｃ（ｘ）、および
2019533332.tif 000024
は、同じ伝送ブロックに関連するパラメータである。
【００５１】
上記の式（３）は、上記に提示されたすべてのＵＣＩマッピングルールに適合する。式（１）および（２）に関して、Ｑ’ｍａｘの値は、ＨＡＲＱ  ＡＣＫ／ＮＡＣＫおよびＲＩのために使用されるマッピングルールに依存する。ＲＩ／ＣＲＩマッピングルールのオプション１が採用される場合、すなわち、ＨＡＲＱ  ＡＣＫ／ＮＡＣＫのための符号化された変調シンボルの最大数Ｑ’ＡＣＫ，ｍａｘが定義され、ＲＩのマッピングが、この最大数の符号変調シンボル位置の後から始まる場合、Ｑ’ｍａｘの値は、ＨＡＲＱ−ＡＣＫについて、Ｑ’ｍａｘ＝α・Ｑ’ＡＣＫ，ｍａｘとして決定される。ＲＩ／ＣＲＩの場合、
2019533332.tif 000025
である。ＲＩ／ＣＲＩマッピングルールのオプション２またはオプション３が採用される場合、Ｑ’ｍａｘの値は、ＨＡＲＱ−ＡＣＫについて、
2019533332.tif 000026
として決定される。ＲＩ／ＣＲＩの場合、
2019533332.tif 000027
である。いずれの場合も、αは、ＨＡＲＱ−ＡＣＫおよびＲＩマッピングのために使用されるＳＣ−ＦＤＭＡシンボルの数である。２、３、および４シンボルのｓＰＵＳＣＨのために以下に議論されるすべての例の場合、図２７、図２８に、および図２９の右側に図示される例と同様、α＝１である。７シンボルｓＰＵＳＣＨに関し、図２６に、および、図２９の左側および中央に図示される例については、α＝２である。
【００５２】
以下では、様々な実施形態による、ｓＰＵＳＣＨのための異なるＤＭＲＳ設定を考慮して、異なる短縮ＴＴＩ長さのためのＵＣＩマッピングソリューションが提示される。これらのマッピングの多くは、上記のルールに適合する。これらのルールのすべてに適合しない可能性がある他の変形形態もまた、論議および／または例示される。本開示を通して、レガシーＬＴＥマッピングが例示される場合、すなわち図２および図２６を除いて、変調データおよびＤＭＲＳシンボルマッピングの順序は、ｋ＝０（図面の最後の行）から、最大数ｋ（図面の先頭の行）までであると仮定されることに留意されたい。現在のＬＴＥマッピングの場合のように、変調されたデータとＤＭＲＳシンボルマッピングの順序が、上から下である場合、ＤＭＲＳがデータの前に送信された場合のためのＵＣＩマッピングは、以下で論じられる図面に図示されるように、ＤＭＲＳがデータの後に送信された場合のために代わりに使用されるべきであり、およびその逆も同様である。
【００５３】
２シンボルｓＰＵＳＣＨにおけるＵＣＩマッピング
このセクションでは、異なるＤＭＲＳ設定を考慮して、２シンボルｓＰＵＳＣＨにおけるＵＣＩマッピングのいくつかの例が列記される。図３は、２シンボルｓＰＵＳＣＨにおいてＵＣＩ、ＤＭＲＳ、およびデータを多重化する２つの例を例示しており、ｓＰＵＳＣＨの第１のＳＣ−ＦＤＭＡシンボルは、ＤＭＲＳを送信するために使用され、第２のシンボルは、データ送信用である。
【００５４】
図３の左側において、ＨＡＲＱ  ＡＣＫ／ＮＡＣＫのための複素数値シンボルの最大数は、この例では４としてあらかじめ定義されている。例示された特定の例では、実際には２つのみが使用され、残りの２つは、ＵＬ−ＳＣＨデータのために使用される。ＲＩのマッピングは、最後から５番目の複素数値のシンボル（最後から５〜７のシンボル）から始まる。ＣＱＩ／ＰＭＩのマッピングは、第２のＳＣ−ＦＤＭＡシンボルの先頭（先頭の４シンボル）から始まる。図３の右側に図示される代替アプローチでは、ＲＩのマッピングは、第２のシンボルの先頭から始まり、ＣＱＩ／ＰＭＩのマッピングは、ＲＩの後に始まる。この代替案の利点は、ＨＡＲＱ  ＡＣＫ／ＮＡＣＫのための複素数値シンボルの最大数を定義する必要がないことであり、これは、ＨＡＲＱ  ＡＣＫ／ＮＡＣＫマッピングのためにより多くの自由度を与える。欠点は、図３の左側に図示されるマッピングと比較して、ＲＩがＤＭＲＳの近くに配置されていないことである。
【００５５】
図４は、２シンボルｓＰＵＳＣＨにおいてＵＣＩ、ＤＭＲＳ、およびデータを多重化する追加の例を例示しており、ｓＰＵＳＣＨの第１のＳＣ−ＦＤＭＡシンボルは、データを送信するために使用され、第２のシンボルは、ＤＭＲＳ送信用である。この設定では、ＨＡＲＱ  ＡＣＫ／ＮＡＣＫは、第１のＳＣ−ＦＤＭＡシンボルの先頭（先頭２シンボル）からマッピングされるので、時間領域サンプルにおけるＤＭＲＳに近い。
【００５６】
図３と同様に、図４における最も左側の例では、ＨＡＲＱ  ＡＣＫ／ＮＡＣＫのための複素数値シンボルの最大数は４であると仮定される。したがって、ＲＩのマッピングは、第１のＳＣ−ＦＤＭＡシンボルの先頭から５番目（先頭から５〜７シンボル）の複素数値シンボルから始まる。ＣＱＩ／ＰＭＩのマッピングは、第１のシンボルの最後（最後の４シンボル）から始まる。中央の例では、ＲＩのマッピングは、第１のシンボルの最後（最後の３のシンボル）から始まり、ＣＱＩ／ＰＭＩのマッピングは、ＲＩ（次の４シンボル）の後に始まる。
【００５７】
図５は、ＤＭＲＳがデータシンボルに続く場合の代替パターンを図示する。これらのパターンは、ＤＭＲＳシンボルに対して図３のパターンをミラーリングすることによって取得される。ミラーリング操作では、これらの代替パターンは、図２に描写されるレガシーパターンと同じ方法を使用する。
【００５８】
図６は、２シンボルｓＰＵＳＣＨにおけるＵＣＩおよびデータの多重化の例を図示しており、ここでは、このｓＰＵＳＣＨにＤＭＲＳが存在せず、このｓＰＵＳＣＨのためのチャネル推定のために使用されるＤＭＲＳが、前の短縮ＴＴＩにおいて送信される。これらの例では、ＨＡＲＱ  ＡＣＫ／ＮＡＣＫのマッピングは、第１のシンボルのｋ＝０（最後）から始まるので、時間領域サンプルにおいてＤＭＲＳに近くなる。
【００５９】
図６の最も左の例では、ＨＡＲＱ  ＡＣＫ／ＮＡＣＫのための複素数値シンボルの最大数は４であると仮定される。したがって、ＲＩのマッピングは、第１のＳＣ−ＦＤＭＡシンボルの最後から５番目の複素数値シンボルから始まる。ＣＱＩ／ＰＭＩのマッピングは、第１のシンボルの先頭から始まる。図６の中央の例では、ＲＩのマッピングは、第２のシンボルの最後から始まる。図６の最も右の例では、ＲＩのマッピングは、第１のシンボルの先頭から始まる。これら３つの例を比較すると、最も左の例ではＲＩの位置が、時間領域サンプルにおけるＤＭＲＳに最も近く、時間領域サンプルにおけるＲＩとＤＭＲＳとの間の距離は、中央の例で最大である。しかしながら、中央の例におけるマッピングは、ＵＣＩを多重化するための最高の柔軟性を提供する。
【００６０】
図６の左側および中央の例では、符号化されたＣＱＩ／ＰＭＩは、次の行ｋ−１に進む前に、１つの行ｋにおけるｓＰＵＳＣＨ内のすべてのＳＣ−ＦＤＭＡシンボルへマッピングされる。最も右の例では、ＣＱＩ／ＰＭＩのマッピングは、第２のＳＣ−ＦＤＭＡシンボルの最後から始まる。
【００６１】
図６と同様に、図７は、２シンボルｓＰＵＳＣＨにおけるＵＣＩおよびデータを多重化する例を図示しており、ここでは、このｓＰＵＳＣＨにおいてＤＭＲＳは存在せず、このｓＰＵＳＣＨのためのチャネル推定のために使用されるＤＭＲＳは、前のｓＴＴＩにおいて送信される。図６との相違点は、この場合は第１のＳＣ−ＦＤＭＡシンボルについて、ＣＱＩ／ＰＭＩビットが、時間領域サンプルへマッピングされ、必要であれば、第２のＳＣ−ＦＤＭＡに対応する時間領域シンボルを使用する前に、ＨＡＲＱフィードバックおよびＲＩ／ＣＲＩによって最初に未使用のままにされることである。これらのビットは、ＤＭＲＳ後に、可能な限り早く送信されるため、これにより、ＰＭＩ／ＣＱＩおよびＣＲＩ／ＲＩを復号する前のレイテンシにおける短縮を可能にする。
【００６２】
図８は、２シンボルｓＰＵＳＣＨにおいてＵＣＩおよびデータを多重化する例を図示しており、ここでは、このｓＰＵＳＣＨにＤＭＲＳが存在せず、このｓＰＵＳＣＨのためのチャネル推定のために使用されるＤＭＲＳが、このｓＰＵＳＣＨの後に送信される。図９は、２シンボルｓＰＵＳＣＨにおいてＵＣＩおよびデータを多重化するための代替案を例示し、ここでは、このｓＰＵＳＣＨにＤＭＲＳが存在せず、このｓＰＵＳＣＨのためのチャネル推定のために使用されるＤＭＲＳは、このｓＰＵＳＣＨの後に送信される。これらの代替案は、これらの例において前にあるＤＭＲＳシンボルに対する、図６および図７のミラーリングパターンに基づく。
【００６３】
図１０は、２シンボルｓＰＵＳＣＨにおいてＵＣＩ、データ、およびＳＲＳを多重化する例を例示し、ここでは、第１のシンボル１２は、データ送信（ＵＬ−ＳＣＨデータ）のために使用され、第２のシンボル１３は、ＳＲＳのために使用される。このｓＰＵＳＣＨのためのチャネル推定のために使用されるＤＭＲＳは、このｓＰＵＳＣＨの前に送信される。
【００６４】
３シンボルＰＵＳＣＨにおけるＵＣＩマッピング
このセクションでは、異なるＤＭＲＳ設定を考慮して、３シンボルｓＰＵＳＣＨにおけるＵＣＩマッピングの例が記述される。図１１は、３シンボルｓＰＵＳＣＨにおいてＵＣＩ、ＤＭＲＳ、およびデータを多重化する例を例示しており、ここでは、ｓＰＵＳＣＨの第１のＳＣ−ＦＤＭＡシンボルは、ＤＭＲＳを送信するために使用され、第２および第３のシンボルはデータ送信用である。図１１から理解され得るように、ＵＣＩマッピングルールは、図６に図示したものと同じであり、すなわち、この２シンボルｓＰＵＳＣＨにおいてＵＣＩおよびデータを多重化し、このｓＰＵＳＣＨにおいてＤＭＲＳは存在せず、ＤＭＲＳは、２シンボルｓＰＵＳＣＨの前に送信される。
【００６５】
図１２は、図１１に対するレイテンシ最適化代替パターンを例示し、ここでは、ＲＩ／ＣＲＩビットおよびＣＱＩ／ＰＭＩビットが、最初にＤＭＲＳシンボルに続く第１のＳＣ−ＦＤＭＡシンボルのリソース要素へマッピングされる。前のＳＣ−ＦＤＭＡシンボルに対応する十分な数の残りの時間領域のシンボルがない場合、最後のＳＣ−ＦＤＭＡシンボルのリソース要素が、ＰＭＩ／ＣＱＩのために使用され得ることに留意されたい。
【００６６】
図１３は、３シンボルｓＰＵＳＣＨにおけるＵＣＩ、ＤＭＲＳ、データ、およびＳＲＳを多重化する例を例示し、ここでは、ｓＰＵＳＣＨの第１のＳＣ−ＦＤＭＡシンボルが、ＤＭＲＳを送信するために使用され、第２のシンボルはデータ送信用、そして第３のシンボルはＳＲＳ用である。図１３から理解され得るように、ＵＣＩマッピングルールは、図３におけるものと同じであり、すなわち、２シンボルｓＰＵＳＣＨにおいてＵＣＩおよびデータを多重化し、ここでは、ｓＰＵＳＣＨの第１のＳＣ−ＦＤＭＡシンボルは、ＤＭＲＳのために使用され、第２のシンボルはデータ用である。
【００６７】
図８に図示されたものと同じマッピングを使用することによって、設定データ＋データ＋ＤＭＲＳを有する３シンボルｓＰＵＳＣＨにおけるＵＣＩ、ＤＭＲＳ、およびデータを多重化する例が、図１４に図示される。図１５は、３シンボルｓＰＵＳＣＨにおいてＵＣＩおよびデータを多重化するための代替案を例示し、ここでは、このｓＰＵＳＣＨのためのチャネル推定のために使用されるＤＭＲＳが、このｓＰＵＳＣＨの後に送信される。これらの代替例は、ＤＭＲＳシンボルに対する図１１のミラーリングパターンに基づく。
【００６８】
図１６は、３シンボルｓＰＵＳＣＨにおいてＵＣＩおよびデータを多重化する例を図示し、ここでは、このｓＰＵＳＣＨにＤＭＲＳが存在せず、このｓＰＵＳＣＨのチャネル推定のために使用されるＤＭＲＳは、このｓＰＵＳＣＨの前に送信される。図１７は、３シンボルｓＰＵＳＣＨにおいてＵＣＩ、データ、およびＳＲＳを多重化する例を例示し、ここでは、このｓＰＵＳＣＨにＤＭＲＳが存在せず、ＤＭＲＳは、このｓＰＵＳＣＨの前に送信される。図６に例示されたものと同じマッピングルールが適用される。ここでは、符号化されたＣＱＩ／ＰＭＩは、次のサブキャリアに進む前に、１つのサブキャリアにおけるｓＰＵＳＣＨ内のすべてのＳＣ−ＦＤＭＡシンボルへマッピングされる。
【００６９】
４シンボルＰＵＳＣＨにおけるＵＣＩマッピング
このセクションでは、異なるＤＭＲＳ設定を考慮して、４シンボルｓＰＵＳＣＨにおけるＵＣＩマッピングのいくつかの例をリストする。図１８は、４シンボルｓＰＵＳＣＨにおいてＵＣＩ、ＤＭＲＳ、およびデータを多重化する例を例示しており、ここでは、ｓＰＵＳＣＨの第１のＳＣ−ＦＤＭＡシンボルが、ＤＭＲＳを送信するために使用され、残りのシンボルが、データ送信用である。ＵＣＩマッピングルールは、図１１に図示されたものと同じである。
【００７０】
図１９は、図１８に対するレイテンシ最適化された代替パターンを図示しており、ここでは、ＲＩ／ＣＲＩビットおよびＣＱＩ／ＰＭＩビットが、最初にＤＭＲＳシンボルに続く第１のＳＣ−ＦＤＭＡシンボルのリソース要素へマッピングされる。前のＳＣ−ＦＤＭＡシンボルに十分な数の残りのリソース要素がない場合、最後のＳＣ−ＦＤＭＡシンボルのリソース要素が、ＰＭＩ／ＣＱＩのために使用され得ることに留意されたい。
【００７１】
図２０は、４シンボルｓＰＵＳＣＨにおいてＵＣＩ、ＤＭＲＳ、データ、およびＳＲＳを多重化する例を例示しており、ここでは、ｓＰＵＳＣＨの第１のＳＣ−ＦＤＭＡシンボルが、ＤＭＲＳを送信するために使用され、最後のシンボルはＳＲＳ用である。ＵＣＩマッピングルールは、図１１に図示されたものと同じである。最後のＳＣ−ＦＤＭＡシンボルにＳＲＳを追加することで、レイテンシ最適化された代替ＵＣＩマッピングが、図１９と同様に使用され得ることに留意されたい。
【００７２】
図２１は、４シンボルｓＰＵＳＣＨにおいてＵＣＩ、ＤＭＲＳ、データ、およびＳＲＳを多重化する例を例示しており、ここでは、ｓＰＵＳＣＨの最初の３つのＳＣ−ＦＤＭＡシンボルが、データ用に使用され、最後のシンボルが、ＤＭＲＳ用である。ＵＣＩマッピングルールは、図８および図１４に図示されたものと同じである。図２２は、４シンボルｓＰＵＳＣＨにおいてＵＣＩおよびデータを多重化するための代替案を図示し、ここでは、このｓＰＵＳＣＨのためのチャネル推定のために使用されるＤＭＲＳが、このｓＰＵＳＣＨの後に送信される。これらの代替案は、ＤＭＲＳシンボルに対する図２０のミラーリングパターンに基づく。
【００７３】
図１６と同様に、図２３は、４シンボルｓＰＵＳＣＨにおいてＵＣＩを多重化する例を例示しており、ここでは、これはｓＰＵＳＣＨにおけるＤＭＲＳではなく、ＤＭＲＳは以前に送信されている。図２４は、図２３に対するレイテンシ最適化された代替パターンを図示しており、ここでは、ＲＩ／ＣＲＩビットおよびＣＱＩ／ＰＭＩビットが、最初にＤＭＲＳシンボルに続く第１のＳＣ−ＦＤＭＡシンボルのリソース要素へマッピングされる。前のＳＣ−ＦＤＭＡシンボルに十分な数の残りのリソース要素がない場合、最後のＳＣ−ＦＤＭＡシンボルへマッピングされた事前ＤＦＴシンボルが、ＰＭＩ／ＣＱＩのために使用され得ることに留意されたい。
【００７４】
図２５は、４シンボルｓＰＵＳＣＨにおいてＵＣＩを多重化する例を例示しており、ここでは、最後のシンボルが、ＳＲＳのために使用され、残りのシンボルが、データ送信用である。最後のＳＣ−ＦＤＭＡシンボルにＳＲＳを追加することで、図２４と同様に、レイテンシ最適化された代替ＵＣＩマッピングも使用され得ることに留意されたい。
【００７５】
７シンボルＰＵＳＣＨにおけるＵＣＩマッピング
このセクションでは、異なるＤＭＲＳ設定を考慮して、７シンボルｓＰＵＳＣＨにおけるＵＣＩマッピングのいくつかの例が提供される。図２６は、７シンボルｓＰＵＳＣＨにおいてＵＣＩを多重化する例を図示しており、ここでは、レガシーＤＭＲＳ位置が再使用され、すなわち、ＤＭＲＳが、７シンボルｓＰＵＳＣＨの中央に配置される。この場合、レガシーＵＣＩマッピングルールが再使用される。
【００７６】
図２７は、７シンボルｓＰＵＳＣＨのためのレイテンシ最適化されたパターンを図示する。ＤＭＲＳは、第１のＳＣ−ＦＤＭＡシンボルに配置され、ＵＣＩは、次のＳＣ−ＦＤＭＡシンボルへマッピングされる。ＣＱＩ／ＰＭＩのペイロードが大きい場合、ＣＱＩ／ＰＭＩは、ＤＭＲＳシンボルに続くＳＣ−ＦＤＭＡシンボルから始まる、連続するＳＣ−ＦＤＭＡシンボルへマッピングされる。この場合の例が、図２８に例示される。
【００７７】
高ドップラシナリオでは、単一のＤＭＲＳは、ｅノードＢにおいて良好なチャネル推定を提供するのに十分ではない。そのような場合、チャネル推定を改善し、これによってＵＣＩおよびデータの復号を改善するために、より多くのＤＭＲＳシンボルが必要とされる。図２９は、７シンボルｓＰＵＳＣＨにおけるＵＣＩマッピングに関するいくつかの例を図示し、ここでは、ＤＭＲＳを送信するために２つのＳＣ−ＦＤＭＡシンボルが使用される。７シンボルｓＰＵＳＣＨの第１と第６のＳＣ−ＦＤＭＡシンボルは、ＤＭＲＳのために使用され、残りのシンボルは、データのために使用される。７シンボルｓＰＵＳＣＨのための他のＤＭＲＳ設定にも、同様のマッピングルールが使用され得る。
【００７８】
図２９に図示される最も左および中央の例では、２シンボルｓＰＵＳＣＨについて、図３に図示されたものと同様のマッピングルールが、７シンボルｓＰＵＳＣＨにおけるＨＡＲＱ  ＡＣＫ／ＮＡＣＫおよびＲＩの多重化のために使用される。この例では、ＨＡＲＱ  ＡＣＫ／ＮＡＣＫおよびＲＩは、シンボル１とシンボル６との両方に配置される。図２９の最も右の例では、ＨＡＲＱ  ＡＣＫ／ＮＡＣＫは、最初のＤＭＲＳシンボルの近くであるシンボル１に配置され、ＲＩは、２番目のＤＭＲＳシンボルの近くであるシンボル６に配置される。図２９の左および中央の例におけるマッピングは、ＨＡＲＱ  ＡＣＫ／ＮＡＣＫおよびＲＩを送信するための時間ダイバーシティを提供し得る。図２９における左の例は、ＨＡＲＱ  ＡＣＫ／ＮＡＣＫのためにあらかじめ定義された最大数の複素数値シンボルを必要とする。これは、図２９の中央または最も右の例におけるマッピングが使用される場合は不要である。高ドップラシナリオの場合、チャネルは、時間領域において急速に変化するので、ＣＳＩレポート、すなわちＲＩ、ＣＱＩ、およびＰＭＩは、あまり有用ではない可能性があることに留意されたい。このような場合、中央の例が、好適なマッピングソリューションである。ＨＡＲＱ  ＡＣＫ／ＮＡＣＫまたは／およびＲＩの多重化のためにより多くのリソースが必要とされるとき、シンボル４もまた、ＨＡＲＱ  ＡＣＫ／ＮＡＣＫまたは／およびＲＩのために使用され得る。
【００７９】
ｓＰＵＳＣＨにデータがない場合
フルＴＴＩ動作（１ミリ秒のＴＴＩ）の場合、ｅＮＢは、ＵＥによってＰＵＳＣＨにおいてＵＣＩとして送信される非周期的ＣＱＩレポートをスケジュールし得る。ＵＥはバッファにデータを有していない可能性があるため、ＰＵＳＣＨは、ＵＣＩしか含まないであろう。ｅＮＢが、ｓＰＵＳＣＨにおいて非周期的ＣＱＩレポートをスケジュールするとき、短縮ＴＴＩ動作の場合にも同様の振舞が可能である。本書全体にわたって以前に説明したＵＣＩマッピングは再使用され得るが、ＣＱＩ／ＰＭＩの符号化率は、データのためにもＲＩ／ＣＲＩおよびＨＡＲＱフィードバックのためにも使用されないリソース要素を活用するように、この状況において適応される。これは、ＣＱＩ／ＰＭＩに対応する情報ビットが符号化される符号化率が低くなり、結果として得られる符号化ビットのより大きなシーケンスが、ＲＩ／ＣＲＩおよびＨＡＲＱフィードバックによって未使用のままにされた、スケジュールされたすべてのリソース要素を使い果たすことを意味する。図３０は、ｓＰＵＳＣＨがいかなるデータも搬送しない場合における２シンボルｓＰＵＳＣＨおよび３シンボルｓＰＵＳＣＨにおけるＵＣＩの多重化の例を例示する。同様の振舞が、他のすべての場合および前述した他のｓＴＴＩ長さに対しても意図されている。
【００８０】
図３１は、短縮ＴＴＩ  ＰＵＳＣＨにおけるＲＩおよびＨＡＲＱ−Ａ／Ｎの配置のための本発明の実施形態のフローチャートである。ＳＣ−ＦＤＭＡシンボルは、時間においてｋ＝０を始点にＤＦＴ拡散される。ミラーリング方法を考慮することなく、異なるｓＴＴＩ長さに対する異なるマッピングソリューションが提供される。たとえば、ｓＴＴＩを有するＰＵＳＣＨにおけるＵＣＩについて、時間領域内で最も近いＤＭＲＳが、データの前にあるか否かが判定される（ブロック３１０２）。あると判定された場合、ＨＡＲＱ−Ａ／Ｎは、最も低いｋにおける最初のデータＳＣ−ＦＤＭＡシンボルに配置される（ブロック３１０４）。あると判定されなかった場合、ＨＡＲＱ−Ａ／Ｎは、最も高いｋにおける最後のデータＳＣ−ＦＤＭＡシンボルに配置される（ブロック３１０６）。複数のデータシンボルがある場合、ＲＩは、最も低いｋにおける２番目のデータＳＣ−ＦＤＭＡシンボル（３１０４経路）、または最も高いｋにおける最後から２番目のデータＳＣ−ＦＤＭＡシンボル（３１０６経路）のいずれかに配置される。あると判定されなかった場合、ＲＩは、最も高いｋにおけるデータＳＣ−ＦＤＭＡシンボルに配置され（３１０４経路）、または最も低いｋにおけるデータＳＣ−ＦＤＭＡシンボルに配置される（３１０６経路）。
【００８１】
図３２は、短縮ＴＴＩ  ＰＵＳＣＨにおけるＲＩおよびＨＡＲＱ−Ａ／Ｎの配置のための本発明の実施形態のフローチャートである。ＳＣ−ＦＤＭＡシンボルは、時間においてｋ＝０を始点にＤＦＴ拡散される。この方法は、ミラーリング方法を考慮することなく、すべてのｓＴＴＩ長さに対して一様なマッピングソリューションを提供する。時間領域において最も近いＤＭＲＳがデータの前にある場合、ＨＡＲＱ−Ａ／Ｎは、ｋｍｉｎから上方の最初のＳＣ＿ＦＤＭＡシンボルに配置される（ブロック３２０４）。あると判定されなかった場合、ＨＡＲＱ−Ａ／Ｎは、ｋｍａｘから下方の最後のＳＣ＿ＦＤＭＡシンボルに配置される（ブロック３２０６）。
【００８２】
図３１および図３２において、ｋ＝ｋｍｉｎ、・・・、ｋｍａｘは、変換プリコーディング前のシンボルインデクス（３ＧＰＰ  ＴＳ  ３６．２１１のセクション５．３．３参照）であり、ｒは、ＨＡＲＱ  ＡＣＫ／ＮＡＣＫのために使用されるシンボルのあらかじめ定義された最大数である。
【００８３】
ミラーリング方法が考慮された場合、図３１および図３２の左経路に基づいてＵＣＩパターンをミラーリングすることによってデータが得られた後に、最も近いＤＭＲＳが送信される場合のためのＵＣＩマッピング。
【００８４】
実施
上記で参照された技術は、それぞれの送信デバイスおよび受信デバイスによって実施され得る。図３３は、送信デバイスとして動作するように設定された無線デバイス（ＵＥ５０）のブロック図であり、図３５は、受信デバイスとして動作するように設定されたネットワークノード（ネットワークノード３０）のブロック図である。議論の目的のために、図３３および図３５は、送信デバイスとしてのＵＥ５０と、受信デバイスとしてのネットワークノード３０とを図示する。しかしながら、ネットワークノード３０はまた、送信デバイスとして動作するように設定されてもよく、同様に、ＵＥ５０も、受信デバイスとして動作するように設定されてもよい。
【００８５】
図３３は、いくつかの実施形態にしたがって、送信デバイス（または、送信装置）として動作するように設定された無線デバイス（ＵＥ５０）の図を例示する。説明を容易にするために、ＵＥ５０は、ターゲットデバイス（通信を目的とされたデバイス）、デバイスツーデバイス（Ｄ２Ｄ）ＵＥ、マシンタイプＵＥまたはマシンツーマシン通信（Ｍ２Ｍ）可能なＵＥ、ＵＥを装備したセンサ、ｉＰＡＤ、タブレット、モバイル端末、スマートフォン、ラップトップ内蔵機器（ＬＥＥ）、ラップトップ搭載機器（ＬＭＥ）、ＵＳＢドングル、顧客宅内機器（ＣＰＥ）等のような任意の無線通信デバイスを表すと考えられ得る。
【００８６】
ＵＥ５０は、アンテナ５４およびトランシーバ回路５６を介して、ネットワークアクセスノード３０のような送信デバイス、無線ノード、または基地局と通信する。トランシーバ回路５６は、セルラ通信サービスを提供する目的で、無線アクセス技術にしたがって、信号を送信および受信するように集合的に設定された、送信回路構成、受信回路構成、および関連する制御回路を含み得る。様々な実施形態によれば、セルラ通信サービスは、３ＧＰＰセルラ規格、ＧＳＭ、ＧＰＲＳ、ＷＣＤＭＡ、ＨＳＤＰＡ、ＬＴＥ、およびＬＴＥアドバンストのうちの任意の１つまたは複数にしたがって動作され得る。
【００８７】
ＵＥ５０はまた、無線トランシーバ回路５６と動作可能に関連付けられた１つまたは複数の処理回路５２を含む。処理回路５２は、１つまたは複数のデジタル処理回路、たとえば、１つもしくは複数のマイクロプロセッサ、マイクロコントローラ、ＤＳＰ、ＦＰＧＡ、ＣＰＬＤ、ＡＳＩＣ、またはこれらの任意の組合せを備える。より一般的には、処理回路５２は、固定回路構成、もしくは本明細書において教示された機能を実施するプログラム命令の実行を介して特別に適応されるプログラマブル回路構成を備え得るか、または、固定およびプログラムされた回路構成の何らかの組合せを含み得る。処理回路５２は、マルチコアであり得る。
【００８８】
処理回路５２は、メモリ６４も含む。いくつかの実施形態では、メモリ６４は、１つまたは複数のコンピュータプログラム６６、およびオプションで、設定データ６８を記憶する。メモリ６４は、コンピュータプログラム６６のための非一時的な記憶装置を提供し、ディスク記憶装置、固体メモリ記憶装置、またはこれらの任意の組合せのような１つまたは複数のタイプのコンピュータ可読媒体を備え得る。非限定的な例として、メモリ６４は、ＳＲＡＭ、ＤＲＡＭ、ＥＥＰＲＯＭ、およびＦＬＡＳＨメモリのうちのいずれか１つまたは複数を備え、これらは処理回路５２内にあり得るか、および／または、処理回路５２から分離され得る。一般に、メモリ６４は、コンピュータプログラム６６、および、ＵＥ５０によって使用される任意の設定データ６８の、非一時的な記憶装置を提供する、１つまたは複数のタイプのコンピュータ可読記憶媒体を備える。
【００８９】
いくつかの実施形態では、処理回路５２のプロセッサ６２は、ＳＣ−ＦＤＭＡ信号としての送信のために、制御情報を、複数のＴＴＩ／送信の各々へマッピングする方法を実行するようにプロセッサ６２を設定する、メモリ６４に記憶されたコンピュータプログラム６６を実行し得、ここでは、複数の送信の各々は、１つまたは複数のＳＣ−ＦＤＭＡシンボルを備え、制御情報は、複数のＴＴＩの各々のための少なくともＨＡＲＱ  ＡＣＫ／ＮＡＣＫデータを備え、ＲＩデータおよびＣＱＩデータをも含み得る。したがって、処理回路５２は、複数の送信の各々について、送信、すなわちＴＴＩにおいて送信されるユーザデータが、ユーザデータの前に送信されるＤＭＲＳに、または、ユーザデータの後に送信されたＤＭＲＳに、時間的に最も近くなるかを判定するように設定される。
【００９０】
処理回路５２はまた、送信／ＴＴＩにおいて送信されるユーザデータが、ユーザデータの前に送信されるＤＭＲＳに時間的に最も近い複数の送信の各々について、送信／ＴＴＩのためのすべてのＨＡＲＱ  ＡＣＫ／ＮＡＣＫデータを、ユーザデータを搬送する送信／ＴＴＩの時間的に最も早いＳＣ−ＦＤＭＡシンボルへ、および、このＳＣ−ＦＤＭＡシンボルに対応し、ユーザデータの前に送信されるＤＭＲＳに時間的に最も近い事前ＤＦＴシンボルへ、マッピングするように設定される。処理回路５２はまた、送信／ＴＴＩにおいて送信されるユーザデータが、ユーザデータの後に送信されたＤＭＲＳに時間的に最も近くなる複数の送信の各々について、送信のためのすべてのＨＡＲＱ  ＡＣＫ／ＮＡＣＫデータを、ユーザデータを搬送する送信／ＴＴＩの時間的に最後のＳＣ−ＦＤＭＡシンボルへ、および、このＳＣ−ＦＤＭＡシンボルに対応し、ユーザデータの後に送信されたＤＭＲＳに時間的に最も近い事前ＤＦＴシンボルへ、マッピングするように設定される。処理回路５２はさらに、複数の送信の各々について、ＨＡＲＱ  ＡＣＫ／ＮＡＣＫデータのマッピングに基づいて、送信／ＴＴＩのためのユーザデータおよび制御情報から、ＳＣ−ＦＤＭＡ信号を形成するように設定される。この機能は、処理回路５２内のマッピング回路構成６０によって実行され得る。送信装置は、ＳＣ−ＦＤＭＡ信号を送信するように設定された送信回路構成を含み得る。
【００９１】
その特定の実施に関わらず、ネットワークノード３０の処理回路５２は、ＳＣ−ＦＤＭＡ信号としての送信のために、制御情報を、複数のＴＴＩ／送信の各々へマッピングする方法を送信デバイスにおいて実行するように設定され、図３４の方法３４００のように、複数の送信の各々は、１つまたは複数のＳＣ−ＦＤＭＡシンボルを備え、制御情報は、複数の送信の各々について、少なくともＨＡＲＱ  ＡＣＫ／ＮＡＣＫデータ、ＲＩデータ、およびＣＱＩデータを備える。
【００９２】
方法３４００は、複数の送信の各々について、送信／ＴＴＩにおいて送信されるユーザデータが、ユーザデータの前に送信されるＤＭＲＳに、または、ユーザデータの後に送信されたＤＭＲＳに、時間的に最も近くなるかを判定することを含む（ブロック３４０２）。方法３４００は、送信／ＴＴＩにおいて送信されるユーザデータが、ユーザデータの前に送信されるＤＭＲＳに時間的に最も近くなる複数の送信の各々について、送信／ＴＴＩのためのすべてのＨＡＲＱ  ＡＣＫ／ＮＡＣＫデータを、ユーザデータを搬送する送信／ＴＴＩの時間的に最も早いＳＣ−ＦＤＭＡシンボルへ、および、このＳＣ−ＦＤＭＡシンボルに対応し、ユーザデータの前に送信されるＤＭＲＳに時間的に最も近い事前ＤＦＴシンボルへ、マッピングすることを含む（ブロック３４０４）。方法３４００はまた、送信／ＴＴＩにおいて送信されるユーザデータが、ユーザデータの後に送信されたＤＭＲＳに時間的に最も近くなる複数の送信の各々について、送信／ＴＴＩのためのすべてのＨＡＲＱ  ＡＣＫ／ＮＡＣＫデータを、ユーザデータを搬送する送信／ＴＴＩの時間的に最後のＳＣ−ＦＤＭＡシンボルへ、および、このＳＣ−ＦＤＭＡシンボルに対応し、ユーザデータの後に送信されたＤＭＲＳに時間的に最も近い事前ＤＦＴシンボルへ、マッピングすることを含む（ブロック３４０６）。方法３４００はさらに、複数の送信の各々について、ＨＡＲＱ  ＡＣＫ／ＮＡＣＫデータのマッピングに基づいて、送信／ＴＴＩのためのユーザデータおよび制御情報から、ＳＣ−ＦＤＭＡ信号を形成することを含む（３４０８）。
【００９３】
いくつかの実施形態では、方法３４００は、複数のＴＴＩ／送信の各々について、送信／ＴＴＩのためのＲＩデータを、ＨＡＲＱ  ＡＣＫ／ＮＡＣＫデータがマッピングされた同じＳＣ−ＦＤＭＡシンボルへ、ただし、この同じＳＣ−ＦＤＭＡシンボルへマッピングするが、送信／ＴＴＩのユーザデータに時間的に最も近いＤＭＲＳから可能な限り遠い事前ＤＦＴシンボルへ、マッピングすることを含む。
【００９４】
他の実施形態では、この方法は、２つ以上のＳＣ−ＦＤＭＡシンボルがユーザデータを搬送する複数の送信の各々について、送信／ＴＴＩのためのＲＩデータを、ユーザデータを搬送し、ＨＡＲＱ  ＡＣＫ／ＮＡＣＫデータがマッピングされたＳＣ−ＦＤＭＡシンボルに時間的に直接隣接しているＳＣ−ＦＤＭＡシンボルへ、および、この隣接しているＳＣ−ＦＤＭＡシンボルへマッピングし、送信／ＴＴＩのユーザデータに時間的に最も近いＤＭＲＳに可能な限り近い事前ＤＦＴシンボルへ、マッピングすることを含む。
【００９５】
いくつかの実施形態では、方法３４００は、ＨＡＲＱ  ＡＣＫ／ＮＡＣＫデータに割り当てられた、あらかじめ決定された最大数の事前ＤＦＴシンボルが与えられると、複数の送信の各々について、送信／ＴＴＩのためのＲＩデータを、ＨＡＲＱ  ＡＣＫ／ＮＡＣＫデータがマッピングされた同じＳＣ−ＦＤＭＡシンボルへ、および、ＨＡＲＱ  ＡＣＫ／ＮＡＣＫデータがマッピングされた事前ＤＦＴシンボルに可能な限り近い事前ＤＦＴシンボルへ、マッピングすることを含む。
【００９６】
方法３４００はまた、複数の送信の各々について、送信／ＴＴＩの複数のＳＣ−ＦＤＭＡシンボルが、ユーザデータを搬送するか否かを判定することを含み得る。１つのＳＣ−ＦＤＭＡシンボルのみがユーザデータを搬送する複数の送信の各々について、方法３４００はその後、送信／ＴＴＩのためのＲＩデータを、ＨＡＲＱ  ＡＣＫ／ＮＡＣＫデータがマッピングされたものと同じＳＣ−ＦＤＭＡシンボルへ、ただし、この同じＳＣ−ＦＤＭＡシンボルへマッピングするが、送信のユーザデータに時間的に最も近いＤＭＲＳから可能な限り遠い事前ＤＦＴシンボルへ、マッピングすることを含む。２つ以上のＳＣ−ＦＤＭＡシンボルが、ユーザデータを搬送する複数の送信の各々について、方法３４００はその後、送信／ＴＴＩのためのＲＩデータを、ユーザデータを搬送し、ＨＡＲＱ  ＡＣＫ／ＮＡＣＫデータがマッピングされたＳＣ−ＦＤＭＡシンボルに時間的に直接隣接しているＳＣ−ＦＤＭＡシンボルへ、および、この隣接しているＳＣ−ＦＤＭＡシンボルへマッピングし、送信のユーザデータに時間的に最も近いＤＭＲＳに可能な限り近い事前ＤＦＴシンボルへ、マッピングすることを含む。
【００９７】
場合によっては、方法３４００は、２つ以上のＳＣ−ＦＤＭＡシンボルがユーザデータを搬送する複数の送信の各々について、送信／ＴＴＩのためのＣＱＩデータを、ユーザデータを搬送する２つ以上のＳＣ−ＦＤＭＡシンボルへ可能な限り均等にマッピングすることを含み得る。
【００９８】
図３５は、いくつかの実施形態にしたがって、受信デバイス（または、受信装置）として動作するように設定されたネットワークノード３０の図解を例示する。ネットワークノード３０は、ＵＥとコアネットワークとの間の通信を容易にする。総称的な用語である「ネットワークノード」が使用されているが、ネットワークノード３０は、基地局、無線基地局、基地トランシーバ局、基地局コントローラ、ネットワークコントローラ、エボルブドノードＢ（ｅＮＢ）、ノードＢ、マルチセル／マルチキャスト連携エンティティ（ＭＣＥ）、中継ノード、アクセスポイント、無線アクセスポイント、遠隔無線ユニット（ＲＲＵ）遠隔無線ヘッド（ＲＲＨ）、コアネットワークノード（たとえば、ＭＭＥ、ＳＯＮノード、連携ノード、測位ノード、ＭＤＴノード等）、またはさらに外部ノード（たとえば、サードパーティノード、現在のネットワークに対する外部ノード）等のような無線ネットワークノードのような任意の種類のネットワークノードであり得る。ネットワークノード３０は、場合によっては、運用支援システム（ＯＳＳ）、運用および保守（Ｏ＆Ｍ）、自己組織化ネットワーク（ＳＯＮ）、測位ノード、エボルブドサービングモバイルロケーションセンタ（Ｅ−ＳＭＬＣ）、集中コントローラ、コアネットワークノード、モビリティ管理エンティティ（ＭＭＥ）、基地局コントローラ、またはネットワークコントローラをも含み得る。
【００９９】
ネットワークノード３０は、データおよびセルラ通信サービスを提供する目的のために、コアネットワーク内の他のノード、無線ノード、および／または、ネットワーク内の他のタイプのノードと通信するための回路構成を含む通信インターフェース回路３８を有する。ネットワークノード３０は、アンテナ３４およびトランシーバ回路３６を介してＵＥと通信する。トランシーバ回路３６は、セルラ通信サービスを提供する目的のために、無線アクセス技術にしたがって、信号を送受信するように集合的に設定された送信回路構成、受信回路構成、および関連付けられた制御回路を含み得る。様々な実施形態によれば、セルラ通信サービスは、３ＧＰＰセルラ規格、ＧＳＭ、一般パケット無線サービス（ＧＰＲＳ）、広帯域符号分割多元接続（ＷＣＤＭＡ）、高速ダウンリンクパケットアクセス（ＨＳＤＰＡ）、ＬＴＥおよびＬＴＥ−アドバンストのうちの任意の１つまたは複数にしたがって動作され得る。
【０１００】
ネットワークノード３０はまた、通信インターフェース回路３８またはトランシーバ回路３６と動作可能に関連付けられた１つまたは複数の処理回路３２を含む。ネットワークノード３０は、通信インターフェース回路３８を使用して、ネットワークノードと通信し、トランシーバ回路３６を使用して、ＵＥと通信する。議論を容易にするために、１つまたは複数の処理回路３２は、以後「処理回路３２」と称される。処理回路３２は、たとえば、１つまたは複数のマイクロプロセッサ、マイクロコントローラ、デジタル信号プロセッサ（ＤＳＰ）、フィールドプログラマブルゲートアレイ（ＦＰＧＡ）、複合プログラマブルロジックデバイス（ＣＰＬＤ）、特定用途向け集積回路（ＡＳＩＣ）、またはこれらの任意の組合せのような１つまたは複数のデジタルプロセッサ４２を備える。より一般的には、処理回路３２は、固定回路構成、または本明細書において教示された機能を実施するプログラム命令の実行を介して特別に設定されたプログラマブル回路構成を備え得るか、または、固定およびプログラムされた回路構成のある組合せを備え得る。プロセッサ４２は、向上された性能、低減された電力消費、およびマルチタスクのより効率的な同時処理のために利用される２つ以上のプロセッサコアを有するマルチコアであり得る。
【０１０１】
処理回路３２はまた、メモリ４４を含む。いくつかの実施形態では、メモリ４４は、１つまたは複数のコンピュータプログラム４６、およびオプションで、設定データ４８を記憶する。メモリ４４は、コンピュータプログラム４６のために非一時的な記憶装置を提供し、ディスク記憶装置、固体メモリ記憶装置、またはこれらの任意の組合せのような１つまたは複数のタイプのコンピュータ可読媒体を備え得る。非限定的な例として、メモリ４４は、ＳＲＡＭ、ＤＲＡＭ、ＥＥＰＲＯＭ、およびＦＬＡＳＨメモリのうちの任意の１つまたは複数を備え、これらは処理回路３２内に存在し得、および／または、処理回路３２から分離され得る。
【０１０２】
一般に、メモリ４４は、ネットワークノード３０によって使用されるコンピュータプログラム４６および任意の設定データ４８の非一時的な記憶を提供する１つまたは複数のタイプのコンピュータ可読記憶媒体を備える。ここで、「非一時的な」は、永続的、半永続的、または少なくとも一時的に持続性のある記憶装置であり、たとえばプログラム実行のための不揮発性メモリ内の長期記憶装置と、作業メモリ内の記憶装置との両方を含む。
【０１０３】
いくつかの実施形態では、処理回路３２のプロセッサ４２は、ＳＣ−ＦＤＭＡ信号として受信された複数のＴＴＩ／送信の各々から、制御情報をデマッピングするために受信機（または受信装置）として動作するようにプロセッサ４２を設定する、メモリ４４に記憶されたコンピュータプログラム４６を実行し得、ここで、複数の送信時間間隔の各々は、１つまたは複数のＳＣ−ＦＤＭＡシンボルを備え、制御情報は、複数の送信の各々について、少なくともＨＡＲＱ  ＡＣＫ／ＮＡＣＫデータを備え、さらに、ＲＩデータおよび／またはＣＱＩデータをも備え得る。したがって、処理回路３２は、複数の送信の各々について、ＳＣ−ＦＤＭＡ信号を受信するように設定された（トランシーバ回路３６の）受信回路構成を制御するように設定される。処理回路３２は、複数の送信の各々について、この送信において受信されたユーザデータが、ユーザデータの前に送信されるＤＭＲＳに、または、ユーザデータの後に送信されたＤＭＲＳに、時間的に最も近いかを判定するように設定される。
【０１０４】
処理回路３２は、送信において受信されたユーザデータが、ユーザデータの前に送信されるＤＭＲＳに時間的に最も近い複数の送信の各々について、送信／ＴＴＩのためのすべてのＨＡＲＱ  ＡＣＫ／ＮＡＣＫデータを、ユーザデータを搬送する送信／ＴＴＩの時間的に最も早いＳＣ−ＦＤＭＡシンボルから、および、ユーザデータの前に送信されるＤＭＲＳに時間的に最も近い事後逆拡散シンボルから、デマッピングするように設定される。処理回路３２はまた、送信において受信されたユーザデータが、ユーザデータの後に送信されたＤＭＲＳに時間的に最も近い複数の送信の各々について、送信／ＴＴＩのためのすべてのＨＡＲＱ  ＡＣＫ／ＮＡＣＫデータを、ユーザデータを搬送する送信／ＴＴＩの時間的に最後のＳＣ−ＦＤＭＡシンボルから、および、ユーザデータの後に送信されたＤＭＲＳに時間的に最も近い事後逆拡散シンボルから、デマッピングするように設定される。この機能は、処理回路３２内のデマッピング回路構成４０によって実行され得る。上述したのと同様に、ネットワークノード３０とＵＥ５０の両方は、マッピング回路構成６０とデマッピング回路構成４０の任意の組合せで設定され得る。
【０１０５】
特定の実施に関わらず、ネットワークノード３０の処理回路３２は、ＳＣ−ＦＤＭＡ信号として受信された複数の送信の各々から、制御情報をデマッピングする方法３６００を実行するように設定され、複数の送信の各々は、１つまたは複数のＳＣ−ＦＤＭＡシンボルを備え、制御情報は、複数の送信の各々について、少なくともＨＡＲＱ  ＡＣＫ／ＮＡＣＫデータ、ＲＩデータ、およびＣＱＩデータを備える。方法３６００は、図３６に例示されており、複数の送信の各々について、ＳＣ−ＦＤＭＡ信号を受信することを含む（ブロック３６０２）。方法３６００はまた、複数の送信の各々について、送信において受信されたユーザデータが、ユーザデータの前に送信されるＤＭＲＳに、または、ユーザデータの後に送信されたＤＭＲＳに、時間的に最も近いかを判定することを含む（ブロック３６０４）。送信において受信されたユーザデータが、ユーザデータの前に送信されるＤＭＲＳに時間的に最も近い複数の送信の各々について、送信／ＴＴＩのためのすべてのＨＡＲＱ  ＡＣＫ／ＮＡＣＫデータを、ユーザデータを搬送する送信／ＴＴＩの時間的に最も早いＳＣ−ＦＤＭＡシンボルから、および、ユーザデータの前に送信されるＤＭＲＳに時間的に最も近い逆拡散シンボルから、デマッピングする（ブロック３６０６）。この方法３６００はまた、送信において受信されたユーザデータが、ユーザデータの後に送信されたＤＭＲＳに時間的に最も近い複数の送信の各々について、送信／ＴＴＩのためのすべてのＨＡＲＱ  ＡＣＫ／ＮＡＣＫデータを、ユーザデータを搬送する送信／ＴＴＩの時間的に最後のＳＣ−ＦＤＭＡシンボルから、および、ユーザデータの後に送信されたＤＭＲＳに時間的に最も近い事後逆拡散シンボルから、デマッピングすることを含む（ブロック３６０８）。
【０１０６】
いくつかの実施形態では、複数の送信の各々について、方法３６００は、送信／ＴＴＩのためのＲＩデータを、ＨＡＲＱ  ＡＣＫ／ＮＡＣＫデータがマッピングされた同じＳＣ−ＦＤＭＡシンボルから、ただし、この同じＳＣ−ＦＤＭＡシンボルへマッピングするが、送信のユーザデータに時間的に最も近いＤＭＲＳから可能な限り遠い事後逆拡散シンボルから、デマッピングすることを含む。
【０１０７】
他の実施形態では、２つ以上のＳＣ−ＦＤＭＡシンボルがユーザデータを搬送する複数の送信の各々について、方法３６００は、送信／ＴＴＩのためのＲＩデータを、ユーザデータを搬送し、ＨＡＲＱ  ＡＣＫ／ＮＡＣＫデータがマッピングされたＳＣ−ＦＤＭＡシンボルに時間的に直接隣接しているＳＣ−ＦＤＭＡシンボルから、および、この隣接しているＳＣ−ＦＤＭＡシンボルへマッピングし、送信のユーザデータに時間的に最も近いＤＭＲＳに可能な限り近い事後逆拡散シンボルから、デマッピングすることを含む。
【０１０８】
いくつかの実施形態では、複数の送信の各々について、方法３６００は、ＨＡＲＱ  ＡＣＫ／ＮＡＣＫデータに割り当てられた、あらかじめ決定された最大数の事後逆拡散シンボルが与えられると、送信／ＴＴＩのためのＲＩデータを、ＨＡＲＱ  ＡＣＫ／ＮＡＣＫデータがマッピングされたものと同じＳＣ−ＦＤＭＡシンボルから、および、ＨＡＲＱ  ＡＣＫ／ＮＡＣＫデータがマッピングされている事後逆拡散シンボルに可能な限り近い事後逆拡散シンボルから、デマッピングすることを含む。
【０１０９】
方法３６００は、複数の送信の各々について、送信の複数のＳＣ−ＦＤＭＡシンボルが、ユーザデータを搬送するか否かを判定することを含み得る。１つのＳＣ−ＦＤＭＡシンボルのみがユーザデータを搬送する複数の送信の各々について、方法３６００は、送信／ＴＴＩのためのＲＩデータを、ＨＡＲＱ  ＡＣＫ／ＮＡＣＫデータがマッピングされたものと同じＳＣ−ＦＤＭＡシンボルから、ただし、この同じＳＣ−ＦＤＭＡシンボルへマッピングするが、送信のユーザデータに時間的に最も近いＤＭＲＳから可能な限り遠い事後逆拡散シンボルから、デマッピングすることを含む。２つ以上のＳＣ−ＦＤＭＡシンボルがユーザデータを搬送する複数の送信の各々について、方法３６００はその後、送信／ＴＴＩのためのＲＩデータを、ユーザデータを搬送し、ＨＡＲＱ  ＡＣＫ／ＮＡＣＫデータがマッピングされたＳＣ−ＦＤＭＡシンボルに時間的に直接隣接しているＳＣ−ＦＤＭＡシンボルから、および、この隣接しているＳＣ−ＦＤＭＡシンボルへマッピングし、送信のユーザデータに時間的に最も近いＤＭＲＳに可能な限り近い事後逆拡散シンボルから、デマッピングすることを含む。
【０１１０】
いくつかの実施形態では、２つ以上のＳＣ−ＦＤＭＡシンボルがユーザデータを搬送する複数の送信の各々について、方法３６００は、送信／ＴＴＩのためのＣＱＩデータを、ユーザデータを搬送する２つ以上のＳＣ−ＦＤＭＡシンボルから可能な限り均等にデマッピングすることを含む。
【０１１１】
他の実施形態では、２つ以上のＳＣ−ＦＤＭＡシンボルがユーザデータを搬送する複数の送信の各々について、方法３６００は、送信／ＴＴＩのためのＣＱＩデータを、ユーザデータを搬送する第１のＳＣ−ＦＤＭＡシンボルへマッピングしている事前ＤＦＴシンボルから、可能な限りデマッピングし、その後、残りすべてのＣＱＩデータを、１つまたは複数の後続するＳＣ−ＦＤＭＡシンボルからデマッピングすることを含む。
【０１１２】
図３７は、ＳＣ−ＦＤＭＡ信号としての送信のために、制御情報を複数の送信の各々へマッピングするために、マッピング回路構成６０に基づいて、ネットワークノード３０において実施され得るような例示的な機能モジュールまたは回路アーキテクチャを例示し、複数の送信の各々は、１つまたは複数のＳＣ−ＦＤＭＡシンボルを備え、制御情報は、複数の送信の各々について少なくともＨＡＲＱ  ＡＣＫ／ＮＡＣＫデータ、ＲＩデータ、およびＣＱＩデータを備える。例示された実施形態は、少なくとも機能的に、複数の送信の各々について、送信において送信されるユーザデータが、ユーザデータの前に送信されるＤＭＲＳに、または、ユーザデータの後に送信されたＤＭＲＳに、時間的に最も近くなるかを判定するための判定モジュール３７０２を含む。この実施は、送信において送信されるユーザデータが、ユーザデータの前に送信されるＤＭＲＳに時間的に最も近くなる複数の送信の各々について、送信／ＴＴＩのためのすべてのＨＡＲＱ  ＡＣＫ／ＮＡＣＫデータを、ユーザデータを搬送する送信の時間的に最も早いＳＣ−ＦＤＭＡシンボルへ、および、ユーザデータの前に送信されるＤＭＲＳに時間的に最も近い事前ＤＦＴシンボルへ、マッピングするためのマッピングモジュール３７０４を含む。マッピングモジュール３７０４はまた、送信において送信されるユーザデータが、ユーザデータの後に送信されたＤＭＲＳに時間的に最も近くなる複数の送信の各々について、送信／ＴＴＩのためのすべてのＨＡＲＱ  ＡＣＫ／ＮＡＣＫデータを、ユーザデータを搬送する送信の時間的に最後のＳＣ−ＦＤＭＡシンボルへ、および、ユーザデータの後に送信されたＤＭＲＳに時間的に最も近い事前ＤＦＴシンボルへ、マッピングするためのものである。この実施は、ＨＡＲＱ  ＡＣＫ／ＮＡＣＫデータのマッピングに基づいて、複数の送信の各々について、ユーザデータからのＳＣ−ＦＤＭＡ信号と、送信のための制御情報とを形成するための信号形成モジュール３７０６を含む。
【０１１３】
図３８は、ＳＣ−ＦＤＭＡ信号としての送信のために、複数の送信の各々に制御情報をマッピングすることをも実行するように設定されている回路構成６０に基づいて、ＵＥ５０において実施され得る例示的な機能モジュールまたは回路アーキテクチャを例示し、複数の送信の各々は、１つまたは複数のＳＣ−ＦＤＭＡシンボルを備え、制御情報は、複数の送信の各々について少なくともＨＡＲＱ  ＡＣＫ／ＮＡＣＫデータ、ＲＩデータ、およびＣＱＩデータを備える。例示された実施形態は、少なくとも機能的に、複数の送信の各々について、送信において送信されるユーザデータが、ユーザデータの前に送信されるＤＭＲＳに、または、ユーザデータの後に送信されたＤＭＲＳに、時間的に最も近くなるかを判定するための判定モジュール３８０２を含む。この実施は、送信において送信されるユーザデータが、ユーザデータの前に送信されるＤＭＲＳに時間的に最も近くなる複数の送信の各々について、その送信／ＴＴＩのためのすべてのＨＡＲＱ  ＡＣＫ／ＮＡＣＫデータを、ユーザデータを搬送する送信／ＴＴＩの時間的に最も早いＳＣ−ＦＤＭＡシンボルへ、および、ユーザデータの前に送信されるＤＭＲＳに時間的に最も近い事前ＤＦＴシンボルへ、マッピングするためのマッピングモジュール３８０４を含む。マッピングモジュール３８０４はまた、送信において送信されるユーザデータが、ユーザデータの後に送信されたＤＭＲＳに時間的に最も近くなる複数の送信の各々について、送信／ＴＴＩのためのすべてのＨＡＲＱ  ＡＣＫ／ＮＡＣＫデータを、ユーザデータを搬送する送信／ＴＴＩの時間的に最後のＳＣ−ＦＤＭＡシンボルへ、および、ユーザデータの後に送信されたＤＭＲＳに時間的に最も近い事前ＤＦＴシンボルへ、マッピングするためのものである。この実施は、ＨＡＲＱ  ＡＣＫ／ＮＡＣＫデータのマッピングに基づいて、複数の送信の各々について、送信／ＴＴＩのためのユーザデータおよび制御情報から、ＳＣ−ＦＤＭＡ信号を形成するための信号形成モジュール３８０６を含む。
【０１１４】
図３９は、ＳＣ−ＦＤＭＡ信号として受信された複数の送信の各々から、制御情報をデマッピングするようにも設定された回路構成４０に基づいて、ネットワークノード３０において実施され得るような例示的な機能モジュールまたは回路アーキテクチャを例示し、複数の送信の各々は、１つまたは複数のＳＣ−ＦＤＭＡシンボルを備え、制御情報は、複数の送信／ＴＴＩの各々について、少なくともＨＡＲＱ  ＡＣＫ／ＮＡＣＫデータ、ＲＩデータ、およびＣＱＩデータを備える。例示された実施形態は、少なくとも機能的に、複数の送信の各々について、ＳＣ−ＦＤＭＡ信号を受信するための受信モジュール３９０２を含む。この実施はまた、複数の送信の各々について、送信において受信されたユーザデータが、ユーザデータの前に送信されるＤＭＲＳに、または、ユーザデータの後に送信されたＤＭＲＳに、時間的に最も近いかを判定するための判定モジュール３９０４を含む。この実施は、送信において受信されたユーザデータが、ユーザデータの前に送信されるＤＭＲＳに時間的に最も近い複数の送信の各々について、その送信／ＴＴＩのためのすべてのＨＡＲＱ  ＡＣＫ／ＮＡＣＫデータを、ユーザデータを搬送する送信の、時間的に最も早いＳＣ−ＦＤＭＡシンボルから、および、ユーザデータの前に送信されるＤＭＲＳに時間的に最も近い事後逆拡散シンボルから、デマッピングするためのデマッピングモジュール３９０６を含む。デマッピングモジュール３９０６はまた、送信において受信されたユーザデータが、ユーザデータの後に送信されたＤＭＲＳに時間的に最も近い複数の送信の各々について、送信／ＴＴＩのためのすべてのＨＡＲＱ  ＡＣＫ／ＮＡＣＫデータを、ユーザデータを搬送する送信の時間的に最後のＳＣ−ＦＤＭＡシンボルから、および、ユーザデータの後に送信されたＤＭＲＳに時間的に最も近い事後逆拡散シンボルから、デマッピングするためのものである。
【０１１５】
図４０は、ＳＣ−ＦＤＭＡ信号として受信された複数の送信の各々から、制御情報をデマッピングするように設定された回路構成６０に基づいて、ＵＥ５０において実施され得るような例示的な機能モジュールまたは回路アーキテクチャを例示しており、複数の送信の各々は、１つまたは複数のＳＣ−ＦＤＭＡシンボルを備え、制御情報は、複数の送信の各々について少なくともＨＡＲＱ  ＡＣＫ／ＮＡＣＫデータ、ＲＩデータ、およびＣＱＩデータを備える。例示された実施形態は、少なくとも機能的に、複数の送信の各々について、ＳＣ−ＦＤＭＡ信号を受信するための受信モジュール４００２を含む。この実施はまた、複数の送信の各々について、送信において受信されたユーザデータが、ユーザデータの前に送信されるＤＭＲＳに、または、ユーザデータの後に送信されたＤＭＲＳに、時間的に最も近いかを判定するための判定モジュール４００４を含む。実施は、送信において受信されたユーザデータが、ユーザデータの前に送信されるＤＭＲＳに時間的に最も近い複数の送信の各々について、送信／ＴＴＩのためのすべてのＨＡＲＱ  ＡＣＫ／ＮＡＣＫデータを、ユーザデータを搬送する送信／ＴＴＩの時間的に最も早いＳＣ−ＦＤＭＡシンボルから、および、ユーザデータの前に送信されるＤＭＲＳに時間的に最も近い事後逆拡散シンボルから、デマッピングするためのデマッピングモジュール４００６を含む。デマッピングモジュール４００６はまた、送信において受信されたユーザデータが、ユーザデータの後に送信されたＤＭＲＳに時間的に最も近い複数の送信の各々について、送信／ＴＴＩのためのすべてのＨＡＲＱ  ＡＣＫ／ＮＡＣＫデータを、ユーザデータを搬送する送信／ＴＴＩの時間的に最後のＳＣ−ＦＤＭＡシンボルから、および、ユーザデータの後に送信されたＤＭＲＳに時間的に最も近い事後逆拡散シンボルから、デマッピングするためのものである。
【０１１６】
上記の議論および詳細説明に鑑み、本開示の技術および装置の実施形態は、限定されるものではないが、以下の列挙された実施形態を含むことが認識されるだろう。
【０１１７】
（ａ）送信デバイスにおいて、シングルキャリア周波数分割多元接続（ＳＣ−ＦＤＭＡ）信号としての送信のために、制御情報を、複数の送信時間間隔（ＴＴＩ）の各々へマッピングする方法であって、複数の送信時間間隔の各々は、１つまたは複数のＳＣ−ＦＤＭＡシンボルを備え、制御情報は、複数のＴＴＩの各々について少なくともハイブリッド自動再送要求（ＨＡＲＱ）ＡＣＫ／ＮＡＣＫデータを備え、この方法は、
複数のＴＴＩの各々について、ＴＴＩにおいて送信されるユーザデータが、ユーザデータの前に送信される復調用参照信号（ＤＭＲＳ）に、または、ユーザデータの後に送信されたＤＭＲＳに、時間的に最も近くなるかを判定することと、
ＴＴＩにおいて送信されるユーザデータが、ユーザデータの前に送信されるＤＭＲＳに時間的に最も近くなる複数のＴＴＩの各々について、ＴＴＩのためのすべてのＨＡＲＱ  ＡＣＫ／ＮＡＣＫデータを、ユーザデータを搬送するＴＴＩの時間的に最も早いＳＣ−ＦＤＭＡシンボルへ、および、ユーザデータの前に送信されるＤＭＲＳに時間的に最も近い事前離散フーリエ変換（事前ＤＦＴ）シンボルへ、マッピングすることと、
ＴＴＩにおいて送信されるユーザデータが、ユーザデータの後に送信されたＤＭＲＳに時間的に最も近くなる複数のＴＴＩの各々について、ＴＴＩのためのすべてのＨＡＲＱ  ＡＣＫ／ＮＡＣＫデータを、ユーザデータを搬送するＴＴＩの時間的に最後のＳＣ−ＦＤＭＡシンボルへ、および、ユーザデータの後に送信されたＤＭＲＳに時間的に最も近い事前ＤＦＴシンボルへ、マッピングすることと、
複数のＴＴＩの各々について、ＨＡＲＱ  ＡＣＫ／ＮＡＣＫデータのマッピングに基づいて、ＴＴＩのためのユーザデータおよび制御情報から、ＳＣ−ＦＤＭＡ信号を形成することとを備える。
【０１１８】
（ｂ）例示的な実施形態（ａ）の方法であって、この方法はさらに、
複数のＴＴＩの各々について、ＴＴＩのためのランクインジケータ（ＲＩ）データを、ＨＡＲＱ  ＡＣＫ／ＮＡＣＫデータがマッピングされた同じＳＣ−ＦＤＭＡシンボルへ、ただし、この同じＳＣ−ＦＤＭＡシンボルへマッピングするが、ＴＴＩのユーザデータに時間的に最も近いＤＭＲＳから可能な限り遠い事前ＤＦＴシンボルへマッピングすることを備える。
【０１１９】
（ｃ）例示的な実施形態（ａ）の方法であって、この方法はさらに、
２つ以上のＳＣ−ＦＤＭＡシンボルがユーザデータを搬送する複数のＴＴＩの各々について、ＴＴＩのためのランクインジケータ（ＲＩ）データを、ユーザデータを搬送し、ＨＡＲＱ  ＡＣＫ／ＮＡＣＫデータがマッピングされたＳＣ−ＦＤＭＡシンボルに時間的に直接隣接しているＳＣ−ＦＤＭＡシンボルへ、および、この隣接しているＳＣ−ＦＤＭＡシンボルへマッピングし、ＴＴＩのユーザデータに時間的に最も近いＤＭＲＳに可能な限り近い事前ＤＦＴシンボルへ、マッピングすることを備える。
【０１２０】
（ｄ）実施形態（ａ）の方法であって、この方法はさらに、
ＨＡＲＱ  ＡＣＫ／ＮＡＣＫデータに割り当てられた、あらかじめ決定された最大数の事前ＤＦＴシンボルが与えられると、複数のＴＴＩの各々について、ＴＴＩのためのランクインジケータ（ＲＩ）データを、ＨＡＲＱ  ＡＣＫ／ＮＡＣＫデータがマッピングされた同じＳＣ−ＦＤＭＡシンボルへ、および、ＨＡＲＱ  ＡＣＫ／ＮＡＣＫデータがマッピングされた事前ＤＦＴシンボルに可能な限り近い事前ＤＦＴシンボルへ、マッピングすることを備える。
【０１２１】
（ｅ）例示的な実施形態（ａ）の方法であって、この方法はさらに、
複数のＴＴＩの各々について、ＴＴＩの複数のＳＣ−ＦＤＭＡシンボルが、ユーザデータを搬送するか否かを判定することと、
１つのＳＣ−ＦＤＭＡシンボルのみがユーザデータを搬送する複数のＴＴＩの各々について、ＴＴＩのためのランクインジケータ（ＲＩ）データを、ＨＡＲＱ  ＡＣＫ／ＮＡＣＫデータがマッピングされた同じＳＣ−ＦＤＭＡシンボルへ、ただし、この同じＳＣ−ＦＤＭＡシンボルへマッピングするが、ＴＴＩのユーザデータに時間的に最も近いＤＭＲＳから可能な限り遠い事前ＤＦＴシンボルへ、マッピングすることと、
２つ以上のＳＣ−ＦＤＭＡシンボルがユーザデータを搬送する複数のＴＴＩの各々について、ＴＴＩのためのＲＩデータを、ユーザデータを搬送し、ＨＡＲＱ  ＡＣＫ／ＮＡＣＫデータがマッピングされたＳＣ−ＦＤＭＡシンボルに時間的に直接隣接しているＳＣ−ＦＤＭＡシンボルへ、および、この隣接しているＳＣ−ＦＤＭＡシンボルへマッピングし、ＴＴＩのユーザデータに時間的に最も近いＤＭＲＳに可能な限り近い事前ＤＦＴシンボルへ、マッピングすることとを備える。
【０１２２】
（ｆ）例示的な実施形態（ａ）〜（ｅ）のうちのいずれかの方法であって、この方法はさらに、
２つ以上のＳＣ−ＦＤＭＡシンボルがユーザデータを搬送する複数のＴＴＩの各々について、ＴＴＩのためのチャネル品質インジケータ（ＣＱＩ）データを、ユーザデータを搬送する２つ以上のＳＣ−ＦＤＭＡシンボルへ可能な限り均等にマッピングすることを備える。
【０１２３】
（ｇ）例示的な実施形態（ａ）〜（ｅ）のうちのいずれかの方法であって、この方法はさらに、
２つ以上のＳＣ−ＦＤＭＡシンボルがユーザデータを搬送する複数のＴＴＩの各々について、ＴＴＩのためのチャネル品質インジケータ（ＣＱＩ）データを、ユーザデータを搬送する第１のＳＣ−ＦＤＭＡシンボルへマッピングする事前ＤＦＴシンボルへ、可能な限りマッピングし、残りすべてのＣＱＩデータを、１つまたは複数の後続するＳＣ−ＦＤＭＡシンボルへマッピングすることを備える。
【０１２４】
（ｈ）シングルキャリア周波数分割多元接続（ＳＣ−ＦＤＭＡ）信号としての送信のために、制御情報を、複数の送信時間間隔（ＴＴＩ）の各々へマッピングするように設定された送信装置であって、複数の送信時間間隔の各々は、１つまたは複数のＳＣ−ＦＤＭＡシンボルを備え、制御情報は、複数のＴＴＩの各々について少なくともハイブリッド自動再送要求（ＨＡＲＱ）ＡＣＫ／ＮＡＣＫデータを備え、送信装置は、
複数のＴＴＩの各々について、ＴＴＩにおいて送信されるユーザデータが、ユーザデータの前に送信される復調用参照信号（ＤＭＲＳ）に、または、ユーザデータの後に送信されたＤＭＲＳに、時間的に最も近くなるかを判定し、
ＴＴＩにおいて送信されるユーザデータが、ユーザデータの前に送信されるＤＭＲＳに時間的に最も近くなる複数のＴＴＩの各々について、ＴＴＩのためのすべてのＨＡＲＱ  ＡＣＫ／ＮＡＣＫデータを、ユーザデータを搬送するＴＴＩの時間的に最も早いＳＣ−ＦＤＭＡシンボルへ、および、ユーザデータの前に送信されるＤＭＲＳに時間的に最も近い事前離散フーリエ変換（事前ＤＦＴ）シンボルへ、マッピングし、
ＴＴＩにおいて送信されるユーザデータが、ユーザデータの後に送信されたＤＭＲＳに時間的に最も近くなる複数のＴＴＩの各々について、ＴＴＩのためのすべてのＨＡＲＱ  ＡＣＫ／ＮＡＣＫデータを、ユーザデータを搬送するＴＴＩの時間的に最後のＳＣ−ＦＤＭＡシンボルへ、および、ユーザデータの後に送信されたＤＭＲＳに時間的に最も近い事前ＤＦＴシンボルへ、マッピングし、
複数のＴＴＩの各々について、ＨＡＲＱ  ＡＣＫ／ＮＡＣＫデータのマッピングに基づいて、ＴＴＩのためのユーザデータおよび制御情報から、ＳＣ−ＦＤＭＡ信号を形成する
ように設定された処理回路構成と、
ＳＣ−ＦＤＭＡ信号を送信するように設定された送信回路構成とを備える。
【０１２５】
（ｉ）例示的な実施形態（ｈ）の送信装置であって、処理回路構成はさらに、
複数のＴＴＩの各々について、ＴＴＩのためのランクインジケータ（ＲＩ）データを、ＨＡＲＱ  ＡＣＫ／ＮＡＣＫデータがマッピングされた同じＳＣ−ＦＤＭＡシンボルへ、ただし、この同じＳＣ−ＦＤＭＡシンボルへマッピングするが、ＴＴＩのユーザデータに時間的に最も近いＤＭＲＳから可能な限り遠い事前ＤＦＴシンボルへ、マッピングするように設定される。
【０１２６】
（ｊ）例示的な実施形態（ｈ）の送信装置であって、処理回路構成はさらに、
２つ以上のＳＣ−ＦＤＭＡシンボルがユーザデータを搬送する複数のＴＴＩの各々について、ＴＴＩのためのランクインジケータ（ＲＩ）データを、ユーザデータを搬送し、ＨＡＲＱ  ＡＣＫ／ＮＡＣＫデータがマッピングされたＳＣ−ＦＤＭＡシンボルに時間的に直接隣接しているＳＣ−ＦＤＭＡシンボルへ、および、この隣接しているＳＣ−ＦＤＭＡシンボルへマッピングし、ＴＴＩのユーザデータに時間的に最も近いＤＭＲＳに可能な限り近い事前ＤＦＴシンボルへ、マッピングするように設定される。
【０１２７】
（ｋ）実施形態（ｈ）の送信装置であって、処理回路構成はさらに、
ＨＡＲＱ  ＡＣＫ／ＮＡＣＫデータに割り当てられた、あらかじめ決定された最大数の事前ＤＦＴシンボルが与えられると、複数のＴＴＩの各々について、ＴＴＩのためのランクインジケータ（ＲＩ）データを、ＨＡＲＱ  ＡＣＫ／ＮＡＣＫデータがマッピングされた同じＳＣ−ＦＤＭＡシンボルへ、および、ＨＡＲＱ  ＡＣＫ／ＮＡＣＫデータがマッピングされた事前ＤＦＴシンボルに可能な限り近い事前ＤＦＴシンボルへ、マッピングするように設定される。
【０１２８】
（ｌ）例示的な実施形態（ｈ）の送信装置であって、処理回路構成はさらに、
複数のＴＴＩの各々について、ＴＴＩの複数のＳＣ−ＦＤＭＡシンボルが、ユーザデータを搬送するか否かを判定し、
１つのＳＣ−ＦＤＭＡシンボルのみがユーザデータを搬送する複数のＴＴＩの各々について、ＴＴＩのためのランクインジケータ（ＲＩ）データを、ＨＡＲＱ  ＡＣＫ／ＮＡＣＫデータがマッピングされた同じＳＣ−ＦＤＭＡシンボルへ、ただし、この同じＳＣ−ＦＤＭＡシンボルへマッピングするが、ＴＴＩのユーザデータに時間的に最も近いＤＭＲＳから可能な限り遠い事前ＤＦＴシンボルへ、マッピングし、
２つ以上のＳＣ−ＦＤＭＡシンボルがユーザデータを搬送する複数のＴＴＩの各々について、ＴＴＩのためのＲＩデータを、ユーザデータを搬送し、ＨＡＲＱ  ＡＣＫ／ＮＡＣＫデータがマッピングされたＳＣ−ＦＤＭＡシンボルに時間的に直接隣接しているＳＣ−ＦＤＭＡシンボルへ、および、この隣接しているＳＣ−ＦＤＭＡシンボルへマッピングし、ＴＴＩのユーザデータに時間的に最も近いＤＭＲＳに可能な限り近い事前ＤＦＴシンボルへ、マッピングするように設定される。
【０１２９】
（ｍ）例示的な実施形態（ｈ）〜（ｌ）のうちのいずれかの送信装置であって、処理回路構成はさらに、
２つ以上のＳＣ−ＦＤＭＡシンボルがユーザデータを搬送する複数のＴＴＩの各々について、ＴＴＩのためのチャネル品質インジケータ（ＣＱＩ）データを、ユーザデータを搬送する２つ以上のＳＣ−ＦＤＭＡシンボルへ可能な限り均等にマッピングするように設定される。
【０１３０】
（ｎ）例示的な実施形態（ｈ）〜（ｌ）のうちのいずれかの送信装置であって、処理回路構成はさらに、
２つ以上のＳＣ−ＦＤＭＡシンボルがユーザデータを搬送する複数のＴＴＩの各々について、ＴＴＩのためのチャネル品質インジケータ（ＣＱＩ）データを、ユーザデータを搬送する第１のＳＣ−ＦＤＭＡシンボルへマッピングする事前ＤＦＴシンボルへ可能な限りマッピングし、残りすべてのＣＱＩデータを、１つまたは複数の後続するＳＣ−ＦＤＭＡシンボルへマッピングするように設定される。
【０１３１】
（ｏ）受信デバイスにおいて、シングルキャリア周波数分割多元接続（ＳＣ−ＦＤＭＡ）信号として受信された、複数の送信時間間隔（ＴＴＩ）の各々から、制御情報をデマッピングする方法であって、複数の送信時間間隔の各々は、１つまたは複数のＳＣ−ＦＤＭＡシンボルを備え、制御情報は、複数のＴＴＩの各々について少なくともハイブリッド自動再送要求（ＨＡＲＱ）ＡＣＫ／ＮＡＣＫデータを備え、この方法は、
複数のＴＴＩの各々について、ＳＣ−ＦＤＭＡ信号を受信することと、
複数のＴＴＩの各々について、ＴＴＩにおいて受信されたユーザデータが、ユーザデータの前に送信される復調用参照信号（ＤＭＲＳ）に、または、ユーザデータの後に送信されたＤＭＲＳに、時間的に最も近いかを判定することと、
ＴＴＩにおいて受信されたユーザデータが、ユーザデータの前に送信されるＤＭＲＳに時間的に最も近い複数のＴＴＩの各々について、ＴＴＩのためのすべてのＨＡＲＱ  ＡＣＫ／ＮＡＣＫデータを、ユーザデータを搬送するＴＴＩの時間的に最も早いＳＣ−ＦＤＭＡシンボルから、および、ユーザデータの前に送信されるＤＭＲＳに時間的に最も近い事後逆拡散シンボルから、デマッピングすることと、
ＴＴＩにおいて受信されたユーザデータが、ユーザデータの後に送信されたＤＭＲＳに時間的に最も近い複数のＴＴＩの各々について、ＴＴＩのためのすべてのＨＡＲＱ  ＡＣＫ／ＮＡＣＫデータを、ユーザデータを搬送するＴＴＩの時間的に最後のＳＣ−ＦＤＭＡシンボルから、および、ユーザデータの後に送信されたＤＭＲＳに時間的に最も近い事後逆拡散シンボルから、デマッピングすることとを備える。
【０１３２】
（ｐ）例示的な実施形態（ｏ）の方法であって、この方法はさらに、
複数のＴＴＩの各々について、ＴＴＩのためのランクインジケータ（ＲＩ）データを、ＨＡＲＱ  ＡＣＫ／ＮＡＣＫデータがマッピングされた同じＳＣ−ＦＤＭＡシンボルから、ただし、この同じＳＣ−ＦＤＭＡシンボルへマッピングするが、ＴＴＩのユーザデータに時間的に最も近いＤＭＲＳから可能な限り遠い事後逆拡散シンボルから、デマッピングすることを備える。
【０１３３】
（ｑ）例示的な実施形態（ｏ）の方法であって、この方法はさらに、
２つ以上のＳＣ−ＦＤＭＡシンボルがユーザデータを搬送する複数のＴＴＩの各々について、ＴＴＩのためのランクインジケータ（ＲＩ）データを、ユーザデータを搬送し、ＨＡＲＱ  ＡＣＫ／ＮＡＣＫデータがマッピングされたＳＣ−ＦＤＭＡシンボルに時間的に直接隣接しているＳＣ−ＦＤＭＡシンボルから、および、この隣接しているＳＣ−ＦＤＭＡシンボルへマッピングし、ＴＴＩのユーザデータに時間的に最も近いＤＭＲＳに可能な限り近い事後逆拡散シンボルから、デマッピングすることを備える。
【０１３４】
（ｒ）実施形態（ｏ）の方法であって、この方法はさらに、
ＨＡＲＱ  ＡＣＫ／ＮＡＣＫデータに割り当てられた、あらかじめ決定された最大数の事後逆拡散シンボルが与えられると、複数のＴＴＩの各々について、ＴＴＩのためのランクインジケータ（ＲＩ）データを、ＨＡＲＱ  ＡＣＫ／ＮＡＣＫデータがマッピングされた同じＳＣ−ＦＤＭＡシンボルから、および、ＨＡＲＱ  ＡＣＫ／ＮＡＣＫデータがマッピングされた事後逆拡散シンボルに可能な限り近い事後逆拡散シンボルから、デマッピングすることを備える。
【０１３５】
（ｓ）例示的な実施形態（ｏ）の方法であって、この方法はさらに、
複数のＴＴＩの各々について、ＴＴＩの複数のＳＣ−ＦＤＭＡシンボルが、ユーザデータを搬送するか否かを判定することと、
１つのＳＣ−ＦＤＭＡシンボルのみがユーザデータを搬送する複数のＴＴＩの各々について、ＴＴＩのためのランクインジケータ（ＲＩ）データを、ＨＡＲＱ  ＡＣＫ／ＮＡＣＫデータがマッピングされた同じＳＣ−ＦＤＭＡシンボルから、ただし、この同じＳＣ−ＦＤＭＡシンボルへマッピングするが、ＴＴＩのユーザデータに時間的に最も近いＤＭＲＳから可能な限り遠い事後逆拡散シンボルから、デマッピングすることと、
２つ以上のＳＣ−ＦＤＭＡシンボルがユーザデータを搬送する複数のＴＴＩの各々について、ＴＴＩのためのＲＩデータを、ユーザデータを搬送し、ＨＡＲＱ  ＡＣＫ／ＮＡＣＫデータがマッピングされたＳＣ−ＦＤＭＡシンボルに時間的に直接隣接しているＳＣ−ＦＤＭＡシンボルから、および、この隣接しているＳＣ−ＦＤＭＡシンボルへマッピングし、ＴＴＩのユーザデータに時間的に最も近いＤＭＲＳに可能な限り近い事後逆拡散シンボルから、デマッピングすることとを備える。
【０１３６】
（ｔ）例示的な実施形態（ｏ）〜（ｓ）のうちのいずれかの方法であって、この方法はさらに、
２つ以上のＳＣ−ＦＤＭＡシンボルがユーザデータを搬送する複数のＴＴＩの各々について、ＴＴＩのためのチャネル品質インジケータ（ＣＱＩ）データを、ユーザデータを搬送する２つ以上のＳＣ−ＦＤＭＡシンボルから、可能な限り均等にデマッピングすることを備える。
【０１３７】
（ｕ）例示的な実施形態（ｏ）〜（ｓ）のうちのいずれかの方法であって、この方法はさらに、
２つ以上のＳＣ−ＦＤＭＡシンボルがユーザデータを搬送する複数のＴＴＩの各々について、ＴＴＩのためのチャネル品質インジケータ（ＣＱＩ）データを、ユーザデータを搬送する第１のＳＣ−ＦＤＭＡシンボルへマッピングする事前ＤＦＴシンボルから可能な限りデマッピングし、その後、残りすべてのＣＱＩデータを、１つまたは複数の後続するＳＣ−ＦＤＭＡシンボルからデマッピングすることを備える。
【０１３８】
（ｖ）シングルキャリア周波数分割多元接続（ＳＣ−ＦＤＭＡ）信号として送信された、複数の送信時間間隔（ＴＴＩ）の各々から、制御情報をデマッピングするように設定された受信装置であって、複数の送信時間間隔の各々は、１つまたは複数のＳＣ−ＦＤＭＡシンボルを備え、制御情報は、複数のＴＴＩの各々について少なくともハイブリッド自動再送要求（ＨＡＲＱ）ＡＣＫ／ＮＡＣＫデータを備え、受信装置は、
複数のＴＴＩの各々について、ＳＣ−ＦＤＭＡ信号を受信するように設定された受信回路構成と、
複数のＴＴＩの各々について、ＴＴＩにおいて受信されたユーザデータが、ユーザデータの前に送信される復調用参照信号（ＤＭＲＳ）に、または、ユーザデータの後に送信されたＤＭＲＳに、時間的に最も近いかを判定し、
ＴＴＩにおいて受信されたユーザデータが、ユーザデータの前に送信されるＤＭＲＳに時間的に最も近い複数のＴＴＩの各々について、ＴＴＩのためのすべてのＨＡＲＱ  ＡＣＫ／ＮＡＣＫデータを、ユーザデータを搬送するＴＴＩの時間的に最も早いＳＣ−ＦＤＭＡシンボルから、および、ユーザデータの前に送信されるＤＭＲＳに時間的に最も近い事後逆拡散シンボルから、デマッピングし、
ＴＴＩにおいて受信されたユーザデータが、ユーザデータの後に送信されたＤＭＲＳに時間的に最も近い複数のＴＴＩの各々について、ＴＴＩのためのすべてのＨＡＲＱ  ＡＣＫ／ＮＡＣＫデータを、ユーザデータを搬送するＴＴＩの時間的に最後のＳＣ−ＦＤＭＡシンボルから、および、ユーザデータの後に送信されたＤＭＲＳに時間的に最も近い事後逆拡散シンボルから、デマッピングする
ように設定された処理回路構成とを備える。
【０１３９】
（ｗ）例示的な実施形態（ｖ）の受信装置であって、処理回路構成はさらに、
複数のＴＴＩの各々について、ＴＴＩのためのランクインジケータ（ＲＩ）データを、ＨＡＲＱ  ＡＣＫ／ＮＡＣＫデータがマッピングされた同じＳＣ−ＦＤＭＡシンボルから、ただし、この同じＳＣ−ＦＤＭＡシンボルへマッピングするが、ＴＴＩのユーザデータに時間的に最も近いＤＭＲＳから可能な限り遠い事後逆拡散シンボルから、デマッピングするように設定される。
【０１４０】
（ｘ）例示的な実施形態（ｖ）の受信装置であって、処理回路構成はさらに、
２つ以上のＳＣ−ＦＤＭＡシンボルがユーザデータを搬送する複数のＴＴＩの各々について、ＴＴＩのためのランクインジケータ（ＲＩ）データを、ユーザデータを搬送し、ＨＡＲＱ  ＡＣＫ／ＮＡＣＫデータがマッピングされたＳＣ−ＦＤＭＡシンボルに時間的に直接隣接しているＳＣ−ＦＤＭＡシンボルから、および、この隣接しているＳＣ−ＦＤＭＡシンボルへマッピングし、ＴＴＩのユーザデータに時間的に最も近いＤＭＲＳに可能な限り近い事後逆拡散シンボルから、デマッピングするように設定される。
【０１４１】
（ｙ）実施形態（ｖ）の受信装置であって、処理回路構成はさらに、
ＨＡＲＱ  ＡＣＫ／ＮＡＣＫデータに割り当てられた、あらかじめ決定された最大数の事後逆拡散シンボルが与えられると、複数のＴＴＩの各々について、ＴＴＩのためのランクインジケータ（ＲＩ）データを、ＨＡＲＱ  ＡＣＫ／ＮＡＣＫデータがマッピングされた同じＳＣ−ＦＤＭＡシンボルから、および、ＨＡＲＱ  ＡＣＫ／ＮＡＣＫデータがマッピングされた事後逆拡散シンボルに可能な限り近い事後逆拡散シンボルから、デマッピングするように設定される。
【０１４２】
（ｚ）例示的な実施形態（ｖ）の受信装置であって、処理回路構成はさらに、
複数のＴＴＩの各々について、ＴＴＩの複数のＳＣ−ＦＤＭＡシンボルが、ユーザデータを搬送するか否かを判定し、
１つのＳＣ−ＦＤＭＡシンボルのみがユーザデータを搬送する複数のＴＴＩの各々について、ＴＴＩのためのランクインジケータ（ＲＩ）データを、ＨＡＲＱ  ＡＣＫ／ＮＡＣＫデータがマッピングされた同じＳＣ−ＦＤＭＡシンボルから、ただし、この同じＳＣ−ＦＤＭＡシンボルへマッピングするが、ＴＴＩのユーザデータに時間的に最も近いＤＭＲＳから可能な限り遠い事後逆拡散シンボルから、デマッピングし、
２つ以上のＳＣ−ＦＤＭＡシンボルがユーザデータを搬送する複数のＴＴＩの各々について、ＴＴＩのためのＲＩデータを、ユーザデータを搬送し、ＨＡＲＱ  ＡＣＫ／ＮＡＣＫデータがマッピングされたＳＣ−ＦＤＭＡシンボルに時間的に直接隣接しているＳＣ−ＦＤＭＡシンボルから、および、この隣接しているＳＣ−ＦＤＭＡシンボルへマッピングし、ＴＴＩのユーザデータに時間的に最も近いＤＭＲＳに可能な限り近い事後逆拡散シンボルから、デマッピングする
ように設定される。
【０１４３】
（ａａ）例示的な実施形態（ｖ）〜（ｚ）のうちのいずれかの受信装置であって、処理回路構成はさらに、
２つ以上のＳＣ−ＦＤＭＡシンボルがユーザデータを搬送する複数のＴＴＩの各々について、ＴＴＩのためのチャネル品質インジケータ（ＣＱＩ）データを、ユーザデータを搬送する２つ以上のＳＣ−ＦＤＭＡシンボルから可能な限り均等にデマッピングするように設定される。
【０１４４】
（ｂｂ）例示的な実施形態（ｖ）〜（ｚ）のうちのいずれかの受信装置であって、処理回路構成はさらに、
２つ以上のＳＣ−ＦＤＭＡシンボルがユーザデータを搬送する複数のＴＴＩの各々について、ＴＴＩのためのチャネル品質インジケータ（ＣＱＩ）データを、ユーザデータを搬送する第１のＳＣ−ＦＤＭＡシンボルへマッピングする事前ＤＦＴシンボルから可能な限りデマッピングし、その後、残りすべてのＣＱＩデータを、１つまたは複数の後続するＳＣ−ＦＤＭＡシンボルからデマッピングするように設定される。
【０１４５】
（ｃｃ）シングルキャリア周波数分割多元接続（ＳＣ−ＦＤＭＡ）信号としての送信のために、制御情報を、複数の送信時間間隔（ＴＴＩ）の各々へマッピングするように設定された送信デバイスの少なくとも１つの処理回路において実行された場合、送信デバイスに対して、以下を実行させるプログラム命令を備えたコンピュータプログラムを記憶した非一時的なコンピュータ可読記憶媒体であって、複数の送信時間間隔の各々は、１つまたは複数のＳＣ−ＦＤＭＡシンボルを備え、制御情報は、複数のＴＴＩの各々について少なくともハイブリッド自動再送要求（ＨＡＲＱ）ＡＣＫ／ＮＡＣＫデータを備え、プログラム命令は、送信デバイスに対して、
複数のＴＴＩの各々について、ＴＴＩにおいて送信されるユーザデータが、ユーザデータの前に送信される復調用参照信号（ＤＭＲＳ）に、または、ユーザデータの後に送信されたＤＭＲＳに、時間的に最も近くなるかを判定させ、
ＴＴＩにおいて送信されるユーザデータが、ユーザデータの前に送信されるＤＭＲＳに時間的に最も近くなる複数のＴＴＩの各々について、ＴＴＩのためのすべてのＨＡＲＱ  ＡＣＫ／ＮＡＣＫデータを、ユーザデータを搬送するＴＴＩの時間的に最も早いＳＣ−ＦＤＭＡシンボルへ、および、ユーザデータの前に送信されるＤＭＲＳに時間的に最も近い事前離散フーリエ変換（事前ＤＦＴ）シンボルへ、マッピングさせ、
ＴＴＩにおいて送信されるユーザデータが、ユーザデータの後に送信されたＤＭＲＳに時間的に最も近くなる複数のＴＴＩの各々について、ＴＴＩのためのすべてのＨＡＲＱ  ＡＣＫ／ＮＡＣＫデータを、ユーザデータを搬送するＴＴＩの時間的に最後のＳＣ−ＦＤＭＡシンボルへ、および、ユーザデータの後に送信されたＤＭＲＳに時間的に最も近い事前ＤＦＴシンボルへ、マッピングさせ、
複数のＴＴＩの各々について、ＨＡＲＱ  ＡＣＫ／ＮＡＣＫデータのマッピングに基づいて、ＴＴＩのためのユーザデータおよび制御情報から、ＳＣ−ＦＤＭＡ信号を形成させる。
【０１４６】
（ｄｄ）シングルキャリア周波数分割多元接続（ＳＣ−ＦＤＭＡ）信号として受信された、複数の送信時間間隔（ＴＴＩ）の各々から制御情報をデマッピングするように設定された受信デバイスの少なくとも１つの処理回路において実行された場合、受信デバイスに対して、以下を実行させるプログラム命令を備えたコンピュータプログラムを記憶した非一時的なコンピュータ可読記憶媒体であって、複数の送信時間間隔の各々は、１つまたは複数のＳＣ−ＦＤＭＡシンボルを備え、制御情報は、複数のＴＴＩの各々について少なくともハイブリッド自動再送要求（ＨＡＲＱ）ＡＣＫ／ＮＡＣＫデータを備え、プログラム命令は、受信デバイスに対して、
複数のＴＴＩの各々について、ＴＴＩにおいて受信されたユーザデータが、ユーザデータの前に送信される復調用参照信号（ＤＭＲＳ）に、または、ユーザデータの後に送信されたＤＭＲＳに、時間的に最も近いかを判定させ、
ＴＴＩにおいて受信されたユーザデータが、ユーザデータの前に送信されるＤＭＲＳに時間的に最も近い複数のＴＴＩの各々について、ＴＴＩのためのすべてのＨＡＲＱ  ＡＣＫ／ＮＡＣＫデータを、ユーザデータを搬送するＴＴＩの時間的に最も早いＳＣ−ＦＤＭＡシンボルから、および、ユーザデータの前に送信されるＤＭＲＳに時間的に最も近い事後逆拡散シンボルから、デマッピングさせ、
ＴＴＩにおいて受信されたユーザデータが、ユーザデータの後に送信されたＤＭＲＳに時間的に最も近い複数のＴＴＩの各々について、ＴＴＩのためのすべてのＨＡＲＱ  ＡＣＫ／ＮＡＣＫデータを、ユーザデータを搬送するＴＴＩの時間的に最後のＳＣ−ＦＤＭＡシンボルから、および、ユーザデータの後に送信されたＤＭＲＳに時間的に最も近い事後逆拡散シンボルから、デマッピングさせる。
【０１４７】
（ｅｅ）例示的な実施形態（ａ）〜（ｇ）のいずれか１つに記載の方法を実行するように適合された送信装置。
【０１４８】
（ｆｆ）例示的な実施形態（ｏ）〜（ｕ）のいずれか１つに記載の方法を実行するように適合された受信装置。
【０１４９】
（ｇｇ）処理回路において実行された場合、処理回路に対して、例示的な実施形態（ａ）〜（ｇ）および（ｏ）〜（ｕ）のうちのいずれか１つに記載の方法を実行させる命令を備えたコンピュータプログラム。
【０１５０】
（ｈｈ）例示的な実施形態（ｇｇ）のコンピュータプログラムを含むキャリアであって、キャリアは、電子信号、光信号、無線信号、またはコンピュータ可読記憶媒体のうちの１つである。
【０１５１】
（ｉｉ）シングルキャリア周波数分割多元接続（ＳＣ−ＦＤＭＡ）信号としての送信のために、制御情報を、複数の送信時間間隔（ＴＴＩ）の各々へマッピングするように設定された送信装置であって、複数の送信時間間隔の各々は、１つまたは複数のＳＣ−ＦＤＭＡシンボルを備え、制御情報は、複数のＴＴＩの各々について少なくともハイブリッド自動再送要求（ＨＡＲＱ）ＡＣＫ／ＮＡＣＫデータを備え、
複数のＴＴＩの各々について、ＴＴＩにおいて送信されるユーザデータが、ユーザデータの前に送信されるＤＭＲＳに、または、ユーザデータの後に送信されたＤＭＲＳに、時間的に最も近くなるかを判定するための判定モジュールと、
ＴＴＩにおいて送信されるユーザデータが、ユーザデータの前に送信されるＤＭＲＳに時間的に最も近くなる複数のＴＴＩの各々について、ＴＴＩのためのすべてのＨＡＲＱ  ＡＣＫ／ＮＡＣＫデータを、ユーザデータを搬送するＴＴＩの時間的に最も早いＳＣ−ＦＤＭＡシンボルへ、および、ユーザデータの前に送信されるＤＭＲＳに時間的に最も近い事前ＤＦＴシンボルへ、マッピングするためのマッピングモジュールと、
ＴＴＩにおいて送信されるユーザデータが、ユーザデータの後に送信されたＤＭＲＳに時間的に最も近くなる複数のＴＴＩの各々について、ＴＴＩのためのすべてのＨＡＲＱ  ＡＣＫ／ＮＡＣＫデータを、ユーザデータを搬送するＴＴＩの時間的に最後のＳＣ−ＦＤＭＡシンボルへ、および、ユーザデータの後に送信されたＤＭＲＳに時間的に最も近い事前ＤＦＴシンボルへマッピングもするためのマッピングモジュールと、
複数のＴＴＩの各々について、ＨＡＲＱ  ＡＣＫ／ＮＡＣＫデータのマッピングに基づいて、ＴＴＩのためのユーザデータおよび制御情報から、ＳＣ−ＦＤＭＡ信号を形成するための信号形成モジュールとを備える。
【０１５２】
（ｊｊ）シングルキャリア周波数分割多元接続（ＳＣ−ＦＤＭＡ）信号として受信された、複数の送信時間間隔（ＴＴＩ）の各々から、制御情報をデマッピングするように設定された受信装置であって、複数の送信時間間隔の各々は、１つまたは複数のＳＣ−ＦＤＭＡシンボルを備え、制御情報は、複数のＴＴＩの各々について少なくともハイブリッド自動再送要求（ＨＡＲＱ）ＡＣＫ／ＮＡＣＫデータを備え、
複数のＴＴＩの各々について、ＳＣ−ＦＤＭＡ信号を受信するための受信モジュールと、
複数のＴＴＩの各々について、ＴＴＩにおいて受信されたユーザデータが、ユーザデータの前に送信されるＤＭＲＳに、または、ユーザデータの後に送信されたＤＭＲＳに、時間的に最も近いかを判定するための判定モジュールと、
ＴＴＩにおいて受信されたユーザデータが、ユーザデータの前に送信されるＤＭＲＳに時間的に最も近い複数のＴＴＩの各々について、ＴＴＩのためのすべてのＨＡＲＱ  ＡＣＫ／ＮＡＣＫデータを、ユーザデータを搬送するＴＴＩの時間的に最も早いＳＣ−ＦＤＭＡシンボルから、および、ユーザデータの前に送信されるＤＭＲＳに時間的に最も近い事後逆拡散シンボルから、デマッピングするためのデマッピングモジュールとを備え、
デマッピングモジュールはさらに、ＴＴＩにおいて受信されたユーザデータが、ユーザデータの後に送信されたＤＭＲＳに時間的に最も近い複数のＴＴＩの各々について、ＴＴＩのためのすべてのＨＡＲＱ  ＡＣＫ／ＮＡＣＫデータを、ユーザデータを搬送するＴＴＩの時間的に最後のＳＣ−ＦＤＭＡシンボルから、および、ユーザデータの後に送信されたＤＭＲＳに時間的に最も近い事後逆拡散シンボルから、デマッピングするためのものである。
【０１５３】
顕著なことに、開示された発明の修正および他の実施形態は、前述した記述および関連付けられた図面において提示された教示の利益を享受する当業者に想起されるであろう。したがって、本発明は開示された特定の実施形態に限定されるものではなく、修正および他の実施形態が、この開示の範囲内に含まれることが意図されていることが理解されるべきである。本明細書では特定の用語が適用され得るが、これら特定の用語は、一般的かつ説明的な意味でのみ使用されており、限定の目的では使用されていない。
【図１】
2019533332.tif 000028
【図２】
2019533332.tif 000029
【図３】
2019533332.tif 000030
【図４】
2019533332.tif 000031
【図５】
2019533332.tif 000032
【図６】
2019533332.tif 000033
【図７】
2019533332.tif 000034
【図８】
2019533332.tif 000035
【図９】
2019533332.tif 000036
【図１０】
2019533332.tif 000037
【図１１】
2019533332.tif 000038
【図１２】
2019533332.tif 000039
【図１３】
2019533332.tif 000040
【図１４】
2019533332.tif 000041
【図１５】
2019533332.tif 000042
【図１６】
2019533332.tif 000043
【図１７】
2019533332.tif 000044
【図１８】
2019533332.tif 000045
【図１９】
2019533332.tif 000046
【図２０】
2019533332.tif 000047
【図２１】
2019533332.tif 000048
【図２２】
2019533332.tif 000049
【図２３】
2019533332.tif 000050
【図２４】
2019533332.tif 000051
【図２５】
2019533332.tif 000052
【図２６】
2019533332.tif 000053
【図２７】
2019533332.tif 000054
【図２８】
2019533332.tif 000055
【図２９】
2019533332.tif 000056
【図３０】
2019533332.tif 000057
【図３１】
2019533332.tif 000058
【図３２】
2019533332.tif 000059
【図３３】
2019533332.tif 000060
【図３４】
2019533332.tif 000061
【図３５】
2019533332.tif 000062
【図３６】
2019533332.tif 000063
【図３７】
2019533332.tif 000064
【図３８】
2019533332.tif 000065
【図３９】
2019533332.tif 000066
【図４０】
2019533332.tif 000067
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
シングルキャリア周波数分割多元接続（ＳＣ−ＦＤＭＡ）信号としての、制御情報およびユーザデータの複数の送信の各々について、送信時間間隔（ＴＴＩ）内の制御情報をマッピングする、送信デバイス（３０，５０）における方法（３４００）であって、各送信は、１つまたは複数のＳＣ−ＦＤＭＡシンボルを備え、各送信における前記制御情報は、少なくともハイブリッド自動再送要求（ＨＡＲＱ）ＡＣＫ／ＮＡＣＫデータを備え、前記方法（３４００）は、
各送信について、前記送信において送信されるユーザデータが、前記ユーザデータの前に送信される復調用参照信号（ＤＭＲＳ）に、または、前記ユーザデータの後に送信されるＤＭＲＳに、時間的に最も近くなるかを判定すること（３４０２）と、
送信において送信されるユーザデータが、前記ユーザデータの前に送信されるＤＭＲＳに時間的に最も近くなる各送信について、前記送信のためのすべてのＨＡＲＱ  ＡＣＫ／ＮＡＣＫデータを、前記送信内でユーザデータを搬送する時間的に最も早いＳＣ−ＦＤＭＡシンボルへ、および、このＳＣ−ＦＤＭＡシンボルに対応し、前記ユーザデータの前に送信される前記ＤＭＲＳに時間的に最も近い事前離散フーリエ変換（事前ＤＦＴ）シンボルへ、マッピングすること（３４０４）と、
送信において送信されるユーザデータが、前記ユーザデータの後に送信されるＤＭＲＳに時間的に最も近くなる各送信について、前記送信のためのすべてのＨＡＲＱ  ＡＣＫ／ＮＡＣＫデータを、前記送信内にユーザデータを搬送する時間的に最後のＳＣ−ＦＤＭＡシンボルへ、および、このＳＣ−ＦＤＭＡシンボルに対応し、前記ユーザデータの後に送信される前記ＤＭＲＳに時間的に最も近い事前ＤＦＴシンボルへマッピングすること（３４０６）と、
前記複数の送信の各々について、前記ＨＡＲＱ  ＡＣＫ／ＮＡＣＫデータの前記マッピングに基づいて、前記送信のために、前記ユーザデータおよび前記制御情報から、ＳＣ−ＦＤＭＡ信号を形成すること（３４０８）と
を備えた、方法（３４００）。
【請求項２】
前記送信のうちの１つまたは複数の各々について、
前記送信のためのランクインジケータ（ＲＩ）データを、前記ＨＡＲＱ  ＡＣＫ／ＮＡＣＫデータがマッピングされた同じＳＣ−ＦＤＭＡシンボルへ、および、この同じＳＣ−ＦＤＭＡシンボルに対応するが、前記送信における前記ユーザデータに時間的に最も近い前記ＤＭＲＳから可能な限り遠い事前ＤＦＴシンボルへ、マッピングすること、
２つ以上のＳＣ−ＦＤＭＡシンボルがユーザデータを搬送する場合、前記送信のためのランクインジケータ（ＲＩ）データを、ユーザデータを搬送し、前記ＨＡＲＱ  ＡＣＫ／ＮＡＣＫデータがマッピングされた前記ＳＣ−ＦＤＭＡシンボルに時間的に直接隣接しているＳＣ−ＦＤＭＡシンボルへ、および、この隣接しているＳＣ−ＦＤＭＡシンボルに対応し、前記送信の前記ユーザデータに時間的に最も近い前記ＤＭＲＳに可能な限り近い事前ＤＦＴシンボルへ、マッピングすること、または
ＨＡＲＱ  ＡＣＫ／ＮＡＣＫデータに割り当てられた、あらかじめ決定された最大数の事前ＤＦＴシンボルが与えられると、前記送信のためのランクインジケータ（ＲＩ）データを、前記ＨＡＲＱ  ＡＣＫ／ＮＡＣＫデータがマッピングされた同じＳＣ−ＦＤＭＡシンボルへ、および、前記ＨＡＲＱ  ＡＣＫ／ＮＡＣＫデータがマッピングされた前記事前ＤＦＴシンボルに可能な限り近い事前ＤＦＴシンボルへ、マッピングすること
をさらに備えた、請求項１に記載の方法（３４００）。
【請求項３】
１つまたは複数の送信の各々について、前記送信の複数のＳＣ−ＦＤＭＡシンボルが、ユーザデータを搬送するか否かを判定することと、
１つのＳＣ−ＦＤＭＡシンボルのみがユーザデータを搬送する前記１つまたは複数の送信の各々について、前記送信のためのランクインジケータ（ＲＩ）データを、前記ＨＡＲＱ  ＡＣＫ／ＮＡＣＫデータがマッピングされた同じＳＣ−ＦＤＭＡシンボルへ、ただし、この同じＳＣ−ＦＤＭＡシンボルへ対応するが、前記送信の前記ユーザデータに時間的に最も近い前記ＤＭＲＳから可能な限り遠い事前ＤＦＴシンボルへ、マッピングすることと、
２つ以上のＳＣ−ＦＤＭＡシンボルがユーザデータを搬送する前記１つまたは複数の送信の各々について、前記送信のためのＲＩデータを、ユーザデータを搬送し、前記ＨＡＲＱ  ＡＣＫ／ＮＡＣＫデータがマッピングされた前記ＳＣ−ＦＤＭＡシンボルに時間的に直接隣接しているＳＣ−ＦＤＭＡシンボルへ、および、この隣接しているＳＣ−ＦＤＭＡシンボルに対応し、前記送信の前記ユーザデータに時間的に最も近い前記ＤＭＲＳに可能な限り近い事前ＤＦＴシンボルへ、マッピングすることと
をさらに備えた、請求項１に記載の方法（３４００）。
【請求項４】
２つ以上のＳＣ−ＦＤＭＡシンボルがユーザデータを搬送する１つまたは複数の送信の各々について、
前記送信のためのチャネル品質インジケータ（ＣＱＩ）データを、ユーザデータを搬送する前記２つ以上のＳＣ−ＦＤＭＡシンボルへ可能な限り均等にマッピングすること、または
前記送信のためのチャネル品質インジケータ（ＣＱＩ）データを、前記送信のためのユーザデータを搬送する第１のＳＣ−ＦＤＭＡシンボルに対応する事前ＤＦＴシンボルへ可能な限りマッピングし、残りすべてのＣＱＩデータを、前記送信の１つまたは複数の後続するＳＣ−ＦＤＭＡシンボルへマッピングすること
をさらに備えた、請求項１から３のいずれか一項に記載の方法（３４００）。
【請求項５】
シングルキャリア周波数分割多元接続（ＳＣ−ＦＤＭＡ）信号としての、制御情報およびユーザデータの複数の送信の各々について、送信時間間隔（ＴＴＩ）内の制御情報をマッピングするように設定された送信装置（３０，５０）であって、各送信は、１つまたは複数のＳＣ−ＦＤＭＡシンボルを備え、各送信における前記制御情報は、少なくともハイブリッド自動再送要求（ＨＡＲＱ）ＡＣＫ／ＮＡＣＫデータを備え、前記送信装置（３０，５０）は、
各送信について、前記送信において送信されるユーザデータが、前記ユーザデータの前に送信されるユーザデータの前に送信される復調用参照信号（ＤＭＲＳ）に、または、前記ユーザデータの後に送信されたＤＭＲＳに、時間的に最も近くなるかを判定し、
送信において送信されるユーザデータが、前記ユーザデータの前に送信されるＤＭＲＳに時間的に最も近くなる前記複数の送信の各々について、前記送信のためのすべてのＨＡＲＱ  ＡＣＫ／ＮＡＣＫデータを、前記送信内にデータを搬送する時間的に最も早いＳＣ−ＦＤＭＡシンボルへ、および、このＳＣ−ＦＤＭＡシンボルに対応し、前記ユーザデータの前に送信される前記ＤＭＲＳに時間的に最も近い事前離散フーリエ変換（事前ＤＦＴ）シンボルへ、マッピングし、
前記送信において送信されるユーザデータが、前記ユーザデータの後に送信されたＤＭＲＳに時間的に最も近くなる各送信について、前記送信のためのすべてのＨＡＲＱ  ＡＣＫ／ＮＡＣＫデータを、前記送信内にユーザデータを搬送する時間的に最後のＳＣ−ＦＤＭＡシンボルへ、および、このＳＣ−ＦＤＭＡに対応し、前記ユーザデータの後に送信された前記ＤＭＲＳに時間的に最も近い事前ＤＦＴシンボルへ、マッピングし、
前記複数の送信の各々について、前記ＨＡＲＱ  ＡＣＫ／ＮＡＣＫデータの前記マッピングに基づいて、前記送信のための前記ユーザデータおよび前記制御情報から、ＳＣ−ＦＤＭＡ信号を形成する
ように設定された処理回路構成（３２，５２）と、
前記ＳＣ−ＦＤＭＡ信号を送信するように設定された送信回路構成（３６，５６）と
を備えた、送信装置（３０，５０）。
【請求項６】
前記処理回路構成（３２，５２）はさらに、
前記送信のうちの１つまたは複数の各々について、
前記送信のためのランクインジケータ（ＲＩ）データを、前記ＨＡＲＱ  ＡＣＫ／ＮＡＣＫデータがマッピングされた同じＳＣ−ＦＤＭＡシンボルへ、ただし、この同じＳＣ−ＦＤＭＡシンボルに対応するが、前記送信の前記ユーザデータに時間的に最も近い前記ＤＭＲＳから可能な限り遠い事前ＤＦＴシンボルへ、マッピングする、
２つ以上のＳＣ−ＦＤＭＡシンボルがユーザデータを搬送する場合、前記送信のためのランクインジケータ（ＲＩ）データを、ユーザデータを搬送し、前記ＨＡＲＱ  ＡＣＫ／ＮＡＣＫデータがマッピングされた前記ＳＣ−ＦＤＭＡシンボルに時間的に直接隣接しているＳＣ−ＦＤＭＡシンボルへ、および、この隣接しているＳＣ−ＦＤＭＡシンボルに対応し、前記送信の前記ユーザデータに時間的に最も近い前記ＤＭＲＳに可能な限り近い事前ＤＦＴシンボルへ、マッピングする、または
ＨＡＲＱ  ＡＣＫ／ＮＡＣＫデータに割り当てられた、あらかじめ決定された最大数の事前ＤＦＴシンボルが与えられると、前記送信のためのランクインジケータ（ＲＩ）データを、前記ＨＡＲＱ  ＡＣＫ／ＮＡＣＫデータがマッピングされたものと同じＳＣ−ＦＤＭＡシンボルへ、および、前記ＨＡＲＱ  ＡＣＫ／ＮＡＣＫデータがマッピングされた前記事前ＤＦＴシンボルに可能な限り近い事前ＤＦＴシンボルへ、マッピングする
ように設定された、請求項５に記載の送信装置（３０，５０）。
【請求項７】
前記処理回路構成（３２，５２）はさらに、
１つまたは複数の送信の各々について、前記送信の複数のＳＣ−ＦＤＭＡシンボルが、ユーザデータを搬送するか否かを判定し、
１つのＳＣ−ＦＤＭＡシンボルのみがユーザデータを搬送する前記１つまたは複数の送信の各々について、前記送信のためのランクインジケータ（ＲＩ）データを、前記ＨＡＲＱ  ＡＣＫ／ＮＡＣＫデータがマッピングされた同じＳＣ−ＦＤＭＡシンボルへ、ただし、この同じＳＣ−ＦＤＭＡシンボルに対応するが、前記送信の前記ユーザデータに時間的に最も近い前記ＤＭＲＳから可能な限り遠い事前ＤＦＴシンボルへ、マッピングし、
２つ以上のＳＣ−ＦＤＭＡシンボルがユーザデータを搬送する前記１つまたは複数の送信の各々について、前記送信のためのＲＩデータを、ユーザデータを搬送し、前記ＨＡＲＱ  ＡＣＫ／ＮＡＣＫデータがマッピングされた前記ＳＣ−ＦＤＭＡシンボルに時間的に直接隣接しているＳＣ−ＦＤＭＡシンボルへ、および、この隣接しているＳＣ−ＦＤＭＡシンボルに対応し、前記送信の前記ユーザデータに時間的に最も近い前記ＤＭＲＳに可能な限り近い事前ＤＦＴシンボルへ、マッピングする
ように設定された、請求項５に記載の送信装置（３０，５０）。
【請求項８】
前記処理回路構成（３２，５２）はさらに、
２つ以上のＳＣ−ＦＤＭＡシンボルがユーザデータを搬送する１つまたは複数の送信の各々について、
前記送信のためのチャネル品質インジケータ（ＣＱＩ）データを、ユーザデータを搬送する前記２つ以上のＳＣ−ＦＤＭＡシンボルへ可能な限り均等にマッピングする、または
前記送信のためのチャネル品質インジケータ（ＣＱＩ）データを、前記送信のためのユーザデータを搬送する第１のＳＣ−ＦＤＭＡシンボルに対応する事前ＤＦＴシンボルへ可能な限りマッピングし、残りすべてのＣＱＩデータを、前記送信の１つまたは複数の後続するＳＣ−ＦＤＭＡシンボルへマッピングする
ように設定された、請求項５から７のいずれか一項に記載の送信装置（３０，５０）。
【請求項９】
受信デバイス（３０，５０）において、シングルキャリア周波数分割多元接続（ＳＣ−ＦＤＭＡ）信号として受信された制御情報およびユーザデータの複数の送信の各々について、送信時間間隔（ＴＴＩ）内から制御情報をデマッピングする方法（３６００）であって、前記複数の送信の各々は、１つまたは複数のＳＣ−ＦＤＭＡシンボルを備え、各送信における前記制御情報は、少なくともハイブリッド自動再送要求（ＨＡＲＱ）ＡＣＫ／ＮＡＣＫデータを備え、前記方法（３６００）は、
前記複数の送信の各々について、ＳＣ−ＦＤＭＡ信号を受信すること（３６０２）と、
前記複数の送信の各々について、前記送信において受信されたユーザデータが、前記ユーザデータの前に送信される復調用参照信号（ＤＭＲＳ）に、または、前記ユーザデータの後に送信されたＤＭＲＳに、時間的に最も近いかを判定すること（３６０４）と、
前記送信において受信されたユーザデータが、前記ユーザデータの前に送信されるＤＭＲＳに時間的に最も近い前記複数の送信の各々について、前記送信のためのすべてのＨＡＲＱ  ＡＣＫ／ＮＡＣＫデータを、前記送信においてユーザデータを搬送する時間的に最も早いＳＣ−ＦＤＭＡシンボルから、および、このＳＣ−ＦＤＭＡシンボルに対応し、前記ユーザデータの前に送信される前記ＤＭＲＳに時間的に最も近い事後逆拡散シンボルから、デマッピングすること（３６０６）と、
前記送信において受信されたユーザデータが、前記ユーザデータの後に送信されたＤＭＲＳに時間的に最も近い前記複数の送信の各々について、前記送信のためのすべてのＨＡＲＱ  ＡＣＫ／ＮＡＣＫデータを、前記送信においてユーザデータを搬送する時間的に最後のＳＣ−ＦＤＭＡシンボルから、および、このＳＣ−ＦＤＭＡシンボルに対応し、前記ユーザデータの後に送信された前記ＤＭＲＳに時間的に最も近い事後逆拡散シンボルからデマッピングすること（３６０８）と
を備えた、方法（３６００）。
【請求項１０】
前記受信された送信のうちの１つまたは複数の各々について、
前記送信のためのランクインジケータ（ＲＩ）データを、前記ＨＡＲＱ  ＡＣＫ／ＮＡＣＫデータがマッピングされた同じＳＣ−ＦＤＭＡシンボルから、ただし、この同じＳＣ−ＦＤＭＡシンボルに対応するが、前記送信の前記ユーザデータに時間的に最も近い前記ＤＭＲＳから可能な限り遠い事後逆拡散シンボルから、デマッピングすること、
２つ以上のＳＣ−ＦＤＭＡシンボルがユーザデータを搬送する場合、前記送信のためのランクインジケータ（ＲＩ）データを、ユーザデータを搬送し、前記ＨＡＲＱ  ＡＣＫ／ＮＡＣＫデータがマッピングされた前記ＳＣ−ＦＤＭＡシンボルに時間的に直接隣接しているＳＣ−ＦＤＭＡシンボルから、および、この隣接しているＳＣ−ＦＤＭＡシンボルに対応し、前記送信の前記ユーザデータに時間的に最も近い前記ＤＭＲＳに可能な限り近い事後逆拡散シンボルから、デマッピングすること、または
ＨＡＲＱ  ＡＣＫ／ＮＡＣＫデータに割り当てられた、あらかじめ決定された最大数の事後逆拡散シンボルが与えられると、前記送信のためのランクインジケータ（ＲＩ）データを、前記ＨＡＲＱ  ＡＣＫ／ＮＡＣＫデータがマッピングされた同じＳＣ−ＦＤＭＡシンボルから、および、前記ＨＡＲＱ  ＡＣＫ／ＮＡＣＫデータがマッピングされた前記事後逆拡散シンボルに可能な限り近い事後逆拡散シンボルから、デマッピングすること
をさらに備えた、請求項９に記載の方法（３６００）。
【請求項１１】
前記受信された送信のうちの１つまたは複数の各々について、前記送信の複数のＳＣ−ＦＤＭＡシンボルが、ユーザデータを搬送するか否かを判定することと、
１つのＳＣ−ＦＤＭＡシンボルのみがユーザデータを搬送する、前記受信された送信のうちの１つまたは複数の各々について、前記送信のためのランクインジケータ（ＲＩ）データを、前記ＨＡＲＱ  ＡＣＫ／ＮＡＣＫデータがマッピングされた同じＳＣ−ＦＤＭＡシンボルから、ただし、この同じＳＣ−ＦＤＭＡシンボルに対応するが、前記送信の前記ユーザデータに時間的に最も近い前記ＤＭＲＳから可能な限り遠い事後逆拡散シンボルから、デマッピングすることと、
２つ以上のＳＣ−ＦＤＭＡシンボルがユーザデータを搬送する、前記受信された送信のうちの１つまたは複数の各々について、前記送信のためのＲＩデータを、ユーザデータを搬送し、前記ＨＡＲＱ  ＡＣＫ／ＮＡＣＫデータがマッピングされた前記ＳＣ−ＦＤＭＡシンボルに時間的に直接隣接しているＳＣ−ＦＤＭＡシンボルから、および、この隣接しているＳＣ−ＦＤＭＡシンボルに対応し、前記送信の前記ユーザデータに時間的に最も近い前記ＤＭＲＳに可能な限り近い事後逆拡散シンボルから、デマッピングすることと
をさらに備えた、請求項９に記載の方法（３６００）。
【請求項１２】
２つ以上のＳＣ−ＦＤＭＡシンボルがユーザデータを搬送する、前記受信された送信のうちの１つまたは複数の各々について、前記送信のためのチャネル品質インジケータ（ＣＱＩ）データを、ユーザデータを搬送する前記２つ以上のＳＣ−ＦＤＭＡシンボルから、可能な限り均等にデマッピングすること
をさらに備えた、請求項９から１１のいずれか一項に記載の方法（３６００）。
【請求項１３】
シングルキャリア周波数分割多元接続（ＳＣ−ＦＤＭＡ）信号として受信された制御情報およびユーザデータの複数の送信の各々について、送信時間間隔（ＴＴＩ）内から、制御情報をデマッピングするように設定された受信装置（３０，５０）であって、前記複数の送信の各々は、１つまたは複数のＳＣ−ＦＤＭＡシンボルを備え、各送信における前記制御情報は、少なくともハイブリッド自動再送要求（ＨＡＲＱ）ＡＣＫ／ＮＡＣＫデータを備え、前記受信装置（３０，５０）は、
前記複数の送信の各々について、ＳＣ−ＦＤＭＡ信号を受信するように設定された受信回路構成（３６，５６）と、
前記複数の送信の各々について、前記送信において受信されたユーザデータが、前記ユーザデータの前に送信される復調用参照信号（ＤＭＲＳ）に、または、前記ユーザデータの後に送信されたＤＭＲＳに、時間的に最も近いかを判定し、
前記送信において受信されたユーザデータが、前記ユーザデータの前に送信されるＤＭＲＳに時間的に最も近い前記複数の送信の各々について、前記送信のためのすべてのＨＡＲＱ  ＡＣＫ／ＮＡＣＫデータを、前記送信においてデータを搬送する時間的に最も早いＳＣ−ＦＤＭＡシンボルから、および、このＳＣ−ＦＤＭＡシンボルに対応し、前記ユーザデータの前に送信される前記ＤＭＲＳに時間的に最も近い事後逆拡散シンボルから、デマッピングし、
前記送信において受信されたユーザデータが、前記ユーザデータの後に送信されたＤＭＲＳに時間的に最も近い前記複数の送信の各々について、前記送信のためのすべてのＨＡＲＱ  ＡＣＫ／ＮＡＣＫデータを、前記送信においてユーザデータを搬送する時間的に最後のＳＣ−ＦＤＭＡシンボルから、および、このＳＣ−ＦＤＭＡシンボルに対応し、前記ユーザデータの後に送信された前記ＤＭＲＳに時間的に最も近い事後逆拡散シンボルから、デマッピングする
ように設定された処理回路構成（３２，５２）と
を備えた、受信装置（３０，５０）。
【請求項１４】
前記処理回路構成（３２，５２）はさらに、
前記送信のうちの１つまたは複数の各々について、
前記送信のためのランクインジケータ（ＲＩ）データを、前記ＨＡＲＱ  ＡＣＫ／ＮＡＣＫデータがマッピングされた同じＳＣ−ＦＤＭＡシンボルから、ただし、この同じＳＣ−ＦＤＭＡシンボルに対応するが、前記送信の前記ユーザデータに時間的に最も近い前記ＤＭＲＳから可能な限り遠い事後逆拡散シンボルから、デマッピングする、
２つ以上のＳＣ−ＦＤＭＡシンボルがユーザデータを搬送する場合、前記送信のためのランクインジケータ（ＲＩ）データを、ユーザデータを搬送し、前記ＨＡＲＱ  ＡＣＫ／ＮＡＣＫデータがマッピングされた前記ＳＣ−ＦＤＭＡシンボルに時間的に直接隣接しているＳＣ−ＦＤＭＡシンボルから、および、この隣接しているＳＣ−ＦＤＭＡシンボルに対応し、前記送信の前記ユーザデータに時間的に最も近い前記ＤＭＲＳに可能な限り近い事後逆拡散シンボルから、デマッピングする、または
ＨＡＲＱ  ＡＣＫ／ＮＡＣＫデータに割り当てられた、あらかじめ決定された最大数の事後逆拡散シンボルが与えられると、前記送信のためのランクインジケータ（ＲＩ）データを、前記ＨＡＲＱ  ＡＣＫ／ＮＡＣＫデータがマッピングされた同じＳＣ−ＦＤＭＡシンボルから、および、前記ＨＡＲＱ  ＡＣＫ／ＮＡＣＫデータがマッピングされた事後逆拡散シンボルに可能な限り近い事後逆拡散シンボルから、デマッピングする
ように設定された、請求項１３に記載の受信装置（３０，５０）。
【請求項１５】
前記処理回路構成（３２，５２）はさらに、
１つまたは複数の送信の各々について、前記送信の複数のＳＣ−ＦＤＭＡシンボルが、ユーザデータを搬送するか否かを判定し、
１つのＳＣ−ＦＤＭＡシンボルのみがユーザデータを搬送する前記１つまたは複数の送信の各々について、前記送信のためのランクインジケータ（ＲＩ）データを、前記ＨＡＲＱ  ＡＣＫ／ＮＡＣＫデータがマッピングされたものと同じＳＣ−ＦＤＭＡシンボルから、ただし、この同じＳＣ−ＦＤＭＡシンボルに対応するが、前記送信の前記ユーザデータに時間的に最も近い前記ＤＭＲＳから可能な限り遠い事後逆拡散シンボルから、デマッピングし、
２つ以上のＳＣ−ＦＤＭＡシンボルがユーザデータを搬送する前記１つまたは複数の送信の各々について、前記送信のためのＲＩデータを、ユーザデータを搬送し、前記ＨＡＲＱ  ＡＣＫ／ＮＡＣＫデータがマッピングされた前記ＳＣ−ＦＤＭＡシンボルに時間的に直接隣接しているＳＣ−ＦＤＭＡシンボルから、および、この隣接しているＳＣ−ＦＤＭＡシンボルに対応し、前記送信の前記ユーザデータに時間的に最も近い前記ＤＭＲＳに可能な限り近い事後逆拡散シンボルから、デマッピングする
ように設定された、請求項１３に記載の受信装置（３０，５０）。
【請求項１６】
前記処理回路構成（３２，５２）はさらに、
２つ以上のＳＣ−ＦＤＭＡシンボルがユーザデータを搬送する１つまたは複数の送信の各々について、
前記送信のためのチャネル品質インジケータ（ＣＱＩ）データを、ユーザデータを搬送する前記２つ以上のＳＣ−ＦＤＭＡシンボルから可能な限り均等にデマッピングする、または
２つ以上のＳＣ−ＦＤＭＡシンボルがユーザデータを搬送する場合、前記送信のためのチャネル品質インジケータ（ＣＱＩ）データを、ユーザデータを搬送する第１のＳＣ−ＦＤＭＡシンボルへマッピングする事前ＤＦＴシンボルから可能な限りデマッピングし、その後、残りすべてのＣＱＩデータを、１つまたは複数の後続するＳＣ−ＦＤＭＡシンボルからデマッピングする
ように設定された、請求項１３から１５のいずれか一項に記載の受信装置（３０，５０）。
【請求項１７】
シングルキャリア周波数分割多元接続（ＳＣ−ＦＤＭＡ）信号としての、制御情報およびユーザデータの複数の送信の各々について、送信時間間隔（ＴＴＩ）内に制御情報をマッピングするように設定された送信デバイス（３０，５０）の少なくとも１つの処理回路（３２，５２）において実行された場合、前記送信デバイス（３０，５０）に対して、以下を実行させるプログラム命令を備えたコンピュータプログラム（４６，６６）を記憶した非一時的なコンピュータ可読記憶媒体（４４，６４）であって、前記複数の送信の各々は、１つまたは複数のＳＣ−ＦＤＭＡシンボルを備え、各送信における前記制御情報は、少なくともハイブリッド自動再送要求（ＨＡＲＱ）ＡＣＫ／ＮＡＣＫデータを備え、前記プログラム命令は、前記送信デバイス（３０，５０）に対して、
前記複数の送信の各々について、前記送信において送信されるユーザデータが、前記ユーザデータの前に送信される復調用参照信号（ＤＭＲＳ）に、または、前記ユーザデータの後に送信されたＤＭＲＳに、時間的に最も近くなるかを判定させ、
前記送信において送信されるユーザデータが、前記ユーザデータの前に送信されるＤＭＲＳに時間的に最も近くなる前記複数の送信の各々について、前記送信のためのすべてのＨＡＲＱ  ＡＣＫ／ＮＡＣＫデータを、前記送信においてユーザデータを搬送する時間的に最も早いＳＣ−ＦＤＭＡシンボルへ、および、このＳＣ−ＦＤＭＡシンボルに対応し、前記ユーザデータの前に送信される前記ＤＭＲＳに時間的に最も近い事前離散フーリエ変換（事前ＤＦＴ）シンボルへ、マッピングさせ、
前記送信において送信されるユーザデータが、前記ユーザデータの後に送信されたＤＭＲＳに時間的に最も近くなる前記複数の送信の各々について、前記送信のためのすべてのＨＡＲＱ  ＡＣＫ／ＮＡＣＫデータを、前記送信においてユーザデータを搬送する時間的に最後のＳＣ−ＦＤＭＡシンボルへ、および、このＳＣ−ＦＤＭＡシンボルに対応し、前記ユーザデータの後に送信された前記ＤＭＲＳに時間的に最も近い事前ＤＦＴシンボルへマッピングさせ、
前記複数の送信の各々について、前記ＨＡＲＱ  ＡＣＫ／ＮＡＣＫデータのマッピングに基づいて、前記送信のための前記ユーザデータおよび前記制御情報から、ＳＣ−ＦＤＭＡ信号を形成させる、
非一時的なコンピュータ可読記憶媒体（４４，６４）。
【請求項１８】
シングルキャリア周波数分割多元接続（ＳＣ−ＦＤＭＡ）信号として受信された、制御情報およびユーザデータの複数の送信の各々について、送信時間間隔（ＴＴＩ）内から、制御情報をデマッピングするように設定された受信デバイス（３０，５０）の少なくとも１つの処理回路（３２，５２）において実行された場合、前記受信デバイス（３０，５０）に対して、以下を実行させるプログラム命令を備えたコンピュータプログラム（４６，６６）を記憶した非一時的なコンピュータ可読記憶媒体（４４，６４）であって、前記複数の送信の各々は、１つまたは複数のＳＣ−ＦＤＭＡシンボルを備え、各送信における前記制御情報は、少なくともハイブリッド自動再送要求（ＨＡＲＱ）ＡＣＫ／ＮＡＣＫデータを備え、前記プログラム命令は、前記受信デバイス（３０，５０）に対して、
前記複数の送信の各々について、前記送信において受信されたユーザデータが、前記ユーザデータの前に送信される復調用参照信号（ＤＭＲＳ）に、または、前記ユーザデータの後に送信されたＤＭＲＳに、時間的に最も近いかを判定させ、
前記送信において受信されたユーザデータが、前記ユーザデータの前に送信されるＤＭＲＳに時間的に最も近い前記複数の送信の各々について、前記送信のためのすべてのＨＡＲＱ  ＡＣＫ／ＮＡＣＫデータを、前記送信においてユーザデータを搬送する時間的に最も早いＳＣ−ＦＤＭＡシンボルから、および、このＳＣ−ＦＤＭＡシンボルに対応し、前記ユーザデータの前に送信される前記ＤＭＲＳに時間的に最も近い事後逆拡散シンボルから、デマッピングさせ、
前記送信において受信されたユーザデータが、前記ユーザデータの後に送信されたＤＭＲＳに時間的に最も近い前記複数の送信の各々について、前記送信のためのすべてのＨＡＲＱ  ＡＣＫ／ＮＡＣＫデータを、前記送信においてユーザデータを搬送する時間的に最後のＳＣ−ＦＤＭＡシンボルから、および、このＳＣ−ＦＤＭＡシンボルに対応し、前記ユーザデータの後に送信された前記ＤＭＲＳに時間的に最も近い事後逆拡散シンボルから、デマッピングさせる、
非一時的なコンピュータ可読記憶媒体（４４，６４）。
【請求項１９】
請求項１から４のいずれか一項に記載の方法（３４００）を実行するように適合された送信装置（３０，５０）。
【請求項２０】
請求項９から１２のいずれか一項に記載の方法（３６００）を実行するように適合された受信装置（３０，５０）。
【国際調査報告】
2019533332.tif 000068
2019533332.tif 000069